(57)【要約】  コネクタは、内腔部を有するオスコネクタ部と、該オスコネクタ部と同様の他のオスコネクタ部が接続可能な内腔部を有するメスコネクタ部とを備えるものである。このコネクタは、オスロック部と、オスロック部と同様の他のオスロック部が連結可能なメスロック部とを備え、メスロック部と他のオスロック部とが連結されるロック状態となったとき、メスコネクタ部と他のオスコネクタ部とは、これらの内腔部同士が連通して、液体が流通可能に接続される。【特許請求の範囲】
【請求項１】
内腔部を有するオスコネクタ部と、該オスコネクタ部と同様の他のオスコネクタ部が接続可能な内腔部を有するメスコネクタ部とを備えるコネクタであって、
オスロック部と、
前記オスロック部と同様の他のオスロック部が連結可能なメスロック部とを備え、
前記メスロック部と前記他のオスロック部とが連結されるロック状態となったとき、前記メスコネクタ部と前記他のオスコネクタ部とは、これらの前記内腔部同士が連通して、液体が流通可能に接続されることを特徴とするコネクタ。
【請求項２】
前記メスコネクタ部と前記他のオスコネクタ部とが互いに近接する位置で、前記メスロック部と前記他のオスロック部とがハーフロック状態となる請求の範囲第１項に記載のコネクタ。
【請求項３】
前記ロック状態が解除されると、前記液体の流通が遮断されるよう構成されている請求の範囲第１項に記載のコネクタ。
【請求項４】
前記オスロック部は、オス側係合部が設けられている爪部と、該爪部を付勢する付勢部とを有しており、
前記メスロック部は、前記オスロック部と同様の他のオスロック部のオス側係合部と係合可能なメス側係合部を有しており、
前記メス側係合部と前記他のオスロック部のオス側係合部とが係合することにより、前記ロック状態となり、該ロック状態は、前記他のオスロック部のオス側係合部を前記付勢部の付勢力に抗して押圧することにより解除される請求の範囲第１項に記載のコネクタ。
【請求項５】
前記オスロック部は、第１のオス側係合部が設けられ、互いに接近・離間可能な一対の爪部と、該両爪部が互いに離間するように付勢する付勢部とを有しており、
前記メスロック部は、前記オスロック部と同様の他のオスロック部の第１のオス側係合部と係合可能な第１のメス側係合部と、該第１のメス側係合部と前記他のオスロック部の第１のオス側係合部とが係合したとき該他のオスロック部の両爪部を互いに接近させるように操作可能な操作部とを有しており、
前記第１のメス側係合部と前記他のオスロック部の第１のオス側係合部とが係合することにより、前記ロック状態となる請求の範囲第１項に記載のコネクタ。
【請求項６】
前記爪部には、第２のオス側係合部が設けられており、
前記メスロック部には、第２のメス側係合部が設けられており、
前記第２のメス側係合部と前記他のオスロック部の各第２のオス側係合部とが係合することにより、前記メスコネクタ部と前記他のオスコネクタ部とが互いに近接するハーフロック状態となる請求の範囲第５項に記載のコネクタ。
【請求項７】
前記オスロック部は、前記オスコネクタ部の外周側に、該オスコネクタ部と同心的に回転可能に設置され、その内周部にネジ山が形成された、筒状をなすリング部材で構成されており、
前記メスコネクタ部は、その外周部に、前記オスロック部と同様の他のオスロック部のネジ山と係合可能な突部が形成されており、
前記突部と前記他のオスロック部のネジ山とが係合することにより、前記ロック状態となる請求の範囲第１項に記載のコネクタ。
【請求項８】
前記オスコネクタ部と前記オスロック部とは、突出方向が互いに平行となるように隣接して設けられており、
前記メスコネクタ部と前記メスロック部とは、突出方向が互いに平行となるように隣接して設けられている請求の範囲第１項に記載のコネクタ。
【請求項９】
前記メスコネクタ部を複数備え、
少なくとも１つの前記メスコネクタ部と前記オスコネクタ部とは、それらの中心線が互いにほぼ直交するように配置されている請求の範囲第１項に記載のコネクタ。
【請求項１０】
前記メスコネクタ部を複数備え、
少なくとも１つの前記メスコネクタ部と前記オスコネクタ部とは、それらの中心線が互いに平行で、かつ、前記メスコネクタ部の開口部と前記オスコネクタ部の開口部とが互いに反対の方向を向くように配置されている請求の範囲第１項に記載のコネクタ。
【請求項１１】
前記メスコネクタ部を複数備え、前記各メスコネクタ部の開口部が互いに異なる方向に開口している請求の範囲第１項に記載のコネクタ。
【請求項１２】
弾性材料で構成され、前記ロック状態となったとき、前記メスコネクタ部と前記他のオスコネクタ部との接続の液密性を保持するシール部材をさらに備える請求の範囲第１項に記載のコネクタ。
【請求項１３】
前記シール部材は、前記メスコネクタ部の内腔部に設置されており、前記ロック状態のときに前記他のオスコネクタ部の端部に密着する面と、該面に形成され、前記ロック状態のときに開くスリットとを有する請求の範囲第１２項に記載のコネクタ。
【請求項１４】
前記シール部材は、前記メスコネクタ部の開口部に設置されており、前記メスコネクタ部の内腔部に向って突出する収斂状をなす収斂部を有する請求の範囲第１２項に記載のコネクタ。
【請求項１５】
前記シール部材は、その形状がリング状をなしており、前記メスコネクタ部の内腔部の内周面に、その周方向に沿って設置されている請求の範囲第１２項に記載のコネクタ。
【請求項１６】
前記シール部材は、その形状がリング状をなしており、前記オスコネクタ部の外周側に、その周方向にそって設置されている請求の範囲第１２項に記載のコネクタ。
【請求項１７】
前記オスコネクタ部および前記メスコネクタ部を合計３つ以上備え、これらの前記内腔部のうち、任意の２つの前記内腔部を選択し、これらが連通するように、液体が流通する流路を切り替える流路切替手段をさらに備える請求の範囲第１項に記載のコネクタ。
【請求項１８】
前記流路切替手段は、前記オスコネクタ部および前記メスコネクタ部に対し回動自在に設置され、前記各内腔部に対応する流路が形成されたコックで構成されており、該コックを回動操作することにより前記各内腔部の開閉を選択する請求の範囲第１７項に記載のコネクタ。
【請求項１９】
内腔部を有するオスコネクタ部を備え、前記オスコネクタ部には、内腔部を有するメスコネクタ部が接続可能なコネクタであって、
オスロック部、または、当該オスロック部と同様の他のオスロック部が連結可能なメスロック部を備え、
前記メスロック部と前記他のオスロック部とが連結されるロック状態となったとき、または、前記オスロック部と当該オスロック部と同様の他のメスロック部が連結されるロック状態となったとき、前記オスコネクタ部と前記メスコネクタ部とは、これらの前記内腔部同士が連通して、液体が流通可能に接続されることを特徴とするコネクタ。
【請求項２０】
内腔部を有する、メスコネクタ部を備え、前記各メスコネクタ部には、内腔部を有するオスコネクタ部が接続可能なコネクタであって、
オスロック部、または、当該オスロック部と同様の他のオスロック部が連結可能なメスロック部を備え、
前記メスロック部と前記他のオスロック部とが連結されるロック状態となったとき、または、前記オスロック部と当該オスロック部と同様の他のメスロック部が連結されるロック状態となったとき、前記メスコネクタ部と前記オスコネクタ部とは、これらの前記内腔部同士が連通して、液体が流通可能に接続されることを特徴とするコネクタ。
【請求項２１】
可撓性を有するチューブと、
前記チューブの少なくとも一方の端部に接続された請求の範囲第１項ないし第２０項のいずれかに記載のコネクタとを備えることを特徴とするチューブ組立体。
【請求項２２】
請求の範囲第１項ないし第２０項のいずれかに記載の少なくとも１つのコネクタと、
輸液の流路を構成し、その一端部が前記コネクタに接続可能なチューブ組立体と、
前記チューブ組立体の他端部に設けられ、輸液が収納された収納部側に接続される接続部と、
前記コネクタのオスコネクタ部またはメスコネクタ部と接続し得る輸液投与部側コネクタを有し、患者に対し、輸液を投与する輸液投与部とを備えていることを特徴とする輸液チューブセット。
【請求項２３】
可撓性を有し、液体を収納可能な容器本体と、該容器本体に固定された請求の範囲第１項ないし第２０項のいずれかに記載のコネクタとを備える医療用容器であって、
前記コネクタは、前記容器本体に対し液体が注入および／または排出されるポートを形成することを特徴とする医療用容器。
【発明の詳細な説明】
【技術分野】
【０００１】
本発明は、コネクタ、チューブ組立体、輸液チューブセットおよび医療用容器に関するものである。
【背景技術】
【０００２】
輸液、輸血、栄養投与等に用いる液体の流路接続を必要とする医療用具においては、薬液、血液、流動食等の液体を持続的、一時的に流す際、液体の流路（回路）の接続、脱離を必要に応じて行う必要がある。このとき、回路の途中に液体の流路同士を接続する接続具を取り付けることが知られている。【０００３】
このような接続具の代表的なものとしては、例えば、三方活栓（コネクタ）がある。このコネクタは、１つのオス型接続部と、２つのメス型接続部によって構成されている。複数のコネクタを用いて回路を形成するとき、一方のオス型接続部と他方のメス型接続部との嵌合によって回路の接続（形成）をおこなう。このとき、オス型接続部とメス型接続部と嵌合を維持するために、いわゆるルアーロックと呼ばれる固定をおこなう。なお、このルアーロックとは、雌ネジと雄ネジとの螺合による固定のことである。【０００４】
しかしながら、ルアーロックによる固定では、雌ネジと雄ネジとの螺合（回転）と同様に、複数のコネクタがそれぞれ回転してしまうため、それらの方向が定まり難くなる。このため、コネクタに接続されているチューブに捩れが生じるという問題があった。【０００５】
また、各コネクタの回転により、雌ネジと雄ネジとの螺合が不本意に解除されてしまう、すなわち、ルアーロックが不本意に解除されてしまうという問題もあった。【０００６】
このような問題に対し、予め複数のコネクタが接続された多連活栓が１枚の基台（基板）に設けられて（着脱自在に装着されて）いるコネクタ組立体がある。【０００７】
しかしながら、このコネクタ組立体では、例えば、予め設置されている複数のコネクタに他のコネクタを追加する場合には、基板が使用不可能となる。このため、前述したようなチューブの捩れやルアーロックの不本意な解除という問題が生じる。【０００８】
また、このような問題に対し、１枚の基板（プレート）に１つのコネクタ（コック）が固定されているコネクタ組立体がある（例えば、特開平７−６７９６８号公報参照）。【０００９】
このコネクタ組立体では、一方のオス型接続部と他方のメス型接続部との嵌合の維持は、プレート同士の接続によるものである。このため、例えば、コネクタとプレートとの互いの位置精度（寸法精度）が低い場合には、隣り合うコネクタ同士の位置ズレが生じて、これらのコネクタが確実に接続されないという問題があった。また、隣り合うコネクタ同士が確実に接続されないと、一方のオス型接続部と他方のメス型接続部との嵌合が容易に解除されてしまう、すなわち、一方のオス型接続部と他方のメス型接続部とが液体が流通可能に接続されないという問題があった。また、２つのコネクタ組立体同士の着脱における操作性が悪い（劣っている）という問題があった。
【発明の開示】
【００１０】
本発明の目的は、容易かつ確実にロック状態とすることができ、かつ、当該ロック状態で液体が確実に流通可能となるコネクタ、チューブ組立体、輸液チューブセットおよび医療用容器を提供することにある。
【００１１】
上記目的を達成するために、本発明は、
内腔部を有するオスコネクタ部と、該オスコネクタ部と同様の他のオスコネクタ部が接続可能な内腔部を有するメスコネクタ部とを備えるコネクタであって、
オスロック部と、
前記オスロック部と同様の他のオスロック部が連結可能なメスロック部とを備え、
前記メスロック部と前記他のオスロック部とが連結されるロック状態となったとき、前記メスコネクタ部と前記他のオスコネクタ部とは、これらの前記内腔部同士が連通して、液体が流通可能に接続されることを特徴とするコネクタである。
【００１２】
これにより、容易かつ確実にロック状態とすることができ、かつ、当該ロック状態で液体が確実に流通可能となる。
【００１３】
また、本発明のコネクタでは、前記メスコネクタ部と前記他のオスコネクタ部とが互いに近接する位置で、前記メスロック部と前記他のオスロック部とがハーフロック状態となるのが好ましい。
【００１４】
これにより、ハーフロック状態から容易にロック状態とすることができる。
【００１５】
また、本発明のコネクタでは、前記ロック状態が解除されると、前記液体の流通が遮断されるよう構成されているのが好ましい。
【００１６】
これにより、液体が漏れ出すのを確実に防止することができる。
【００１７】
また、本発明のコネクタでは、前記オスロック部は、オス側係合部が設けられている爪部と、該爪部を付勢する付勢部とを有しており、
前記メスロック部は、前記オスロック部と同様の他のオスロック部のオス側係合部と係合可能なメス側係合部を有しており、
前記メス側係合部と前記他のオスロック部のオス側係合部とが係合することにより、前記ロック状態となり、該ロック状態は、前記他のオスロック部のオス側係合部を前記付勢部の付勢力に抗して押圧することにより解除されるのが好ましい。
【００１８】
これにより、より容易かつ確実にロック状態とすることができる。
【００１９】
また、本発明のコネクタでは、前記オスロック部は、第１のオス側係合部が設けられ、互いに接近・離間可能な一対の爪部と、該両爪部が互いに離間するように付勢する付勢部とを有しており、
前記メスロック部は、前記オスロック部と同様の他のオスロック部の第１のオス側係合部と係合可能な第１のメス側係合部と、該第１のメス側係合部と前記他のオスロック部の第１のオス側係合部とが係合したとき該他のオスロック部の両爪部を互いに接近させるように操作可能な操作部とを有しており、
前記第１のメス側係合部と前記他のオスロック部の第１のオス側係合部とが係合することにより、前記ロック状態となるのが好ましい。
【００２０】
これにより、より容易かつ確実にロック状態とすることができる。
【００２１】
また、本発明のコネクタでは、前記爪部には、第２のオス側係合部が設けられており、
前記メスロック部には、第２のメス側係合部が設けられており、
前記第２のメス側係合部と前記他のオスロック部の各第２のオス側係合部とが係合することにより、前記メスコネクタ部と前記他のオスコネクタ部とが互いに近接するハーフロック状態となるのが好ましい。
【００２２】
これにより、ハーフロック状態から容易にロック状態とすることができる。
【００２３】
また、本発明のコネクタでは、前記オスロック部は、前記オスコネクタ部の外周側に、該オスコネクタ部と同心的に回転可能に設置され、その内周部にネジ山が形成された、筒状をなすリング部材で構成されており、
前記メスコネクタ部は、その外周部に、前記オスロック部と同様の他のオスロック部のネジ山と係合可能な突部が形成されており、
前記突部と前記他のオスロック部のネジ山とが係合することにより、前記ロック状態となるのが好ましい。
【００２４】
これにより、より容易かつ確実にロック状態とすることができる。
【００２５】
また、本発明のコネクタでは、前記オスコネクタ部と前記オスロック部とは、突出方向が互いに平行となるように隣接して設けられており、
前記メスコネクタ部と前記メスロック部とは、突出方向が互いに平行となるように隣接して設けられているのが好ましい。
【００２６】
これにより、メスコネクタ部と他のオスコネクタ部とを確認することによって、メスコネクタ部を有するコネクタと他のオスコネクタ部を有するコネクタとを正確（確実）に接続することができ、または、メスロック部と他のオスロック部とを確認することによっても、メスロック部を有するコネクタと他のオスロック部を有するコネクタとを正確（確実）に接続することができる。
【００２７】
また、本発明のコネクタでは、前記メスコネクタ部を複数備え、
少なくとも１つの前記メスコネクタ部と前記オスコネクタ部とは、それらの中心線が互いにほぼ直交するように配置されているのが好ましい。
【００２８】
これにより、コネクタ内を流通する液体の流れの方向を転換することができる。
【００２９】
また、本発明のコネクタでは、前記メスコネクタ部を複数備え、
少なくとも１つの前記メスコネクタ部と前記オスコネクタ部とは、それらの中心線が互いに平行で、かつ、前記メスコネクタ部の開口部と前記オスコネクタ部の開口部とが互いに反対の方向を向くように配置されているのが好ましい。
【００３０】
これにより、例えば、２つのコネクタ同士を接続する際、一方のオスコネクタ部と他方のメスコネクタ部とを接続することで、ほぼ直線的にコネクタ同士を接続することができる。
【００３１】
また、本発明のコネクタでは、前記メスコネクタ部を複数備え、前記各メスコネクタ部の開口部が互いに異なる方向に開口しているのが好ましい。
【００３２】
これにより、コネクタ内を流通する液体の流れの方向を転換することができる。
【００３３】
また、本発明のコネクタでは、弾性材料で構成され、前記ロック状態となったとき、前記メスコネクタ部と前記他のオスコネクタ部との接続の液密性を保持するシール部材をさらに備えるのが好ましい。
【００３４】
これにより、ロック状態で、メスコネクタ部と他のオスコネクタ部とが確実に液密に接続される。
【００３５】
また、本発明のコネクタでは、前記シール部材は、前記メスコネクタ部の内腔部に設置されており、前記ロック状態のときに前記他のオスコネクタ部の端部に密着する面と、該面に形成され、前記ロック状態のときに開くスリットとを有するのが好ましい。
【００３６】
これにより、ロック状態で、メスコネクタ部と他のオスコネクタ部とがより確実に液密に接続される。
【００３７】
また、本発明のコネクタでは、前記シール部材は、前記メスコネクタ部の開口部に設置されており、前記メスコネクタ部の内腔部に向って突出する収斂状をなす収斂部を有するのが好ましい。
【００３８】
これにより、ロック状態で、メスコネクタ部と他のオスコネクタ部とがより確実に液密に接続される。
【００３９】
また、本発明のコネクタでは、前記シール部材は、その形状がリング状をなしており、前記メスコネクタ部の内腔部の内周面に、その周方向に沿って設置されているのが好ましい。
【００４０】
これにより、ロック状態で、メスコネクタ部と他のオスコネクタ部とがより確実に液密に接続される。
【００４１】
また、本発明のコネクタでは、前記シール部材は、その形状がリング状をなしており、前記オスコネクタ部の外周側に、その周方向にそって設置されているのが好ましい。
【００４２】
これにより、ロック状態で、メスコネクタ部と他のオスコネクタ部とがより確実に液密に接続される。
【００４３】
また、本発明のコネクタでは、前記オスコネクタ部および前記メスコネクタ部を合計３つ以上備え、これらの前記内腔部のうち、任意の２つの前記内腔部を選択し、これらが連通するように、液体が流通する流路を切り替える流路切替手段をさらに備えるのが好ましい。
【００４４】
これにより、任意のタイミングで例えば液組成の異なる複数種類の液体を混合することができる。
【００４５】
また、本発明のコネクタでは、前記流路切替手段は、前記オスコネクタ部および前記メスコネクタ部に対し回動自在に設置され、前記各内腔部に対応する流路が形成されたコックで構成されており、該コックを回動操作することにより前記各内腔部の開閉を選択するのが好ましい。
【００４６】
これにより、任意のタイミングで例えば液組成の異なる複数種類の液体を混合することができる。
【００４７】
また、上記目的を達成するために、本発明は、
内腔部を有するオスコネクタ部を備え、前記オスコネクタ部には、内腔部を有するメスコネクタ部が接続可能なコネクタであって、
オスロック部、または、当該オスロック部と同様の他のオスロック部が連結可能なメスロック部を備え、
前記メスロック部と前記他のオスロック部とが連結されるロック状態となったとき、または、前記オスロック部と当該オスロック部と同様の他のメスロック部が連結されるロック状態となったとき、前記オスコネクタ部と前記メスコネクタ部とは、これらの前記内腔部同士が連通して、液体が流通可能に接続されることを特徴とするコネクタである。
【００４８】
これにより、容易かつ確実にロック状態とすることができ、かつ、当該ロック状態で液体が確実に流通可能となる。
【００４９】
また、上記目的を達成するために、本発明は、
内腔部を有するメスコネクタ部を備え、前記メスコネクタ部には、内腔部を有するオスコネクタ部が接続可能なコネクタであって、
オスロック部、または、当該オスロック部と同様の他のオスロック部が連結可能なメスロック部を備え、
前記メスロック部と前記他のオスロック部とが連結されるロック状態となったとき、または、前記オスロック部と当該オスロック部と同様の他のメスロック部が連結されるロック状態となったとき、前記メスコネクタ部と前記オスコネクタ部とは、これらの前記内腔部同士が連通して、液体が流通可能に接続されることを特徴とするコネクタである。
【００５０】
これにより、容易かつ確実にロック状態とすることができ、かつ、当該ロック状態で液体が確実に流通可能となる。
【００５１】
また、上記目的を達成するために、本発明は、
可撓性を有するチューブと、
前記チューブの少なくとも一方の端部に接続された請求の範囲第１項ないし第２０項のいずれかに記載のコネクタとを備えることを特徴とするチューブ組立体である。
【００５２】
これにより、容易かつ確実にロック状態とすることができ、かつ、当該ロック状態で液体が確実に流通可能となる。
【００５３】
また、上記目的を達成するために、本発明は、
請求の範囲第１項ないし第２０項のいずれかに記載の少なくとも１つのコネクタと、
輸液の流路を構成し、その一端部が前記コネクタに接続可能なチューブ組立体と、
前記チューブ組立体の他端部に設けられ、輸液が収納された収納部側に接続される接続部と、
前記コネクタのオスコネクタ部またはメスコネクタ部と接続し得る輸液投与部側コネクタを有し、患者に対し、輸液を投与する輸液投与部とを備えていることを特徴とする輸液チューブセットである。
【００５４】
これにより、容易かつ確実にロック状態とすることができ、かつ、当該ロック状態で液体が確実に流通可能となる。
【００５５】
また、上記目的を達成するために、本発明は、
可撓性を有し、液体を収納可能な容器本体と、該容器本体に固定された請求の範囲第１項ないし第２０項のいずれかに記載のコネクタとを備える医療用容器であって、
前記コネクタは、前記容器本体に対し液体が注入および／または排出されるポートを形成することを特徴とする医療用容器である。
【００５６】
これにより、容易かつ確実にロック状態とすることができ、かつ、当該ロック状態で液体が確実に流通可能となる。
【図面の簡単な説明】
【００５７】
【図１】第１図は、本発明のコネクタの第１実施形態を示す斜視図である。
【図２】第２図は、本発明のコネクタの第１実施形態を示す斜視図である。
【図３】第３図は、本発明のコネクタの第１実施形態を示す斜視図である。
【図４】第４図は、第１図中のＡ−Ａ線断面図である。
【図５】第５図は、第１図中のＡ−Ａ線断面図である。
【図６】第６図は、第２図中のＢ−Ｂ線断面図である。
【図７】第７図は、第１図（第２図および第３図も同様）に示すコネクタが備える弁体（シール部材）を示す斜視図である。
【図８】第８図は、第１図中のＣ−Ｃ線断面図である。
【図９】第９図は、第３図中のＤ−Ｄ線断面図である。
【図１０】第１０図は、本発明のコネクタの第２実施形態を示す縦断面図である。
【図１１】第１１図は、本発明のコネクタの第２実施形態を示す縦断面図である。
【図１２】第１２図は、本発明のコネクタの第３実施形態を示す縦断面図である。
【図１３】第１３図は、本発明のコネクタの第３実施形態を示す縦断面図である。
【図１４】第１４図は、本発明のコネクタの第４実施形態を示す縦断面図である。
【図１５】第１５図は、本発明のコネクタの第４実施形態を示す縦断面図である。
【図１６】第１６図は、本発明のコネクタの第５実施形態を示す斜視図である。
【図１７】第１７図は、本発明のコネクタの第６実施形態を示す斜視図である。
【図１８】第１８図は、第１７図中のＥ−Ｅ線断面図である。
【図１９】第１９図は、第１７図中のＦ−Ｆ線断面図である。
【図２０】第２０図は、本発明のコネクタの第７実施形態を示す斜視図である。
【図２１】第２１図は、第２０図に示すコネクタにおける流路切り替えパターンを示す側面図である。
【図２２】第２２図は、第２０図に示すコネクタにおける流路切り替えパターンを示す側面図である。
【図２３】第２３図は、第２０図に示すコネクタにおける流路切り替えパターンを示す側面図である。
【図２４】第２５図は、第２０図に示すコネクタにおける流路切り替えパターンを示す側面図である。
【図２５】第２５図は、本発明のコネクタの第８実施形態を示す斜視図である。
【図２６】第２６図は、本発明のコネクタの第９実施形態を示す側面図である。
【図２７】第２７図は、本発明の輸液チューブセットの平面図である。
【図２８】第２８図は、第２７図に示す輸液チューブセットの各輸液チューブを接続した状態を示す平面図である。
【図２９】第２９図は、第２８図に示す輸液チューブセットにおける接続された２つの本発明のコネクタの斜視図である。
【図３０】第３０図は、本発明のチューブ組立体の部分縦断面図である。
【図３１】第３１図は、本発明の医療用容器の斜視図である。
【図３２】第３２図は、本発明の医療用容器の斜視図である。
【発明を実施するための最良の形態】
【００５８】
以下、本発明のコネクタ、チューブ組立体、輸液チューブセットおよび医療用容器を添付図面に示す好適実施形態に基づいて詳細に説明する。【００５９】
＜第１実施形態＞
第１図〜第３図は、それぞれ、本発明のコネクタの第１実施形態を示す斜視図、第４図および第５図は、それぞれ、第１図中のＡ−Ａ線断面図、第６図は、第２図中のＢ−Ｂ線断面図、第７図は、第１図（第２図および第３図も同様）に示すコネクタが備える弁体（シール部材）を示す斜視図、第８図は、第１図中のＣ−Ｃ線断面図、第９図は、第３図中のＤ−Ｄ線断面図、第２７図は、本発明の輸液チューブセットの平面図、第２８図は、第２７図に示す輸液チューブセットの各輸液チューブを接続した状態を示す平面図、第２９図は、第２８図に示す輸液チューブセットにおける接続された２つの本発明のコネクタの斜視図である。【００６０】
なお、説明の都合上、コネクタの長手方向を「ｘ軸方向」、ｘ方向に垂直な方向をそれぞれ「ｙ軸方向」、「ｚ軸方向」という。また、第７図〜第９図、第２７図および第２８図においては、図中の下側を「先端」、上側を「基端」として説明する。【００６１】
第２７図および第２８図に示す輸液チューブセット（輸液セット）１は、生体（患者）に輸液を注入（投与）する装置（セット）である。【００６２】
輸液には、例えば、薬液、補正用電解質液、生理食塩水等、生体に投与し得るあらゆる液が含まれる。【００６３】
また、薬液中の薬剤の種類は、特に限定されず、例えば、鎮静薬、静脈麻酔薬、麻酔系鎮痛薬、局所麻酔薬、非脱分極性筋弛緩薬、昇圧薬、降圧薬、冠血管拡張薬、利尿薬、抗不整脈薬、気管支拡張薬、止血剤、ビタミン剤、抗生剤、脂肪乳剤等いかなるものでもよい。【００６４】
第２７図に示すように、輸液チューブセット１は、第１の輸液チューブ（第１のチューブ組立体（チューブ組立体））４ｂと、第２の輸液チューブ（第２のチューブ組立体（チューブ組立体））４ａと、第１の輸液チューブ４ｂおよび第２の輸液チューブ４ａのそれぞれの一端部が接続可能なコネクタ５Ａと、第１の輸液チューブ４ｂおよび第２の輸液チューブ４ａのそれぞれの他端部に設けられる瓶針４５１（接続部）と、患者に対し輸液を投与する輸液投与部２とを備えている。以下、これらの各構成要素について順次説明する。【００６５】
第１図〜第３図に示すように、コネクタ５Ａは、オスコネクタ部（オス形状コネクタ部）６と、メスコネクタ部（メス形状コネクタ部）７Ａおよび７Ｂと、オスロック部（オス形状ロック部）８Ａと、メスロック部（メス形状ロック部）９Ａおよび９Ｂと、弁体（シール部材）５１とを備えている。なお、第１図〜第３図は、それぞれ、コネクタ５Ａとコネクタ５Ａ’との接続前状態、コネクタ５Ａとコネクタ５Ａ’とのハーフロック状態、コネクタ５Ａとコネクタ５Ａ’とのロック状態を示している。【００６６】
ここで、「コネクタ５Ａ’」とは、コネクタ５Ａと同様のオスコネクタ部６およびオスロック部８Ａとを備えているコネクタのことである。【００６７】
また、「ハーフロック（仮止め）状態」とは、コネクタ５Ａとコネクタ５Ａ’とが完全に接続されていない状態、すなわち、コネクタ５Ａとコネクタ５Ａ’とを容易に離間させることができる状態のことである。【００６８】
また、「ロック状態」とは、コネクタ５Ａ（メスロック部９Ｂ）とコネクタ５Ａ’（オスロック部８Ａ）とが完全に接続された状態、すなわち、後述するコネクタ５Ａのメスロック部９Ｂの操作部９３を操作しない限り、コネクタ５Ａとコネクタ５Ａ’との接続が解除されない状態のことである。【００６９】
第１図に示すように、オスコネクタ部６は、オスコネクタ部本体６１と、管状部６２とを有している。【００７０】
管状部６２は、オスコネクタ部本体６１からｘ軸正方向に突出して形成されている。この管状部６２は、液体が通過する液体流路（内腔部）６２１と、ルアーテーパ部６２２とを有している。【００７１】
液体流路６２１は、オスコネクタ部本体６１内に連通している。【００７２】
ルアーテーパ部６２２は、オスコネクタ部６の開口部６２３側の外周部に、その外径が開口部６２３の方向（ｘ軸正方向）に向かって漸減するように形成されている。【００７３】
メスコネクタ部７Ａおよび７Ｂは、それぞれ、コネクタ５Ａ’のオスコネクタ部６が接続可能な部位である。メスコネクタ部７Ａとメスコネクタ部７Ｂとの形状（構成）は、ほぼ同一であるため、以下、メスコネクタ部７Ｂについて代表的に説明する。【００７４】
第８図に示すように、メスコネクタ部７Ｂは、メスコネクタ部本体７２と、蓋部（キャップ）７３とを備えている。【００７５】
第８図に示すメスコネクタ部本体７２には、形状が有底筒状の弁体設置部７２１が形成されている。この弁体設置部７２１は、内部の基端側に第２の内腔部（内腔部）７２３と、先端側に第２の内腔部７２３と連通する第３の内腔部（内腔部）７２４とが形成されている。第２の内腔部７２３は、その内径が、後述する蓋部７３に形成された第１の内腔部（内腔部）７３１より拡径しており、第３の内腔部７２４（内周面７２８）は、その内径が第２の内腔部７２３より縮径している。この第３の内腔部７２４の内径は、後述する弁体５１の胴部５５（外周面５５１）の最大外径より若干大きいのが好ましい。【００７６】
また、弁体設置部７２１（メスコネクタ部本体７２）の底面７２２の中心部には、管状体で構成された内部突起７２５が設けられている。オスコネクタ部６を第１の内腔部７３１（接続口７３２）に接続して、弁体５１が押圧され始めたとき、この内部突起７２５により、弁体５１の内部（内側）が支えられて、弁体５１に座屈が生じる（弁体５１がくの字状に折れる）のを防止することができる（第９図参照）。また、液体がコネクタ５Ａ内を通過するに際し、液体の滞留が生じるのを防ぐことができる。【００７７】
また、この内部突起７２５は、その内腔が、オスコネクタ部本体６１の内部に形成され、液体が通過可能な流路６１１に連通している。これにより、第２の内腔部７２３と第３の内腔部７２４とは、内部突起７２５を介して流路６１１に連通している。【００７８】
また、弁体設置部７２１の外周面７２６の先端側には、基端側より拡径した段差部７２７が設けられている。【００７９】
第８図に示す蓋部７３は、内部に弁体５１を収納する空間（内腔部）を有し、メスコネクタ部本体７２の弁体設置部７２１に連結されるものである。【００８０】
蓋部７３の内部には、後述する弁体５１の頭部５０が挿入可能な第１の内腔部７３１と、第１の内腔部７３１に連通し、第１の内腔部７３１より拡径した嵌合部７３３とが形成されている。【００８１】
第１の内腔部７３１は、その形状が弁体５１の頭部５０の外形に対応するよう形成されている。また、第１の内腔部７３１の基端側には、オスコネクタ部６を接続するための接続口（接続部）７３２が形成されており、その径は、第１の内腔部７３１の先端側の径より縮径している。【００８２】
第１の内腔部７３１の内周面７３４には、第１の内腔部７３１の径方向に突出した複数のリブ７３５が、内周面７３４の周方向に沿って等間隔に設けられている。オスコネクタ部６をコネクタ５Ａ（接続口７３２）に接続したとき、このリブ７３５により、弁体５１が支えられて、弁体５１に座屈が生じる（弁体５１が倒れる）のを防止することができる。また、リブ７３５の個数は、特に限定されず、例えば、２〜１０個であるのが好ましく、４〜８つであるのがより好ましい。【００８３】
嵌合部７３３の先端側には、弁体設置部７２１の段差部７２７と嵌合する段差部７３６が形成されており、その径は、嵌合部７３３の基端側の径より拡径している。また、段差部７３６の内径は、弁体設置部７２１の段差部７２７の外径とほぼ同等またはそれより若干小さいのが好ましい。これにより、蓋部７３（段差部７３６）とメスコネクタ部本体７２（段差部７２７）とが強固に嵌合（連結）する（液密に接する）ことができ、よって、コネクタ５Ａの内部の液体が漏れるのを防止することができる。また、蓋部７３とメスコネクタ部本体７２とが連結した際、第１の内腔部７３１と第２の内腔部７２３とが連通し、第１の内腔部７３１、第２の内腔部７２３および第３の内腔部７２４で形成された空間に弁体５１を設置（収納）することができる。【００８４】
なお、メスコネクタ部本体７２と蓋部７３との固定方法としては、嵌合に限定されず、例えば、かしめ、接着剤による接着、熱融着、超音波融着等の融着等であってもよい。【００８５】
第１図（第２図および第３図も同様）に示すように、メスコネクタ部７Ａは、オスコネクタ部本体６１（オスコネクタ部６）に対し、ｘ軸負方向に設けられている。すなわち、メスコネクタ部７Ａは、その中心線がオスコネクタ部６の中心線と平行で、かつ、メスコネクタ部７Ａの開口部７１とオスコネクタ部６の開口部６２３とが互いに反対の方向を向くように配置されている。【００８６】
これにより、例えば、２つのコネクタ５同士を接続する際、一方のオスコネクタ部６と他方のメスコネクタ部７Ａとを接続することで、ほぼ直線的にコネクタ５同士を接続することができる。【００８７】
メスコネクタ部７Ｂは、オスコネクタ部本体６１（オスコネクタ部６）に対し、ｚ軸正方向に設けられている。すなわち、メスコネクタ部７Ｂは、その中心線がオスコネクタ部６の中心線とほぼ直交するように設けられている。【００８８】
このようなメスコネクタ部７Ａおよび７Ｂが設けられていることにより、異なる２方向から液体をオスコネクタ部６へ送ることができたり、オスコネクタ部６からの液体を異なる２方向へ分岐させたりすることができる。【００８９】
また、例えばメスコネクタ部７Ｂにコネクタ５Ａ’のオスコネクタ部６を接続したとき、コネクタ５Ａ’のルアーテーパ部６２２がメスコネクタ部７Ｂの接続口７３２の縁部（内周部）に確実に嵌合する、すなわち、メスコネクタ部７Ｂにコネクタ５Ａ’のオスコネクタ部６とが液密に接続される（第９図参照）。【００９０】
第８図および第９図に示すように、メスコネクタ部７Ａ内およびメスコネクタ部７Ｂ内には、それぞれ、弁体５１が収納（固定）されている。【００９１】
各弁体５１は、弾性材料で構成されている。この弾性材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。このような弾性材料を用いることにより、弁体５１の頂面５１１に適度な弾性を得ることができ、よって、頂面５１１がオスコネクタ部６の開口部（端部）６２３に密着ことができる（第９図参照）。【００９２】
第７図に示すように、弁体５１は、頭部５０と、頭部５０の先端側に設けられた（形成された）胴部５５とを有している。【００９３】
第８図に示すように、頭部５０は、その形状が有底筒状をなしており、液体が通過可能な内腔部５１５と、平面状の頂面５１１（底部５１３）から内腔部５１５に到達するスリット５１２とが形成されている。このスリット５１２は、その形状がほぼ一文字状をなしている。スリット５１２がこのように簡単な形状であることにより、より容易に（確実に）スリット５１２が開口する（開く）ことができる。また、頂面５１１が平面状をなしていることにより、頂面５１１（スリット５１２）を容易に消毒することができる。【００９４】
第１図に示すように、頂面５１１は、メスコネクタ部７Ａの開口部７１から露出している。また、この頂面５１１は、メスコネクタ部７Ａの端面とほぼ同一平面上に位置している。【００９５】
頭部５０は、その頂面５１１付近の外径が胴部５５に向って（ｚ軸負方向に向って）漸増するテーパ状をなすテーパ部５６と、その先端に設けられた外径一定部５７とを有している。【００９６】
また、テーパ部５６には、テーパ部５６の一部を除去した切欠き部（欠損部）５６１が形成されている。すなわち、頭部５０には、テーパ部５６と外径一定部５７とをまたぐように除去した切欠き部５６１が形成されている。【００９７】
これにより、コネクタ５Ａに接続（挿入）されているオスコネクタ部６を抜去したとき、すなわち、ロック状態を解除したとき、弁体５１（頭部５０）が蓋部７３の第１の内腔部７３１により容易に入り込むことができ、よって、より確実にスリット５１２が閉じることができる。【００９８】
また、頭部５０は、スリット５１２が閉じる際に押される、突出した２つの当接部５２を備えている。これら２つの当接部５２は、それぞれ、頭部５０の頂面５１１付近に形成され、スリット５１２が閉じる方向（第７図中、矢印方向）と反対方向に突出している。【００９９】
このような当接部５２により、頭部５０が蓋部７３の第１の内腔部７３１に挿入されているとき、第１の内腔部７３１の内周面７３４が当接部５２を押圧するため、スリット５１２をより確実に閉じることができる（第８図参照）。また、これにより、コネクタ５Ａ内の液体の圧力（内圧）に対する、弁体５１（スリット５１２）の耐圧性を向上させることができる。【０１００】
以上のように構成された頭部５０は、オスコネクタ部６が接続されていないとき、スリット５１２が閉じた状態で蓋部７３の第１の内腔部７３１に挿入されている（第８図参照）。【０１０１】
第７図に示すように、胴部５５は、蛇腹状をなした筒状体で構成されている。すなわち、胴部５５は、外形において大径リング部５５２と小径リング部５５３とが軸方向に交互に配列された蛇腹状をなしている。このような胴部５５は、弁体５１をその先端側から基端側に向って（頭部５０が蓋部７３の第１の内腔部７３１に挿入される方向に）付勢する変形部（付勢手段）として機能している。【０１０２】
このように胴部５５が変形部として機能していることにより、別途に付勢手段を構成するための部品をコネクタ５Ａに設ける必要がなく、部品点数の減少、構造の簡素化に寄与することができる。【０１０３】
また、この胴部５５は、弁体５１がその先端側から基端側に向って復元する復元力の大半を担っているが、頭部５０がその復元力の一部を担っいてもよい。【０１０４】
また、胴部５５（筒状体）において、その蛇腹状の箇所における凸部（大径リング部５５２）の個数は、３つまたは４つである。すなわち、その蛇腹状の箇所における凹部（小径リング部５５３）の個数は、４つまたは５つである。【０１０５】
また、スリット５１２は、第９図に示す構成ではオスコネクタ部６の押圧により開口するものであるが、これに限定されず、例えば、オスコネクタ部６の穿通により開口するもの、弁体５１内（メスコネクタ部７Ｂ内）に設けられた針やピンの穿通により開口するものであってもよい。【０１０６】
第１図に示すように、オスロック部８Ａは、基部（オスロック部本体）８１と、基部８１から突出する突出部８２と、突出部８２に設けられた一対の爪部８３Ａ、８３Ａと、各爪部８３Ａを付勢する付勢部８４とを有している。【０１０７】
基部８１は、その形状が長尺状をなしている。【０１０８】
基部８１（オスロック部８Ａ）のｙ軸正方向には、基部８１に隣接してオスコネクタ部６のオスコネクタ部本体６１が固着（固定）されている。また、基部８１のｘ軸正方向には、その方向に突出した突出部８２が形成されている。【０１０９】
突出部８２のｚ軸方向（第１図中の上下方向）には、それぞれ、爪部８３Ａおよび８３Ａが設けられている。両爪部８３Ａ、８３Ａは、それぞれの端部８３１が互いにｚ軸方向に接近・離間する。【０１１０】
各爪部８３Ａの端部８３１には、当該端部８３１の一部を切欠いた（欠損させた）ような第１のオス側係合部８３２が設けられている。【０１１１】
また、各爪部８３Ａのｙ軸方向に面する両側面には、それぞれ、凹状の第２のオス側係合部８３３が設けられている。【０１１２】
第２のオス側係合部８３３の深さは、特に限定されないが、例えば、０．０５〜０．６ｍｍであるのが好ましく、０．１〜０．４ｍｍであるのがより好ましい。【０１１３】
付勢部８４は、突出部８２と爪部８３Ａとの間に設けられている。この付勢部８４は、両爪部８３Ａ、８３Ａのそれぞれの端部８３１（第１のオス側係合部８３２）が互いに離間するように各爪部８３Ａを付勢する。【０１１４】
このような構成のオスロック部８Ａは、オスコネクタ部６と対応する（隣接した）位置にある（第１図参照）。また、オスロック部８Ａとオスコネクタ部６とは、それぞれ、ｘ軸方向に沿って形成されている、すなわち、接続方向（突出方向）が互いに平行となっている。【０１１５】
第１図に示すように、メスロック部９Ａおよび９Ｂは、それぞれ、コネクタ５Ａ’のオスロック部８Ａが連結可能な部位である。【０１１６】
メスロック部９Ａは、基部８１（オスロック部８Ａ）に対し、ｘ軸負方向に設けられている。また、メスロック部９Ｂは、基部８１（オスロック部８Ａ）に対し、ｚ軸正方向に設けられている。メスロック部９Ａとメスロック部９Ｂとの形状（構成）は、ほぼ同一であるため、以下、メスロック部９Ｂについて代表的に説明する。【０１１７】
メスロック部９Ｂは、全体形状としてほぼ管状をなしている。【０１１８】
第４図および第６図に示すように、メスロック部９Ｂには、コネクタ５Ａ’のオスロック部８Ａの各第１のオス側係合部８３２と係合可能な第１のメス側係合部９１と、コネクタ５Ａ’のオスロック部８Ａの各第２のオス側係合部８３３と係合可能な第２のメス側係合部９２と、コネクタ５Ａ’のオスロック部８Ａの各爪部８３Ａを操作可能な操作部９３とが設けられている。【０１１９】
第４図に示すように、第１のメス側係合部９１は、メスロック部９Ｂの開口部９４側の内周部の大きさがｚ軸負方向（第４図中、左方向）に向って漸減するように形成されている。第４図（ｃ）に示すように、第１のメス側係合部９１の端部９１１が、コネクタ５Ａ’のオスロック部８Ａの第１のオス側係合部８３２に係合することにより、コネクタ５Ａ（メスロック部９Ｂ）とコネクタ５Ａ’（オスロック部８Ａ）とがロック状態となる。【０１２０】
第６図に示すように、第２のメス側係合部９２は、メスロック部９Ｂの内周部の途中に突出して設けられている。第６図（ｂ）に示すように、第２のメス側係合部９２がコネクタ５Ａ’のオスロック部８Ａの第２のオス側係合部８３３に係合することにより、コネクタ５Ａとコネクタ５Ａ’とがハーフロック状態となる。【０１２１】
第５図に示すように、操作部９３は、第１のメス側係合部９１に対して、ｚ軸負方向に設けられた小片で構成されている。この操作部９３は、ロック状態のコネクタ５Ａ’（オスロック部８Ａ）の両爪部８３Ａの端部８３１を互いに接近させるように、各爪部８３Ａを操作（押圧）する。【０１２２】
また、操作部９３は、その外面が第１のメス側係合部９１の外面とほぼ同一面上にあるように形成されている。これにより、操作部９３に対して不本意に触れる（押圧する）のを防止することができる。すなわち、ロック状態を不本意に解除するのを防止することができる。【０１２３】
このような構成のメスロック部９Ｂは、メスコネクタ部７Ｂと対応する（隣接する）位置にある（第１図参照）。また、メスロック部９Ｂとメスコネクタ部７Ｂとは、それぞれ、ｚ軸方向に沿って形成されている、すなわち、接続方向（形成方向）が互いに平行となっている。【０１２４】
このように、コネクタ５Ａでは、オス同士（オスロック部８Ａおよびオスコネクタ部６）、メス同士（メスロック部９Ｂおよびメスコネクタ部７Ｂ）がそれぞれ対応している。これにより、メスコネクタ部７Ｂとオスコネクタ部６とを確認することによって、コネクタ５Ａとコネクタ５Ａ’とを正確（確実）に接続することができ、または、メスロック部９Ｂとオスロック部８Ａとを確認することによっても、コネクタ５Ａとコネクタ５Ａ’とを正確（確実）に接続することができる。【０１２５】
なお、第２のオス側係合部８３３の形成数は、４つに限定されず、例えば、２つ、６つなどの偶数個であってもよい。【０１２６】
また、ハーフロック状態における第２のメス側係合部９２が第２のオス側係合部８３３に係合する深さは、特に限定されないが、例えば、０．０２〜０．５ｍｍであるのが好ましく、０．１５〜０．３５ｍｍであるのがより好ましい。これにより、第２のメス側係合部９２と第２のオス側係合部８３３との係合力を適宜設定することができる。【０１２７】
また、コネクタ５Ａの弁体５１を除く部位の構成材料としては、特に限定されず、それぞれ、例えば、ポリエチレン、ポリプロピレン、ポリブタジエン等のポリオレフィン、ポリウレタン、ポリスチレン、ポリメチルメタクリレート等のアクリル系樹脂、ポリカーボネート、ポリアミド、ポリエチレンテレフタレート等のポリエステル、ＡＢＳ樹脂、ＡＳ樹脂、アイオノマー等のフッ素系樹脂等の各種樹脂材料、ポリウレタン系、ポリエステル系、ポリアミド系、オレフィン系、スチレン系等の各種熱可塑性エラストマー、ステンレス鋼、アルミニウム、チタン等の各種金属材料、各種ガラス材等が挙げられ、これらを単独であるいは任意に組み合わせて（例えば複合材料として）用いることができる。【０１２８】
次に、コネクタ５Ａとコネクタ５Ａ’との接続過程（ハーフロック状態、ロック状態）について説明する。【０１２９】
第１図（第６図（ａ））に示すように、コネクタ５Ａとコネクタ５Ａ’とが互いに離間した状態から、コネクタ５Ａ’のオスロック部８Ａをコネクタ５Ａのメスロック部９Ｂに接近させる。【０１３０】
第４図（ａ）に示すように、コネクタ５Ａ’のオスロック部８Ａがコネクタ５Ａのメスロック部９Ｂ内に挿入されるのに伴って、コネクタ５Ａの第１のメス側係合部９１がコネクタ５Ａ’の付勢部８４の付勢力に抗して、コネクタ５Ａ’の爪部８３Ａを押圧する。【０１３１】
第４図（ｂ）に示すように、コネクタ５Ａ’のオスロック部８Ａをコネクタ５Ａのメスロック部９Ｂ内にさらに押し込むと、第６図（ｂ）に示すように、コネクタ５Ａ’の第２のオス側係合部８３３がコネクタ５Ａの第２のメス側係合部９２に係合する、すなわち、コネクタ５Ａ’とコネクタ５Ａとがハーフロック状態となる。このとき、コネクタ５Ａ’のオスコネクタ部６（開口部６２３）とコネクタ５Ａのメスコネクタ部７Ｂ（頂面５１１）とが互いに当接（近接）している（第２図参照）。これにより、ハーフロック状態からロック状態へ変化させるときに、コネクタ５Ａ’のオスコネクタ部６の端面（開口部６２３）が確実にコネクタ５Ａの弁体５１の頂面５１１を迅速に押圧することができる。【０１３２】
コネクタ５Ａ’のオスロック部８Ａをコネクタ５Ａのメスロック部９Ｂ内にさらに押し込むと、コネクタ５Ａ’の第２のオス側係合部８３３とコネクタ５Ａの第２のメス側係合部９２との係合が外れる、すなわち、ハーフロック状態が解除される。【０１３３】
この状態から、コネクタ５Ａ’のオスロック部８Ａとコネクタ５Ａのメスロック部９Ｂとをさらに接近させると、コネクタ５Ａ’の第１のオス側係合部８３２がコネクタ５Ａの第１のメス側係合部９１に係合する、すなわち、コネクタ５Ａ’とコネクタ５Ａとがロック状態となる（第４図（ｃ）参照）。このように、コネクタ５Ａ’とコネクタ５Ａとをハーフロック状態から容易にロック状態とすることができる。【０１３４】
なお、ハーフロック状態のとき、コネクタ５Ａ’のオスコネクタ部８Ａとコネクタ５Ａの弁体５１とが互いに近接しているが、この場合、これらが互いに密着していてもよい。【０１３５】
第９図に示すように、ロック状態のとき、コネクタ５Ａ’のオスコネクタ部６の開口部６２３がコネクタ５Ａの頭部５０の頂面５１１を軸方向に押圧している。これにより、胴部５５が軸方向に変形し（圧縮され）、頭部５０が第１の内腔部７３１から移動して、第２の内腔部７２３に入り込む。頭部５０は、それまで第１の内腔部７３１内で第１の内腔部７３１の内周面７３４に規制されていたが、第２の内腔部７２３に移動したことにより、頭部５０の外周面の規制が解除または緩和され、その結果、軸方向の圧縮により、第９図中の矢印方向に充分に拡径することができる、すなわち、充分に変形することができる。従って、スリット５１２が確実かつ充分に開く（開口する）ことができる。また、これにより、弁体５１（スリット５１２）を介して、コネクタ５Ａ’のオスコネクタ部６の液体流路６２１と、コネクタ５Ａのメスコネクタ部７Ｂの内部突起７２５の内腔部（中空部）とが連通する、すなわち、流通可能に接続され、よって、例えば、輸液、輸血、栄養投与等の際、液体が円滑に通過することができる。【０１３６】
また、ロック状態のとき、弁体５１の胴部５５の付勢力に抗して、コネクタ５Ａ’のオスコネクタ部６の開口部６２３が弁体５１の頭部５０を押圧するため、当該オスコネクタ部６の開口部６２３と頭部５０（弁体５１）の頂面５１１とが密着する。これにより、オスコネクタ部６とメスコネクタ部７Ｂとの接続の液密性を保持することができる、すなわち、これらを確実に液密に接続することができる。【０１３７】
また、コネクタ５Ａ’とコネクタ５Ａとのロック状態の解除は、コネクタ５Ａの操作部９３を操作することにより行われる。【０１３８】
換言すれば、第５図（ａ）に示すロック状態から、第５図（ｂ）に示すように、コネクタ５Ａの操作部９３でコネクタ５Ａ’の爪部８３Ａを押圧する。これにより、コネクタ５Ａの第１のメス側係合部９１と、コネクタ５Ａ’の第１のオス側係合部８３２との係合が外れる（解除される）。このとき、弁体５１の頭部５０は、胴部５５の復元力により再度第１の内腔部７３１に移動し、前述したようにスリット５１２が閉じる。これにより、コネクタ５Ａとコネクタ５Ａ’との間の液体の流通が遮断され、よって、液体が例えばコネクタ５Ａから漏れ出すのを確実に防止することができる。【０１３９】
その後、第５図（ｃ）に示すように、コネクタ５Ａ’を引くと、コネクタ５Ａ’とコネクタ５Ａとが互いに離間する。【０１４０】
なお、前記係合が外れるとき、コネクタ５Ａのメスコネクタ部７Ｂと、コネクタ５Ａ’のオスコネクタ部６との嵌合力が小さい場合、弁体５１の付勢力により、コネクタ５Ａ’がコネクタ５Ａから弾かれるように離脱する。すなわち、コネクタ５Ａ’をコネクタ５Ａから容易に離脱させることができる。【０１４１】
また、離脱の際には、コネクタ５Ａ’の付勢部８４の付勢力（弾性力）を爪部８３Ａのコネクタ５Ａの第１のメス側係合部９１の内周面に対する反発力として利用することができる。【０１４２】
また、このようにコネクタ５Ａ’がコネクタ５Ａから弾かれるように離脱することができることにより、例えば、コネクタ５Ａ’とコネクタ５Ａとの接続が緩い場合には、コネクタ５Ａ’がコネクタ５Ａから弾かれる。これにより、コネクタ５Ａ’とコネクタ５Ａとがロック状態であるか否かを確認することができる。【０１４３】
また、前記嵌合力が大きい場合には、弾かれるように離脱しないため、コネクタ５Ａ内を流通した液体（例えば、周辺へ飛散しない方がよい抗癌剤などの液体）が周辺（外部）へ飛散するのを防止または抑制することができる。【０１４４】
このように、コネクタ５Ａとコネクタ５Ａ’とは、コネクタ５Ａ’のオスロック部８Ａをコネクタ５Ａのメスロック部９Ｂ内に押し込むという簡単な操作で、コネクタ５Ａとコネクタ５Ａ’と完全に接続することができる、すなわち、確実にロック状態とすることができる。【０１４５】
また、ロック状態となるのとほぼ同時に、コネクタ５Ａのメスコネクタ部７Ｂとコネクタ５Ａ’のオスコネクタ部６とが液密に接続される。【０１４６】
また、ハーフロック状態では、弁体５１の変形が抑制（防止）されている。例えば、コネクタ５Ａとコネクタ５Ａ’とがハーフロック状態の輸液チューブセット１を出荷した場合、この輸液チューブセット１が使用されるまでの弁体５１が長時間変形するのが防止される。これにより、弁体５１が塑性変形して、スリット５１２が常時開口した状態となるのを防止することができる。【０１４７】
また、図示の構成では、ロック状態のとき、コネクタ５Ａ’のオスコネクタ部６のルアーテーパ部６２２と、コネクタ５Ａのメスコネクタ部７Ｂの接続口７３２の内周部とが嵌合（密着）しているが、これに限定されず、これらが嵌合していなくてもよい、すなわち、これらの間に間隙が形成されていてもよい。なお、コネクタ５Ａ’のオスコネクタ部６のルアーテーパ部６２２と、コネクタ５Ａのメスコネクタ部７Ｂの接続口７３２の内周部とが嵌合している場合には、コネクタ５Ａ’のオスコネクタ部６と、コネクタ５Ａのメスコネクタ部７Ｂとがより液密に接続される。【０１４８】
また、コネクタ５Ａは、1つのオスコネクタ部６と、２つのメスコネクタ部７Ａおよび７Ｂと、１つのオスロック部８Ａと、２つのメスロック部９Ａおよび９Ｂとで構成されたものであるが、これに限定されず、例えば、１つのオスコネクタ部６と、１つのオスロック部８Ａまたは１つのメスロック部９Ａ（メスロック部９Ｂも同様）とで構成されたものであってもよいし、１つのメスコネクタ部７Ａ（メスコネクタ部７Ｂも同様）と、１つのオスロック部８Ａまたは１つのメスロック部９Ａ（メスロック部９Ｂも同様）とで構成されたものであってもよい。【０１４９】
第２７図に示すように、輸液投与部２は、患者の血管１１０に留置される留置針またはカテーテル（本実施形態では、留置針２１）と、この留置針またはカテーテル（本実施形態では、留置針２１）の基端部に接続された輸液投与部側コネクタ２６とを有している。【０１５０】
留置針２１（またはカテーテル）の構成材料としては、留置する部位によっては、翼付静注針など金属の針のものでもよいが、好ましくは可撓性を有する高分子材料、例えば、ポリエチレン、ポリプロピレン等のポリオレフィン、ポリエステル、ポリウレタン等の熱可塑性樹脂等が挙げられる。【０１５１】
輸液投与部側コネクタ２６は、第２の輸液チューブ４ａが接続されているコネクタ５Ａのオスロック部８Ａおよびオスコネクタ部６とそれぞれ接続し得るメスロック部９Ａおよびメスコネクタ部７Ａと、これらと同様のメスロック部９Ｂおよびメスコネクタ部７Ｂと、オスコネクタ部２６３とを有している。【０１５２】
また、オスコネクタ部２６３の軸と、メスコネクタ部７Ａの軸とは、略一致し、メスコネクタ部７Ｂの軸は、これらの軸と略直交している。すなわち、オスコネクタ部２６３と、メスコネクタ部７Ａとは、互いに反対方向を向いており、メスコネクタ部７Ｂは、これらオスコネクタ部２６３およびメスコネクタ部７Ａに対し、略垂直な方向を向いている。【０１５３】
輸液投与部側コネクタ２６は、オスコネクタ部２６３に、ワンタッチで止められるストップクランプ２５を通したチューブ２４が液密に接続されている。チューブ２４の先端側は、オスコネクタ部２３が接続されている。オスコネクタ部２３は、ルアーコネクタ、ルアーロックコネクタなど、留置針やカテーテルの出口ポート２１１と液密に接続され得るものであれば、特に限定されないが、ルアーロックコネクタが好ましい。【０１５４】
留置針２１は、その基端部に、出口ポート２１１を有しており、この出口ポート２１１に、前記輸液投与部側コネクタ２６に取り付けられたオスコネクタ部２３が液密に接続されている。【０１５５】
次に、第１の輸液チューブ４ｂおよび第２の輸液チューブ４ａを説明するが、これら第１の輸液チューブ４ｂと第２の輸液チューブ４ａとの構成は同様であるので、代表的に、第２の輸液チューブ４ａを説明する。【０１５６】
第２の輸液チューブ４ａは、可撓性（柔軟性）を有し、輸液の流路を構成するチューブ４１と、チューブ４１の一方の端部（先端部）に設けられたコネクタ４３と、チューブ４１の他方（本実施形態では、他方の端部（基端部））に設けられ、輸液が収納された輸液バッグ（輸液容器）（収納部）３１側に接続される接続部として、鋭利な針先を有する瓶針４５１とを備えている。【０１５７】
チューブ４１の構成材料としては、例えば、軟質ポリ塩化ビニル、エチレン−酢酸ビニル共重合体、ポリエチレン、ポリプロピレン、ポリブタジエン等、あるいはこれらを主とする材料が挙げられる。【０１５８】
また、チューブ４１の途中には、輸液の流量を調節する流量調節手段として、スライド式のクレンメ（スライドクレンメ）４６と、点滴筒４４とが、それぞれ、設けられている。このスライドクレンメ４６としては、特に限定されず、従来公知のものを用いることができるが、例えば、特開２００４−４９３１９号公報のようなものが挙げられる。【０１５９】
また、スライドクレンメ４６は、ローラー型のクレンメなど、流量を調節できるものであれば、他のものでも構わない。【０１６０】
輸液バッグ３１内には、所定の輸液が収納されており、瓶針４５１がこの輸液バッグ３１の栓（ゴム栓）を穿通（穿刺）すると、瓶針４５１を介し、輸液バッグ３１と第２の輸液チューブ４ａとが接続され、輸液バッグ３１から第２の輸液チューブ４ａ側へ輸液が供給され得る状態となる。【０１６１】
点滴筒４４は、瓶針４５１の近傍に設置されている。この点滴筒４４により、輸液の流量を目視で確認することができる。【０１６２】
また、逆流防止弁４９が、コネクタ４３と点滴筒４４の間に設置されている。逆流防止弁４９は、輸液バッグ３１からコネクタ５Ａの方向への一方向弁である。逆流防止弁４９は、コネクタ４３と点滴筒４４の間であれば、どこに設置されても良いが、好ましくは、コネクタ４３により近い所、更に好ましくは、コネクタ４３の内部に設置される方が良い。【０１６３】
逆流防止弁４９は、その内部に、図示しない一対の板状の開閉部材が形成された弁本体を有し、各開閉部材は、弾性力（復元力）により互いに密着し、これにより、逆流防止弁４９内の流路は、閉塞している。輸液流が先端側から基端側に向いている場合には、その輸液により圧力が各開閉部材の外面にかかり、開閉部材同士を密着させるように作用する。このため、輸液は、先端側から基端側には流れない。【０１６４】
一方、輸液流が基端側から先端側に向いている場合には、その輸液により所定の圧力が各開閉部材の基端側（テーパ面）にかかり、その圧力により各開閉部材が離間する方向に変位し、逆流防止弁４９内の流路が開通する。これにより、輸液は、基端側から先端側に流れる。【０１６５】
逆流防止弁４９は、輸液ポンプなどによって注入が確実な場合には無くとも良い場合もあるが、設置されていることがより好ましい。この第２の輸液チューブ４ａによれば、第２の輸液チューブ４ａのコネクタ５Ａに接続された第１の輸液チューブ４ｂからある程度の圧力を加えて輸液を投与しても、逆流防止弁４９により、その輸液が第２の輸液チューブ４ａの上流側（基端側）へ流れ込むのを防止することができ、確実に、輸液を患者へ投与することができる。【０１６６】
チューブ４１の先端部には、コネクタ４３が設けられている。このコネクタ４３は、オスコネクタ部６とオスロック部８Ａとを有している。これにより、コネクタ４３は、コネクタ５Ａと接続することができる。【０１６７】
このように、コネクタ５Ａ、コネクタ４３および輸液投与部側コネクタ２６には、オスロック部８Ａおよびメスロック部９Ａ、９Ｂの少なくとも１つの部位が設けられているため、これらのコネクタ同士を接続したときには、従来のルアーロックのようにネジ式のものと比べて、捻れた状態でロックされるということを防ぐことができる。すなわち、このような接続方法を用いることにより、輸液チューブが多数繋がれた場合にも、輸液チューブが一定の方向に整列した状態を、簡単に保つことができる。【０１６８】
また、例えばコネクタ４３のオスロック部８Ａとコネクタ５Ａのメスロック部９Ｂとの接続が完了したとき（ロック状態のとき）には、「カチッ」というクリック音（接続を確認する音）が聞こえる。このことにより、どこまで締めればロックされているのかわからないネジ式のものと比較して、より確実にロックされたことが、音でも確認することができる。以下、コネクタ同士の接続においては、オスロック部８Ａとメスロック部９Ｂとの接続を代表的に説明する。【０１６９】
また、ルアーコネクタのように、傾斜部（テーパ部）のすりあわせで嵌合しているものの場合は、その嵌合したあとのコネクタ間の距離が一定でないため、平行に設置したオスロック部８Ａとメスロック部９Ｂとは、寸法精度が極めて厳密でなければならないが、コネクタ５Ａは後述する弁体５１を備えていることから、弁体５１の弾性によって、コネクタ間の距離のズレを許容しやすい。このため、液密な状態を保持したまま、寸法精度を厳密にしなくとも確実なロック（接続）を実現できる。【０１７０】
また、さらに、例えばコネクタ４３のオスロック部８Ａとコネクタ５Ａのメスロック部９Ｂとの接続の状態は、前述したように、ハーフロック状態と、ロック状態とをとり得る。【０１７１】
例えば、コネクタ４３のオスコネクタ部６は、第２の輸液チューブ４ａを使用するまでは、コネクタ５Ａのメスコネクタ部７Ｂに設置されている弁体５１を開通させない程度の位置で、緩く嵌合されている。すなわち、コネクタ４３は、第２の輸液チューブ４ａを使用するまでは、コネクタ５Ａとハーフロック状態で接続されている。これにより、弁体５１が輸液を流す直前まで、変形することなく保持され、弁体の機能を全く損なわずに使用することができる。【０１７２】
また、ロック状態では、コネクタ４３のオスコネクタ部６とコネクタ５Ａのメスコネクタ部７Ｂとは液密に接続されているため、第２の輸液チューブ４ａからコネクタ５Ａへ液体を確実に流通させることができる。【０１７３】
次に、輸液チューブセット１の作用（使用方法）を説明する。【０１７４】
ここでは、第２の輸液チューブ４ａを、患者に輸液を投与するための第１輸液ライン（第１輸液ルート）、すなわち、主に、基本液等が流される輸液チューブとし、第１の輸液チューブ４ｂを、患者に輸液を投与するための第２輸液ライン（第２輸液ルート）、すなわち、主に、副ルートとして用い、例えば、脂肪乳剤、治療薬、抗生剤等が流される輸液チューブとする場合を例に挙げて説明する。【０１７５】
第２の輸液チューブ４ａを接続するにあたり、まず、輸液バッグ３１に、例えば維持輸液剤を調剤する。【０１７６】
次に、コネクタ４３のオスコネクタ部６をコネクタ５Ａのメスコネクタ部７Ｂに押し込み、液密に嵌合させる。【０１７７】
次に、第２７図に示すように、この輸液の収納された輸液バッグ３１の栓（ゴム栓）に第２の輸液チューブ４ａの瓶針４５１を穿通（穿刺）する。これにより、瓶針４５１を介し、輸液バッグ３１と第２の輸液チューブ４ａとが接続され、輸液バッグ３１から第２の輸液チューブ４ａ側へ輸液が供給され得る状態となる。【０１７８】
次に、第２の輸液チューブ４ａの流路をプライミングする。【０１７９】
次に、患者の血管（例えば、末梢静脈等）１１０に留置された留置針２１の出口ポート２１１に接続された輸液投与部側コネクタ２６のメスコネクタ部７Ａに、第２の輸液チューブ４ａのコネクタ５Ａのオスコネクタ部６を挿入し、嵌合させる。これにより、輸液投与部側コネクタ２６のメスコネクタ部７Ａと第２の輸液チューブ４ａのコネクタ５Ａのオスコネクタ部６とが液密に接続される。このとき、輸液投与部側コネクタ２６のメスロック部９Ａとコネクタ５Ａのオスロック部８Ａとがロック状態となり、接続が容易に解除されるのが防止されている。【０１８０】
次に、第２の輸液チューブ４ａのスライドクレンメ４６を操作し、第２の輸液チューブ４ａの輸液の流量（投与速度）を維持輸液剤の指示流量（指示投与速度）に調節し、その輸液を投与する。【０１８１】
なお、輸液投与部側コネクタ２６を省略し、第２の輸液チューブ４ａのコネクタ５Ａのオスコネクタ部６を、留置針２１の出口ポート２１１に接続してもよい。【０１８２】
次に、患者の容態によって、一定時間の間隔をおいて、例えば抗生剤を投与するために用いる第１の輸液チューブ４ｂを接続するにあたり、まず、輸液バッグ３２に抗生剤を溶解した生理食塩水を調剤する。【０１８３】
次に、第１の輸液チューブ４ｂのコネクタ４３のオスコネクタ部６をコネクタ５Ａのメスコネクタ部７Ｂに押し込み、液密に嵌合させる。【０１８４】
次に、この輸液の収納された輸液バッグ３２の栓（ゴム栓）に第１の輸液チューブ４ｂの瓶針４５１を穿通（穿刺）する。これにより、瓶針４５１を介し、輸液バッグ３２と第１の輸液チューブ４ｂとが接続され、輸液バッグ３２から第１の輸液チューブ４ｂ側へ輸液が供給され得る状態となる。【０１８５】
次に、第１の輸液チューブ４ｂの流路をプライミングする。【０１８６】
次に、第２８図および第２９図に示すように、第２の輸液チューブ４ａのコネクタ５Ａのメスコネクタ部７Ａに、第１の輸液チューブ４ｂのコネクタ５Ａのオスコネクタ部６を挿入し、嵌合させる。これにより、第２の輸液チューブ４ａのコネクタ５Ａのメスコネクタ部７Ａと第１の輸液チューブ４ｂのコネクタ５Ａのオスコネクタ部６とが液密に接続される。このとき、第２の輸液チューブ４ａのメスロック部９Ａと第１の輸液チューブ４ｂのオスロック部８Ａとがロック状態となり、接続が容易に解除されるのが防止されている（第２９図参照）。【０１８７】
次に、第１の輸液チューブ４ｂのスライドクレンメ４６を操作し、第１の輸液チューブ４ｂの輸液の流量（投与速度）を抗生剤の指示流量（指示投与速度）に調節し、その輸液を投与する。【０１８８】
このようにして、第２の輸液チューブ４ａから維持輸液剤を、第１の輸液チューブ４ｂから抗生剤を溶解した生理食塩水を、それぞれ、患者に投与することができる（混注することができる）。【０１８９】
また、輸液ライン（輸液ルート）を増設する場合には、前記と同様にして、第１の輸液チューブ４ｂのコネクタ５Ａのメスコネクタ部７Ａに、図示しない他の輸液チューブのコネクタ５Ａのオスコネクタ部６を挿入し、嵌合させる。これにより、第１の輸液チューブ４ｂのコネクタ５Ａのメスコネクタ部７Ａと他の輸液チューブのコネクタ５Ａのオスコネクタ部６とが液密に接続される。【０１９０】
以下、同様にして、輸液ラインをいくつでも増設することができる。【０１９１】
なお、前記輸液チューブセット１の使用方法は、一例であり、これに限定されるものではない。【０１９２】
例えば、輸液を第２の輸液チューブ４ａから患者に投与している場合において、第１の輸液チューブ４ｂにより、その補充を行ってもよい。【０１９３】
以上説明したように、この輸液チューブセット１によれば、常に、輸液チューブの接続用のポート（メスコネクタ部７Ａ、７Ｂおよびオスコネクタ部６）が存在するので、容易、迅速かつ確実に、輸液ライン（輸液ルート）を増設することができる。【０１９４】
すなわち、常に、輸液チューブの接続用のポートが存在するので、例えば、患者の容態の急変時等に輸液チューブの接続ポートが足りなくなることが防止される。【０１９５】
また、前記各輸液ラインは、液密のものとなる。【０１９６】
また、輸液ラインを増設する際は、一方のコネクタ５Ａのオスロック部８Ａを他方のコネクタ５Ａのメスロック部９Ａまたは９Ｂへ挿入するだけでよいので、既に接続されている輸液チューブから輸液を投与（例えば、薬剤を微量投与）しつつ、輸液ラインを増設することができる。これにより、例えば、血中の薬剤濃度が変化して、症状に変化が出るリスクを回避することができる。【０１９７】
また、輸液ラインを増設する際は、輸液ラインを開放して再度組み立てて接続し直す必要がない。これにより、輸液ラインの繋ぎ違えや細菌によるルート汚染の機会が増大する等のリスクを回避することができる。【０１９８】
なお、本発明では、輸液チューブセットにおける輸液チューブの数は、１つでもよく、また、３つ以上でもよい。【０１９９】
また、本発明では、輸液チューブセットが複数の輸液チューブを有する場合、その輸液チューブは、すべて同一でもよく、また、すべて異なっていてもよく、また、一部のみ同一でもよい。【０２００】
＜第２実施形態＞
第１０図および第１１図は、それぞれ、本発明のコネクタの第２実施形態を示す縦断面図である。【０２０１】
以下、これらの図を参照して本発明のコネクタの第２実施形態について説明するが、前述した実施形態との相違点を中心に説明し、同様の事項はその説明を省略する。【０２０２】
本実施形態は、シール部材の形態が異なること以外は前記第１実施形態と同様である。【０２０３】
第１０図および第１１図に示すように、コネクタ５Ｂのメスコネクタ部７Ｂの接続口７３２（第１の内腔部７３１）には、その内周面７３４に沿って、Ｏリング（シール部材）５８が固定されている。このＯリング５８は、その縦断面形状が円形をなしている。【０２０４】
メスコネクタ部７Ｂの接続口７３２の内周面７３４には、リング状の凹部７３７が周方向に沿って形成されている。この凹部７３７にＯリング５８が嵌合（固定）されている。【０２０５】
また、凹部７３７の縦断面形状は、Ｏリング５８が容易かつ確実に嵌合可能な形状、すなわち、ほぼ半円状をなしている。【０２０６】
Ｏリング５８を設けたことにより、ロック状態では、コネクタ５Ａ’のオスコネクタ部６のルアーテーパ部６２２がＯリング５８の内側に密着することができる（第１１図参照）。また、これとともに、前記第１実施形態で記載したように、ロック状態では、コネクタ５Ａ’のオスコネクタ部６の開口部６２３が弁体５１の頂面５１１に密着している。【０２０７】
このような構成により、コネクタ５Ａ’のオスコネクタ部６とコネクタ５Ｂのメスコネクタ部７Ｂとをより確実に液密に接続することができる。【０２０８】
なお、Ｏリング５８の断面形状は、円形であるのに限定されず、例えば、楕円形状、四角形状等であってもよい。【０２０９】
また、Ｏリング５８の構成材料としては、特に限定されないが、例えば、弁体５１の説明で挙げたような材料を用いることができる。【０２１０】
また、コネクタ５Ｂでは、弁体５１が設置されているが、これに限定されず、弁体５１が省略されていてもよい。弁体５１が省略されている場合であっても、前述したようにコネクタ５Ａ’のオスコネクタ部６のルアーテーパ部６２２がＯリング５８に密着することができるため、コネクタ５Ａ’のオスコネクタ部６とコネクタ５Ｂのメスコネクタ部７Ｂとを確実に液密に接続することができる。【０２１１】
＜第３実施形態＞
第１２図および第１３図は、それぞれ、本発明のコネクタの第３実施形態を示す縦断面図である。【０２１２】
以下、これらの図を参照して本発明のコネクタの第３実施形態について説明するが、前述した実施形態との相違点を中心に説明し、同様の事項はその説明を省略する。【０２１３】
本実施形態は、シール部材の形態が異なること以外は前記第１実施形態と同様である。【０２１４】
第１２図および第１３図に示すように、コネクタ５Ｃでは、前記第１実施形態のコネクタ５Ａに設置されているような弁体５１が省略されている。また、コネクタ５Ｃのメスコネクタ部７Ｂの開口部７１には、弁体（シール部材）５１Ａが固定されている。【０２１５】
弁体５１Ａは、その縁部が開口部７１に固定される固定部５１６と、メスコネクタ部７Ｂの第１の内腔部７３１に向って突出する収斂状をなす収斂部５１７とを有している。また、収斂部５１７の頂部には、スリット５１２が形成されている。このような構成の弁体５１Ａは、いわゆる、ダックビル弁となっている。【０２１６】
この弁体５１Ａを設けたことにより、ロック状態では、コネクタ５Ａ’のオスコネクタ部６のルアーテーパ部６２２が弁体５１Ａのスリット５１２を開口させる、すなわち、収斂部５１７を押し広げることができるとともに、この押し広げられた収斂部５１７自体の弾性力（復元力）により、当該収斂部５１７がルアーテーパ部６２２に密着することができる（第１３図参照）。【０２１７】
これにより、コネクタ５Ａ’のオスコネクタ部６とコネクタ５Ｂのメスコネクタ部７Ｂとを確実に液密に接続することができる。【０２１８】
なお、弁体５１Ａの構成材料としては、特に限定されないが、例えば、弁体５１の説明で挙げたような材料を用いることができる。【０２１９】
また、コネクタ５Ｃでは、弁体５１が省略されているが、これに限定されず、前記第１実施形態のコネクタ５Ａのように、弁体５１が設けられていてもよい。【０２２０】
＜第４実施形態＞
第１４図および第１５図は、それぞれ、本発明のコネクタの第４実施形態を示す縦断面図である。【０２２１】
以下、これらの図を参照して本発明のコネクタの第４実施形態について説明するが、前述した実施形態との相違点を中心に説明し、同様の事項はその説明を省略する。【０２２２】
本実施形態は、シール部材の形態が異なること以外は前記第１実施形態と同様である。【０２２３】
本実施形態のコネクタ５Ｄは、そのオスコネクタ部６の外周側に、Ｏリング（シール部材）５８Ａが固定されているものである。このＯリング５８Ａは、その縦断面形状が円形をなしている。【０２２４】
また、このコネクタ５Ｄのメスコネクタ部７Ｂには、コネクタ５Ｄ’のオスコネクタ部６が接続可能となっている。【０２２５】
ここで、「コネクタ５Ｄ’」とは、コネクタ５Ｄと同様のオスコネクタ部６を備えているコネクタのことである。すなわち、コネクタ５Ｄ’は、そのオスコネクタ部６に、コネクタ５Ｄのオスコネクタ部６と同様のＯリング５８Ａが固定されているものである（例えば、第１４図参照）。【０２２６】
第１４図に示すオスコネクタ部６（ルアーテーパ部６２２）の途中には、リング状の凹部６２４が周方向に沿って形成されている。この凹部６２４にＯリング５８Ａが嵌合（固定）されている。【０２２７】
また、凹部６２４の縦断面形状は、Ｏリング５８Ａが容易かつ確実に嵌合可能な形状、すなわち、ほぼ半円状をなしている。【０２２８】
Ｏリング５８Ａを設けたことにより、ロック状態では、コネクタ５Ｄ’のオスコネクタ部６のＯリング５８Ａが、コネクタ５Ｄのメスコネクタ部７Ｂの接続口７３２の縁部（内周面７３４）に密着することができる（第１５図参照）。また、これとともに、前記第１実施形態で記載したように、ロック状態では、コネクタ５Ｄ’のオスコネクタ部６の開口部６２３が弁体５１の頂面５１１に密着している。【０２２９】
このような構成により、コネクタ５Ｄ’のオスコネクタ部６とコネクタ５Ｄのメスコネクタ部７Ｂとをより確実に液密に接続することができる。【０２３０】
なお、Ｏリング５８Ａの縦断面形状は、円形であるのに限定されず、例えば、楕円形状、四角形状等であってもよい。【０２３１】
また、Ｏリング５８Ａの構成材料としては、特に限定されないが、例えば、弁体５１の説明で挙げたような材料を用いることができる。【０２３２】
また、コネクタ５Ｄでは、弁体５１が設置されているが、これに限定されず、弁体５１が省略されていてもよい。弁体５１が省略されている場合であっても、前述したようにコネクタ５Ｄ’のオスコネクタ部６のＯリング５８Ａが、コネクタ５Ｄのメスコネクタ部７Ｂの接続口７３２の縁部に密着することができるため、コネクタ５Ｄ’のオスコネクタ部６とコネクタ５Ｄのメスコネクタ部７Ｂとを確実に液密に接続することができる。【０２３３】
＜第５実施形態＞
第１６図は、本発明のコネクタの第５実施形態を示す斜視図である。【０２３４】
以下、この図を参照して本発明のコネクタの第５実施形態について説明するが、前述した実施形態との相違点を中心に説明し、同様の事項はその説明を省略する。【０２３５】
本実施形態は、コネクタの外形形状が異なること以外は前記第１実施形態と同様である。【０２３６】
第１６図に示すように、コネクタ５Ｅでは、オスコネクタ部６に対してｚ軸負方向にオスロック部８Ａが設けられている。また、コネクタ５Ｅでは、メスコネクタ部７Ａに対してｚ軸負方向にメスロック部９Ａが設けられている。【０２３７】
このような構成（形状）のコネクタ５Ｅでは、前記第１実施形態のコネクタ５Ａと同様に、例えば、コネクタ５Ｅと同様の他のコネクタ５Ｅと容易にロック状態とすることができ、かつ、コネクタ５Ａのメスコネクタ部７Ａ、７Ｂと他のコネクタ５Ｅのオスコネクタ部６とを確実に液密に接続することができる。【０２３８】
なお、コネクタ５Ｅに接続されるコネクタは、他のコネクタ５Ｅであるのに限定されず、例えば、コネクタ５Ａやコネクタ５Ａ’であってもよい。【０２３９】
＜第６実施形態＞
第１７図は、本発明のコネクタの第６実施形態を示す斜視図、第１８図は、第１７図中のＥ−Ｅ線断面図、第１９図は、第１７図中のＦ−Ｆ線断面図である。【０２４０】
以下、これらの図を参照して本発明のコネクタの第６実施形態について説明するが、前述した実施形態との相違点を中心に説明し、同様の事項はその説明を省略する。【０２４１】
本実施形態は、オスロック部およびメスロック部の構成が異なること以外は前記第１実施形態と同様である。【０２４２】
第１７図に示すように、コネクタ５Ｆは、オスコネクタ部６と、メスコネクタ部７Ａおよび７Ｂと、オスロック部８Ｂと、メスロック部９Ｃおよび９Ｄと、弁体５１とを備えている。なお、第１８図および第１９図は、それぞれ、コネクタ５Ｆとコネクタ５Ｆ’との接続前状態からロック状態までの接続過程を示している。【０２４３】
ここで、「コネクタ５Ｆ’」とは、コネクタ５Ｆと同様のオスコネクタ部６およびオスロック部８Ｂとを備えているコネクタのことである。【０２４４】
オスロック部８Ｂは、基部（オスロック部本体）８１と、基部８１から突出する一対の突出部８２、８２と、両突出部８２の間に設けられた爪部８３Ｂと、爪部８３Ｂをｙ軸負方向に付勢する付勢部８４とを有している。【０２４５】
第１７図および第１９図に示すように、爪部８３Ｂは、基部８１の端部からｘ軸正方向へ突出して形成されている。この爪部８３Ｂの端部には、ｙ軸負方向に突出したオス側係合部８３４が設けられている（第１８図参照）。【０２４６】
メスロック部９Ｃおよび９Ｄは、それぞれ、コネクタ５Ｆ’のオスロック部８Ｂが連結可能な部位である。【０２４７】
メスロック部９Ｃは、基部８１（オスロック部８Ｂ）に対し、ｘ軸負方向に設けられている。また、メスロック部９Ｄは、基部８１（オスロック部８Ｂ）に対し、ｚ軸正方向に設けられている。メスロック部９Ｃとメスロック部９Ｄとの形状（構成）は、ほぼ同一であるため、以下、メスロック部９Ｄについて代表的に説明する。【０２４８】
第１８図に示すように、メスロック部９Ｄには、コネクタ５Ｆ’のオスロック部８Ｂのオス側係合部８３４と係合可能なメス側係合部９５が設けられている。このメス側係合部９５は、メスロック部９Ｄのｙ軸負方向の壁部９６の一部を貫通するように形成されている。【０２４９】
第１８図（ｄ）に示すように、メスロック部９Ｄのメス側係合部９５の縁部（端部）９５１が、コネクタ５Ｆ’のオスロック部８Ｂのオス側係合部８３４と係合することにより、コネクタ５Ｆ（メスロック部９Ｄ）とコネクタ５Ｆ’（オスロック部８Ｂ）とがロック状態となる。【０２５０】
コネクタ５Ａとコネクタ５Ａ’との接続過程（ロック状態）について説明する。【０２５１】
コネクタ５Ｆとコネクタ５Ｆ’とが互いに離間した状態（第１８図（ａ）および第１９図（ａ）参照）から、コネクタ５Ｆ’のオスロック部８Ｂをコネクタ５Ｆのメスロック部９Ｄに接近させる（第１８図（ｂ）および第１９図（ｂ）参照）。【０２５２】
第１８図（ｃ）に示すように、コネクタ５Ｆ’のオスロック部８Ｂがコネクタ５Ｆのメスロック部９Ｄ内に挿入されるのに伴って、コネクタ５Ｆのメスロック部９Ｄの壁部９６がコネクタ５Ｆ’の付勢部８４の付勢力に抗して、コネクタ５Ｆ’のオス側係合部８３４（爪部８３Ｂ）を押圧する。【０２５３】
コネクタ５Ｆ’のオスロック部８Ｂをコネクタ５Ｆのメスロック部９Ｄ内にさらに押し込むと、第１８図（ｄ）に示すように、コネクタ５Ｆ’のオス側係合部８３４がコネクタ５Ｆのメス側係合部９５に係合する、すなわち、コネクタ５Ｆ’とコネクタ５Ｆとがロック状態となる。【０２５４】
また、ロック状態のとき、コネクタ５Ｆ’のオスコネクタ部６の押圧により、コネクタ５Ｆの弁体５１が変形して、弁体５１のスリット５１２が開口する。これにより、コネクタ５Ｆ’のオスコネクタ部６とコネクタ５Ｆのメスコネクタ部７Ｂとが液体を流通可能に接続される。【０２５５】
また、コネクタ５Ｆ’とコネクタ５Ｆとのロック状態の解除は、コネクタ５Ｆ’のオスロック部８Ｂのオス側係合部８３４を付勢部８４の付勢力に抗して押圧することにより、ロック状態が解除される。換言すれば、第１８図（ｄ）に示すロック状態から、コネクタ５Ｆ’のオスロック部８Ｂのオス側係合部８３４を押圧する。これにより、コネクタ５Ｆのメス側係合部９５と、コネクタ５Ｆ’のオス側係合部８３４との係合が外れる（解除される）。【０２５６】
その後、コネクタ５Ｆ’を引くと、コネクタ５Ｆ’とコネクタ５Ｆとが互いに離間する。【０２５７】
このように、コネクタ５Ｆとコネクタ５Ｆ’とでは、コネクタ５Ｆ’のオスロック部８Ｂをコネクタ５Ｆのメスロック部９Ｄ内に押し込むという簡単な操作で、コネクタ５Ｆとコネクタ５Ｆ’と完全に接続することができる、すなわち、確実にロック状態とすることができる。【０２５８】
また、ロック状態となるのとほぼ同時に、コネクタ５Ｆのメスコネクタ部７Ｂとコネクタ５Ｆ’のオスコネクタ部６とが確実に液密に接続される。【０２５９】
また、第１９図（ｃ）および（ｄ）に示すように、コネクタ５Ｆ’のオスロック部８Ｂがコネクタ５Ｆのメスロック部９Ｄ内に挿入されるに伴って、各突出部８２の外周面がメスロック部９Ｄの内周面に摺動する。これにより、コネクタ５Ｆ’のオスロック部８Ｂがコネクタ５Ｆのメスロック部９Ｄ内に案内され易くなり、よって、オスロック部８Ｂの中心軸とメスロック部９Ｄの中心軸とを一致させることができる。このように、両突出部８２は、ガイドとしての機能を有している。【０２６０】
＜第７実施形態＞
第２０図は、本発明のコネクタの第７実施形態を示す斜視図、第２１図〜第２４図は、それぞれ、第２０図に示すコネクタにおける流路切り替えパターンを示す側面図である。【０２６１】
以下、これらの図を参照して本発明のコネクタの第７実施形態について説明するが、前述した実施形態との相違点を中心に説明し、同様の事項はその説明を省略する。【０２６２】
本実施形態は、コネクタが流路切替手段としてのコックをさらに有していること以外は前記第１実施形態と同様である。【０２６３】
第２０図に示すコネクタ５Ｇには、オスコネクタ部６の中心軸（メスコネクタ部７Ａの中心軸）、メスコネクタ部７Ｂの中心軸とが交差する交差部に、円筒状をなす円筒部６３が形成されている。【０２６４】
この円筒部６３は、ｙ軸正方向に突出形成されたものである。また、円筒部６３の内腔部６３１には、オスコネクタ部６の液体流路６２１と、メスコネクタ部７Ａの第３の内腔部７２４と、メスコネクタ部７Ｂの第３の内腔部７２４とがそれぞれ、連通している。【０２６５】
このようなコネクタ５Ｇは、当該コネクタ５Ｇ内を流通する液体の流路を切り替える流路切替手段としてのコック１０をさらに有している。【０２６６】
第２０図に示すように、コック１０は、胴部１０１と、基部１０２と、レバー１０３とで構成されている。
胴部１０１は、円柱または円筒形状（図１では円柱形状）をなし、円筒部６３の内腔部６３１内に気密性または液密性をもって回動自在に挿入（嵌入）されるものである。従って、コック１０を円筒部６３から抜き取った状態における胴部１０１の外径は、前述した円筒部６３の内径より例えば１〜６％程度大きいものとするのが好ましい。【０２６７】
また、胴部１０１の外周面１０４は、平滑なものである。【０２６８】
胴部１０１の内部には、オスコネクタ部６の液体流路６２１と、メスコネクタ部７Ａの第３の内腔部７２４と、メスコネクタ部７Ｂの第３の内腔部７２４とに対応する流路（通路）１０５ａ、１０５ｂおよび１０５ｃがＴ字状に形成されている。すなわち、９０°の角度を隔てて胴部１０１の径方向に延在する３本の流路１０５ａ、１０５ｂおよび１０５ｃが、胴部１０１の途中にて互いに連通するように形成されている。【０２６９】
また、これらの流路１０５ａ〜１０５ｃは、コック１０を円筒部６３に嵌入した状態（以下、単に「コック嵌入状態」という）で、オスコネクタ部６の液体流路６２１と、メスコネクタ部７Ａの第３の内腔部７２４と、メスコネクタ部７Ｂの第３の内腔部７２４と一致する位置に形成されている。【０２７０】
各流路１０５ａ〜１０５ｃは、胴部１０１の外周面１０４に開口し、それぞれ円形の開口１０６ａ、１０６ｂおよび１０６ｃを形成している。【０２７１】
なお、この開口１０６ａ〜１０６ｃの直径は、流路１０５ａ〜１０５ｃの内径とほぼ等しいのが好ましい。従って、開口１０６ａ〜１０６ｃの直径が大きいほど、大流量を確保することができる。【０２７２】
また、開口１０６ａ〜１０６ｃの直径は、各々ほぼ等しい値であるのが好ましいが、互いに異なっていてもよい。【０２７３】
また、開口１０６ａ〜１０６ｃの周縁部（輪郭）に、予め面取り加工を施しておいてもよく、この場合には、周縁部またはその付近の欠損防止効果がより一層高まる。【０２７４】
胴部１０１のｙ軸正方向の端部には、胴部１０１の横断面より大きい横断面を有する基部（レバー支持部）８が好ましくは胴部１０１と一体的に形成されている。この基部１０２は、コック嵌入状態で円筒部６３の端部に露出した状態となる。【０２７５】
基部１０２の外周には、流路１０５ｂと逆方向に延長して突出するレバー１０３が好ましくは基部１０２と一体的に形成されている。このレバー１０３を手指で把持し、トルクを加えてコック１０の回動操作を行う。【０２７６】
なお、回動操作を行うためのレバー１０３は、図示のような１方向に延出したものに限らず、２以上の方向に延出したもの、またはその他ハンドルのようなものであってもよい。【０２７７】
また、本実施形態では、コック１０は、円筒部６３（オスコネクタ部およびメスコネクタ部）に対し３６０°自由に回動することができる構成となっているが、これに限られるものではない。すなわち、コネクタ５Ｇには、円筒部６３に対するコック１０の回動角度範囲を規制する規制手段（図示せず）が設けられていてもよい。この規制手段としては、例えば、円筒部６３の端部および基部１０２にそれぞれ形成され、コック嵌入状態で互いに係合し得る凸部で構成することができる。【０２７８】
また、コック１０の構成材料としては、特に限定されず、例えば、コネクタ５Ａの弁体５１を除く部位の構成材料と同様のものを用いることができる。【０２７９】
次に、コネクタ５Ｇの作用を、第２１図〜第２４図を参照しつつ説明する。【０２８０】
第２１図に示すように、コック１０のレバー１０３の位置をメスコネクタ部７Ａと同方向とした場合には、オスコネクタ部６の液体流路（内腔部）６２１とメスコネクタ部７Ｂの第３の内腔部７２４が、コック１０の胴部１０１に形成された流路１０５ｂおよび１０５ｃを介して連通し、メスコネクタ部７Ａの第３の内腔部７２４は、胴部１０１の外周面１０４によって封止される。これにより、オスコネクタ部６とメスコネクタ部７Ｂとが開通状態、メスコネクタ部７Ａが閉鎖状態となる。【０２８１】
第２２図に示すように、コック１０のレバー１０３の位置をメスコネクタ部７Ｂと１８０°反対方向とした場合には、オスコネクタ部６の液体流路６２１とメスコネクタ部７Ａの第３の内腔部７２４とメスコネクタ部７Ｂの第３の内腔部７２４とが、コック１０の胴部１０１に形成された流路１０５ａ、１０５ｂおよび１０５ｃを介して連通する。これにより、オスコネクタ部６、メスコネクタ部７Ａおよび７Ｂが開通状態となる。【０２８２】
第２３図に示すように、コック１０のレバー１０３の位置をオスコネクタ部６と同方向とした場合には、メスコネクタ部７Ａの第３の内腔部７２４とメスコネクタ部７Ｂの第３の内腔部７２４とが、コック１０の胴部１０１に形成された流路１０５ａおよび１０５ｂを介して連通し、オスコネクタ部６の液体流路６２１は、胴部１０１の外周面１０４によって封止される。これにより、メスコネクタ部７Ａとメスコネクタ部７Ｂとが開通状態、オスコネクタ部６が閉鎖状態となる。【０２８３】
第２４図に示すように、コック１０のレバー１０３の位置をメスコネクタ部７Ｂと同方向とした場合には、オスコネクタ部６の液体流路６２１とメスコネクタ部７Ａの内腔部７２４とが、コック１０の胴部１０１に形成された流路１０５ａおよび１０５ｃを介して連通し、メスコネクタ部７Ｂの内腔部７２４は、胴部１０１の外周面１０４によって封止される。これにより、オスコネクタ部６とメスコネクタ部７Ａとが開通状態、メスコネクタ部７Ｂが閉鎖状態となる。【０２８４】
以上のように、コネクタ５Ｇでは、コック１０を回動操作することにより、オスコネクタ部６（液体流路６２１）、メスコネクタ部７Ａ（第３の内腔部７２４）およびメスコネクタ部７Ｂ（第３の内腔部７２４）の開閉を適宜選択することができる。【０２８５】
このようなコネクタ５Ｇによる効果を、例えば、メスコネクタ部７Ａに、オスコネクタ部６に向かって常時（連続的に）流通させたい輸液が貯留された輸液バッグを接続し、メスコネクタ部７Ｂに、オスコネクタ部６に向かって断続的に流通させたい輸液が貯留された輸液バッグを接続した場合を一例に挙げて説明する。【０２８６】
コック１０を第２４図に示す状態にすることにより、メスコネクタ部７Ａからオスコネクタ部６へ輸液を常時流通させることができる。このとき、メスコネクタ部７Ｂは、封止されており、メスコネクタ部７Ｂからオスコネクタ部６へ輸液を流通させるのが不可能となっている。【０２８７】
第２４図に示す状態から第２２図に示す状態にコック１０を回動することにより、第２２図に示す状態と同様にメスコネクタ部７Ａからオスコネクタ部６へ輸液を流通させることができるとともに、メスコネクタ部７Ｂからオスコネクタ部６へ輸液を流通させることができる。【０２８８】
このように、コック１０を回転操作することによりコネクタ５Ｇを流通する液体の流路を切り替えることができ、よって、任意のタイミングで例えば２種類の液体を混合することができる。【０２８９】
なお、コネクタ５Ｇでは、図示の構成では弁体５１が省略されているが、弁体５１が設置されていてもよい。【０２９０】
＜第８実施形態＞
第２５図は、本発明のコネクタの第８実施形態を示す斜視図である。【０２９１】
以下、この図を参照して本発明のコネクタの第８実施形態について説明するが、前述した実施形態との相違点を中心に説明し、同様の事項はその説明を省略する。【０２９２】
本実施形態は、オスロック部の構成が異なること以外は前記第１実施形態と同様である。【０２９３】
第２５図に示すコネクタ５Ｈでは、オスロック部８Ｃは、ルアーロックを形成している。すなわち、オスコネクタ部８Ｃは、オスコネクタ部６の外周側に、当該オスコネクタ部６と同心的に（同軸で）回転可能に設置され、内周部８５にネジ山８５１が形成された、筒状をなすリング部材で構成されたものである。【０２９４】
また、コネクタ５Ｈのメスコネクタ７Ａおよび７Ｂの開口部７１の縁部（外周部）には、開口部７１の径方向で互いに反対方向に突出した一対の突部７４および７４が形成されている。【０２９５】
各突部７４は、ロック状態で、コネクタ５Ｈと同様の他のコネクタが有するオスロック部８Ｃのネジ山８５１と係合することができる。このように、各突部７４は、オスロック部８Ｃと連結可能なメスロック部ということができる。【０２９６】
例えばコネクタ５Ｈのメスコネクタ７Ｂと他のコネクタのオスコネクタ部６とを接続するには、まず、コネクタ５Ｈのメスコネクタ７Ｂの各突部７４を、他のコネクタのオスロック部８Ｃの開口部に係合させる。【０２９７】
次に、前記係合状態で、コネクタ５Ｈと他のコネクタとが接近する方向に、他のコネクタのオスロック部８Ｃを回転操作する。これに伴って、他のコネクタのオスコネクタ部６が、コネクタ５Ｈのメスコネクタ７Ｂの開口部７１から当該メスコネクタ７Ｂに入り込む。【０２９８】
さらに、他のコネクタのオスロック部８Ｃを回転操作することにより、他のコネクタのオスコネクタ部６のルアーテーパ部６２２の一部が、コネクタ５Ｈのメスコネクタ７Ｂの開口部７１の内周部に液密に当接する（例えば、図９参照）。【０２９９】
このようにコネクタ５Ｈと前記他のコネクタとでは、前述した操作を行うことにより、コネクタ５Ｈの各突部７４と前記他のコネクタのオスロック部８Ｃとが確実にロック状態となるとともに、コネクタ５Ｈのメスコネクタ７Ｂと前記他のコネクタのオスコネクタ部６とが確実に液密に接続される。【０３００】
＜第９実施形態＞
第２６図は、本発明のコネクタの第９実施形態を示す側面図である。【０３０１】
以下、この図を参照して本発明のコネクタの第９実施形態について説明するが、前述した実施形態との相違点を中心に説明し、同様の事項はその説明を省略する。【０３０２】
本実施形態は、メスコネクタ部の設置数が異なること以外は前記第１実施形態と同様である。【０３０３】
図２６に示すコネクタ５Ｉは、メスコネクタ部７Ａおよび７Ｂとほぼ同様の構成のメスコネクタ部７Ｃと、メスロック部９Ａおよび９Ｂとほぼ同様の構成のメスロック部９Ｅとをさらに有している。【０３０４】
メスコネクタ部７Ｃは、ｚ軸負方向に形成されている。従って、メスコネクタ部７Ａ、７Ｂおよび７Ｃは、互いに隣接するメスコネクタ部同士が直交する方向に配置されている。【０３０５】
また、メスロック部９Ｅは、メスコネクタ部７Ｃと同様にｚ軸負方向に形成されており、当該メスコネクタ部７Ｃにｙ軸負方向に隣接している。【０３０６】
このような構成のコネクタ５Ｉでは、メスコネクタ部７Ａ、７Ｂおよび７Ｃの開口部７１が互いに異なる３方向、すなわち、ｘ軸負方向、ｚ軸正方向およびｚ軸負方向に開口している。【０３０７】
これにより、例えば、前記第１実施形態のように輸液ラインを増設する場合、液体の流路を構成する３本のチューブが異なる３方向に延在することなり、よって、これらのチューブ同士が干渉するのを防止することができる。また、コネクタ５Ｉ内を流通する液体の流れの方向を転換することができる。【０３０８】
＜第１０実施形態＞
第３０図は、本発明のチューブ組立体の部分縦断面図である。【０３０９】
以下、この図を参照して本発明のチューブ組立体の実施形態（第１０実施形態）について説明するが、前述した実施形態との相違点を中心に説明し、同様の事項はその説明を省略する。【０３１０】
第３０図に示すチューブ組立体２０は、可撓性を有するチューブ２０１と、チューブ２０１の両端部２０２ａおよび２０２ｂにそれぞれ接続されたコネクタ５Ｋおよび５Ｌとを備えている。【０３１１】
チューブ２０１は、一方のコネクタ５Ｋから流入した液体を、他方のコネクタ５Ｌに向けて流通させるものである。【０３１２】
なお、チューブ２０１の構成材料としては、特に限定されず、例えば、ポリエチレン、ポリプロピレン、エチレン−酢酸ビニル共重合体等のポリオレフィン、ポリ塩化ビニル、ポリブタジエン、ポリアミド、ポリエステル等が挙げられ、これらの中でも、特にポリブタジエンを用いるのが好ましい。チューブ２０１の構成材料にポリブタジエンを用いた場合、当該チューブ２０１は、適度な可撓性、耐薬品性、および薬品の吸着防止性に優れたものとなる。【０３１３】
コネクタ５Ｋは、第１実施形態のコネクタ５Ａとほぼ同様のオスコネクタ６およびオスロック部８Ａと、オスコネクタ６と連通する接続部６０とを有している。この接続部６０は、その形状が管状をなしており、オスコネクタ６の突出方向と反対方向に突出している。【０３１４】
また、接続部６０には、チューブ２０１の端部２０２ａが接続されている。これにより、オスコネクタ６は、接続部６０を介してチューブ２０１と連通する。【０３１５】
コネクタ５Ｌは、第１実施形態のコネクタ５Ａとほぼ同様のメスコネクタ部７Ａおよび７Ｂと、第１実施形態のコネクタ５Ａとほぼ同様のメスロック部９Ａおよび９Ｂと、メスコネクタ９Ａおよび９Ｂの第３の内腔部７２４にそれぞれ連通する接続部７０とを有している。この接続部７０は、その形状が管状をなしており、メスコネクタ９Ａの突出方向と反対方向に突出している。【０３１６】
また、接続部７０には、チューブ２０１の端部２０２ｂが接続されている。これにより、メスコネクタ９Ａおよび９Ｂの第３の内腔部７２４は、それぞれ、接続部７０を介してチューブ２０１と連通する。【０３１７】
例えば、前記第１実施形態に記載されたような輸液チューブセットに、チューブ組立体２０を接続することにより、当該チューブ組立体２０が液体の流路の一部を構成することとなり、よって、前記輸液チューブセットの液体の流路を容易に延長することができる。【０３１８】
また、コネクタ５Ｋおよび５Ｌにより、チューブ組立体２０と前記輸液チューブセットとがロック状態となり、チューブ組立体２０が不本意に前記輸液チューブセットから離脱するのが確実に防止される。また、コネクタ５Ｋおよび５Ｌにより、チューブ組立体２０と前記輸液チューブセットとが確実に液密に接続され、液体が不本意に漏れるのが確実に防止される。【０３１９】
なお、チューブ組立体２０は、チューブ２０１の両端部２０２ａおよび２０２ｂにそれぞれコネクタ５Ｋおよび５Ｌが接続されたものに限定されず、両端部２０２ａおよび２０２ｂの一方にのみコネクタが接続されたものでもよい。例えば、コネクタ５Ｋが端部２０２ａに接続されている場合に、端部２０２ｂには、メスルアーコネクタが接続されているものや、端部２０２ａに中空の穿刺針が接続されている場合に、端部２０２ｂには、コネクタ５Ｌが接続されているものが挙げられる。この穿刺針は、例えば、生体表面を穿刺するものであってもよいし、液体が貯留されたバッグ（容器）の口部を封止するゴム栓を穿刺（刺通）するものであってもよい。【０３２０】
また、コネクタ５Ｌは、図示の構成では２つのメスコネクタ部９Ａおよび９Ｂを有するものであるが、これに限定されず、これらのメスコネクタ部のうちの一方のメスコネクタ部を有するものであってもよい。【０３２１】
＜第１１実施形態＞
第３１図および第３２図は、それぞれ、本発明の医療用容器の斜視図である。【０３２２】
以下、これらの図を参照して本発明の医療用容器の実施形態（第１１実施形態）について説明するが、前述した実施形態との相違点を中心に説明し、同様の事項はその説明を省略する。【０３２３】
第３１図および第３２図に示す医療用容器３０は、液体を収納可能な容器本体３０１と、容器本体３０１に固定されたコネクタ５Ｊとを備えている。なお、以下の説明では、容器本体３０１として、輸液バッグを例にして説明する。【０３２４】
コネクタ５Ｊは、コネクタ本体５９と、コネクタ本体５９に対しｚ軸正方向に位置するオスコネクタ部６Ａと、コネクタ本体５９に対しｘ軸正方向に位置するメスコネクタ部７Ｄと、コネクタ本体５９に対しｚ軸負方向に位置するオスロック部８Ｄと、コネクタ本体５９に対しｙ軸負方向に位置するメスロック部９Ｆと、コネクタ本体５９に対しｘ軸負方向に位置する接続部５３とを備えている。【０３２５】
コネクタ本体５９は、外形形状がブロック状をなすものであり、内部に内腔部５９１が形成されている。【０３２６】
オスコネクタ部６Ａは、前記第１実施形態のコネクタ５Ａのオスコネクタ部６とほぼ同様の構成のものである。このオスコネクタ部６Ａは、ｚ軸正方向に向かって突出している。また、オスコネクタ部６Ａの液体流路６２１は、コネクタ本体５９の内腔部５９１に連通している。【０３２７】
メスコネクタ部７Ｄは、前記第１実施形態のコネクタ５Ａのメスコネクタ部７Ａおよび７Ｂとほぼ同様の構成のものである。このメスコネクタ部７Ｄは、ｘ軸正方向に向かって突出している。また、メスコネクタ部７Ｄの第３の内腔部７２４は、コネクタ本体５９の内腔部５９１に連通している。【０３２８】
オスロック部８Ｄは、前記第１実施形態のコネクタ５Ａのオスロック部８Ａとほぼ同様の構成のものである。このオスロック部８Ｄは、メスコネクタ部７Ｄに隣接し、当該メスコネクタ部７Ｄと同様にｘ軸正方向に向かって突出している。【０３２９】
メスロック部９Ｆは、前記第１実施形態のコネクタ５Ａのメスロック部９Ａおよび９Ｂとほぼ同様の構成のものである。このメスロック部９Ｆは、オスコネクタ部６Ａに隣接し、当該オスコネクタ部６Ａと同様にｚ軸正方向に突出している。【０３３０】
接続部５３は、その形状が管状をなしており、内腔部（中空部）５３１がコネクタ本体５９の内腔部５９１に連通している。この接続部５３は、コネクタ５Ｊにおいて容器本体３０１に固定される部位である。【０３３１】
また、接続部５３の外周部には、当該外周部の一部が拡径したフランジ５３１が形成されている。コネクタ５Ｊが容器本体３０１に固定されるとき、フランジ５３１が外方から容器本体３０１に当接することにより、コネクタ５Ｊが容器本体３０１に過剰に入り込むのを確実に防止する、すなわち、容器本体３０１に対するコネクタ５Ｊの位置決めを行うことができる。【０３３２】
また、接続部５３の外周部には、当該外周部の外径がｘ軸負方向に向かって漸減したテーパ部５３３が形成されている。例えば容器本体３０１に液体が収納されていない場合、テーパ部５３３と容器本体３０１の内面との間に間隙が形成され、容器本体３０１の内面同士が密着するのを防止することができる。これにより、容器本体３０１に対し、液体を容易に注入または排出することができる。【０３３３】
容器本体３０１は、可撓性を有する樹脂製の２枚のシート部材３０２および３０２で構成されている。【０３３４】
容器本体３０１は、シート部材３０２の縁部３０３同士を、例えば融着（熱融着、高周波融着、超音波融着等）することにより、２枚のシート部材３０２、３０２の間に空間３０４が形成され、当該空間３０４に液体を収納することができる。【０３３５】
なお、シート部材３０２の構成材料としては、特に限定されないが、例えば、ポリエチレン、ポリプロピレン、ポリカーボネートの各種樹脂材料等が用いられる。【０３３６】
このようなの縁部３０３の一部にコネクタ５Ｊが固定されている。これにより、コネクタ５Ｊは、容器本体３０１に対し液体が排出されるポートを形成する。なお、コネクタ５Ｊの固定方法としては、特に限定されないが、例えば、融着（熱融着、高周波融着、超音波融着等）や、接着（接着剤や溶媒による接着）が挙げられる。【０３３７】
第３１図（第３２図も同様）示すように、容器本体３０１に固定されたコネクタ５Ｊには、が接続される。【０３３８】
ここで、「コネクタ５Ｊ’」とは、コネクタ５Ｊと同様のオスコネクタ部６Ａおよびメスロック部９Ｆとを備えているコネクタのことである。また、コネクタ５Ｊ’のオスコネクタ部６Ａと反対側には、当該オスコネクタ部６Ａの液体流路６２１と連通するチューブ４０が接続されている。【０３３９】
また、コネクタ５Ｊ’のオスコネクタ部６Ａおよびメスロック部９Ｆは、それぞれ、コネクタ５Ｊのメスコネクタ部７Ｄおよびオスロック部８Ｄに対応するように配置されている。【０３４０】
第３２図に示すように、医療用容器３０のコネクタ５Ｊとコネクタ５Ｊ’との接続状態では、コネクタ５Ｊのオスロック部８Ｄとコネクタ５Ｊ’のメスロック部９Ｆとが確実にロック状態となっており、また、コネクタ５Ｊのメスコネクタ部７Ｄとコネクタ５Ｊ’のオスコネクタ部６Ａとが確実に液密に接続されている。これにより、容器本体３０１の液体が、コネクタ５Ｊの接続部５３、コネクタ本体５９およびメスコネクタ部７Ｄと、コネクタ５Ｊ’のオスコネクタ部６Ａと、チューブ４０とを順次通過することができる。【０３４１】
また、コネクタ５Ｊのオスロック部８Ｄとコネクタ５Ｊ’のメスロック部９Ｆとのロック状態を解除操作する操作部９３が、コネクタ５Ｊ’側に設けられている。このため、前記ロック状態を解除するときにコネクタ５Ｊ’が把持される。これにより、前記ロック状態の解除に伴うコネクタ５Ｊの弁体５１の反発力（復元力）によってコネクタ５Ｊ’がｘ軸正方向に飛び出すのが確実に防止される。【０３４２】
なお、容器本体３０１に収容される液体としては、特に限定されないが、例えば、血液製剤、ブドウ糖等の糖質注射液、塩化ナトリウムや乳酸カリウム等の電解質補正用注射液、ビタミン剤、ワクチン、抗生物質注射液、造影剤、ステロイド剤、蛋白質分解酵素阻害剤、脂肪乳剤、各種蛋白製剤、抗癌剤、麻酔薬、覚せい剤、麻薬のような各種薬液、各種診断薬、あるいは、蒸留水、生理食塩水、消毒薬、栄養剤、流動食、アルコール等の液体が挙げられる。【０３４３】
また、本実施形態では、容器本体３０１として輸液バッグを例に挙げたが、これに限定されず、容器本体３０１として、例えば、輸血バッグ、培養容器、排液容器等であってもよい。【０３４４】
また、容器本体３０１には、コネクタ５Ｊで構成されたポートの他に、例えば、ゴム栓で封止されたポートが設けられていてもよい。【０３４５】
また、コネクタ５Ｊは、液体容器３０１から液体を排出するときに用いられるポートであるが、これに限定されず、液体容器３０１に液体を注入するときに用いられるポートであってもよい。【０３４６】
また、コネクタ５Ｊの接続部５３のテーパ部５３３には、内腔部５３１と連通する側孔（スリット）が設けられていてもよい。テーパ部５３３に側孔が設けられている場合、例えば、当該側孔を介して、容器本体３０１内の液体を確実に排出することができる。【０３４７】
また、テーパ部５３３に側孔を設ける場合、当該側孔がｙ軸方向に向かって開口するように設けるのが好ましい。【０３４８】
以上、本発明のコネクタ、チューブ組立体、輸液チューブセットおよび医療用容器を、図示の実施形態に基づいて説明したが、本発明はこれに限定されるものではなく、各部の構成は、同様の機能を有する任意の構成のものに置換することができる。【０３４９】
なお、本発明は、前記各実施形態のうちの、任意の２以上の構成（特徴）を組み合わせたものであってもよい。また、本発明に、他の任意の構成物が付加されていてもよい。【０３５０】
また、本発明の輸液チューブセットのコネクタは、前記各実施形態のうちの、任意の２以上の構成（特徴）を組み合わせたものであってもよい。【０３５１】
例えば、前記第６実施形態のコネクタにおいて、前記第５実施形態のコネクタと同様に、オスロック部がオスコネクタ部のｚ軸負方向に設けられていてもよい。【０３５２】
また、例えば、前記第５実施形態のコネクタにおいて、前記第２実施形態のコネクタと同様のＯリングを設けてもよいし、前記第４実施形態のコネクタと同様のＯリングを設けてもよい。【０３５３】
また、例えば、前記第５実施形態のコネクタにおいて、メスコネクタ部内に設置されている弁体を省略し、前記第３実施形態のコネクタと同様の弁体（ダックビル弁）を設けてもよい。【０３５４】
また、例えば、前記第６実施形態のコネクタにおいて、前記第２実施形態のコネクタと同様のＯリングを設けてもよいし、前記第４実施形態のコネクタと同様のＯリングを設けてもよい。【０３５５】
また、例えば、前記第６実施形態のコネクタにおいて、メスコネクタ部内に設置されている弁体を省略し、前記第３実施形態のコネクタと同様の弁体（ダックビル弁）を設けてもよい。【０３５６】
また、前記第２実施形態〜前記第６実施形態、前記第８実施形態〜前記第１１実施形態のコネクタにおいて、前記第７実施形態の流路切替手段（コック）と同様の流路切替手段を設けてもよい。【０３５７】
また、前記第２実施形態〜前記第７実施形態、前記第９実施形態〜前記第１１実施形態のコネクタにおいて、各コネクタのオスロック部を、前記第７実施形態のオスロック部と同様の構成のものとしてもよい。【０３５８】
また、前記第２実施形態〜前記第８実施形態、前記第１０実施形態、前記第１１実施形態のコネクタにおいて、前記第９実施形態のコネクタと同様に、メスコネクタを３つ設け、それらの開口部が異なる方向に開口していてもよい。【０３５９】
また、前記第１０実施形態のチューブ組立体のコネクタとして、前記第２実施形態〜前記第９実施形態のコネクタを用いてもよい。また、前記第１０実施形態のチューブ組立体の２つのコネクタは、同一のであってもよいし、互いに異なるものであってもよい。【０３６０】
また、前記第１実施形態〜前記第１０実施形態のコネクタでは、オスコネクタ部とオスロック部とが互いに対応しており、メスコネクタ部とメスロック部とが互いに対応しているが、この対応に限定されず、例えば、前記第１１実施形態の医療用容器のコネクタのように、オスコネクタ部とメスロック部とが互いに対応しており、メスコネクタ部とオスロック部とが互いに対応していてもよい。
【産業上の利用可能性】
【０３６１】
本発明のコネクタは、内腔部を有するオスコネクタ部と、該オスコネクタ部と同様の他のオスコネクタ部が接続可能な内腔部を有するメスコネクタ部とを備えるコネクタであって、オスロック部と、前記オスロック部と同様の他のオスロック部が連結可能なメスロック部とを備え、前記メスロック部と前記他のオスロック部とが連結されるロック状態となったとき、前記メスコネクタ部と前記他のオスコネクタ部とは、これらの前記内腔部同士が連通して、液体が流通可能に接続される。そのため、容易かつ確実にロック状態とすることができ、かつ、当該ロック状態で液体が確実に流通可能となる。従って、本発明の穿刺具は、産業上の利用可能性を有する。
【図１】
2006068211.tif 000002
【図２】
2006068211.tif 000003
【図３】
2006068211.tif 000004
【図４】
2006068211.tif 000005
【図５】
2006068211.tif 000006
【図６】
2006068211.tif 000007
【図７】
2006068211.tif 000008
【図８】
2006068211.tif 000009
【図９】
2006068211.tif 000010
【図１０】
2006068211.tif 000011
【図１１】
2006068211.tif 000012
【図１２】
2006068211.tif 000013
【図１３】
2006068211.tif 000014
【図１４】
2006068211.tif 000015
【図１５】
2006068211.tif 000016
【図１６】
2006068211.tif 000017
【図１７】
2006068211.tif 000018
【図１８】
2006068211.tif 000019
【図１９】
2006068211.tif 000020
【図２０】
2006068211.tif 000021
【図２１】
2006068211.tif 000022
【図２２】
2006068211.tif 000023
【図２３】
2006068211.tif 000024
【図２４】
2006068211.tif 000025
【図２５】
2006068211.tif 000026
【図２６】
2006068211.tif 000027
【図２７】
2006068211.tif 000028
【図２８】
2006068211.tif 000029
【図２９】
2006068211.tif 000030
【図３０】
2006068211.tif 000031
【図３１】
2006068211.tif 000032
【図３２】
2006068211.tif 000033
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
内腔部を有するオスコネクタ部と、該オスコネクタ部と同様の他のオスコネクタ部が接続可能な内腔部を有するメスコネクタ部とを備えるコネクタであって、
オスロック部と、
前記オスロック部と同様の他のオスロック部が連結可能なメスロック部とを備え、
前記メスロック部と前記他のオスロック部とが連結されるロック状態となったとき、前記メスコネクタ部と前記他のオスコネクタ部とは、これらの前記内腔部同士が連通して、液体が流通可能に接続されることを特徴とするコネクタ。
【請求項２】
前記メスコネクタ部と前記他のオスコネクタ部とが互いに近接する位置で、前記メスロック部と前記他のオスロック部とがハーフロック状態となる請求項１に記載のコネクタ。
【請求項３】
前記ロック状態が解除されると、前記液体の流通が遮断されるよう構成されている請求項１に記載のコネクタ。
【請求項４】
前記オスロック部は、オス側係合部が設けられている爪部と、該爪部を付勢する付勢部とを有しており、
前記メスロック部は、前記オスロック部と同様の他のオスロック部のオス側係合部と係合可能なメス側係合部を有しており、
前記メス側係合部と前記他のオスロック部のオス側係合部とが係合することにより、前記ロック状態となり、該ロック状態は、前記他のオスロック部のオス側係合部を前記付勢部の付勢力に抗して押圧することにより解除される請求項１に記載のコネクタ。
【請求項５】
前記オスロック部は、第１のオス側係合部が設けられ、互いに接近・離間可能な一対の爪部と、該両爪部が互いに離間するように付勢する付勢部とを有しており、
前記メスロック部は、前記オスロック部と同様の他のオスロック部の第１のオス側係合部と係合可能な第１のメス側係合部と、該第１のメス側係合部と前記他のオスロック部の第１のオス側係合部とが係合したとき該他のオスロック部の両爪部を互いに接近させるように操作可能な操作部とを有しており、
前記第１のメス側係合部と前記他のオスロック部の第１のオス側係合部とが係合することにより、前記ロック状態となる請求項１に記載のコネクタ。
【請求項６】
前記爪部には、第２のオス側係合部が設けられており、
前記メスロック部には、第２のメス側係合部が設けられており、
前記第２のメス側係合部と前記他のオスロック部の各第２のオス側係合部とが係合することにより、前記メスコネクタ部と前記他のオスコネクタ部とが互いに近接するハーフロック状態となる請求項５に記載のコネクタ。
【請求項７】
前記オスロック部は、前記オスコネクタ部の外周側に、該オスコネクタ部と同心的に回転可能に設置され、その内周部にネジ山が形成された、筒状をなすリング部材で構成されており、
前記メスコネクタ部は、その外周部に、前記オスロック部と同様の他のオスロック部のネジ山と係合可能な突部が形成されており、
前記突部と前記他のオスロック部のネジ山とが係合することにより、前記ロック状態となる請求項１に記載のコネクタ。
【請求項８】
前記オスコネクタ部と前記オスロック部とは、突出方向が互いに平行となるように隣接して設けられており、
前記メスコネクタ部と前記メスロック部とは、突出方向が互いに平行となるように隣接して設けられている請求項１に記載のコネクタ。
【請求項９】
前記メスコネクタ部を複数備え、
少なくとも１つの前記メスコネクタ部と前記オスコネクタ部とは、それらの中心線が互いにほぼ直交するように配置されている請求項１に記載のコネクタ。
【請求項１０】
前記メスコネクタ部を複数備え、
少なくとも１つの前記メスコネクタ部と前記オスコネクタ部とは、それらの中心線が互いに平行で、かつ、前記メスコネクタ部の開口部と前記オスコネクタ部の開口部とが互いに反対の方向を向くように配置されている請求項１に記載のコネクタ。
【請求項１１】
前記メスコネクタ部を複数備え、前記各メスコネクタ部の開口部が互いに異なる方向に開口している請求項１に記載のコネクタ。
【請求項１２】
弾性材料で構成され、前記ロック状態となったとき、前記メスコネクタ部と前記他のオスコネクタ部との接続の液密性を保持するシール部材をさらに備える請求項１に記載のコネクタ。
【請求項１３】
前記シール部材は、前記メスコネクタ部の内腔部に設置されており、前記ロック状態のときに前記他のオスコネクタ部の端部に密着する面と、該面に形成され、前記ロック状態のときに開くスリットとを有する請求項１２に記載のコネクタ。
【請求項１４】
前記シール部材は、前記メスコネクタ部の開口部に設置されており、前記メスコネクタ部の内腔部に向って突出する収斂状をなす収斂部を有する請求項１２に記載のコネクタ。
【請求項１５】
前記シール部材は、その形状がリング状をなしており、前記メスコネクタ部の内腔部の内周面に、その周方向に沿って設置されている請求項１２に記載のコネクタ。
【請求項１６】
前記シール部材は、その形状がリング状をなしており、前記オスコネクタ部の外周側に、その周方向にそって設置されている請求項１２に記載のコネクタ。
【請求項１７】
前記オスコネクタ部および前記メスコネクタ部を合計３つ以上備え、これらの前記内腔部のうち、任意の２つの前記内腔部を選択し、これらが連通するように、液体が流通する流路を切り替える流路切替手段をさらに備える請求項１に記載のコネクタ。
【請求項１８】
前記流路切替手段は、前記オスコネクタ部および前記メスコネクタ部に対し回動自在に設置され、前記各内腔部に対応する流路が形成されたコックで構成されており、該コックを回動操作することにより前記各内腔部の開閉を選択する請求項１７に記載のコネクタ。
【請求項１９】
内腔部を有するオスコネクタ部を備え、前記オスコネクタ部には、内腔部を有するメスコネクタ部が接続可能なコネクタであって、
オスロック部、または、当該オスロック部と同様の他のオスロック部が連結可能なメスロック部を備え、
前記メスロック部と前記他のオスロック部とが連結されるロック状態となったとき、または、前記オスロック部と当該メスロック部と同様の他のメスロック部が連結されるロック状態となったとき、前記オスコネクタ部と前記メスコネクタ部とは、これらの前記内腔部同士が連通して、液体が流通可能に接続されることを特徴とするコネクタ。
【請求項２０】
内腔部を有する、メスコネクタ部を備え、前記各メスコネクタ部には、内腔部を有するオスコネクタ部が接続可能なコネクタであって、
オスロック部、または、当該オスロック部と同様の他のオスロック部が連結可能なメスロック部を備え、
前記メスロック部と前記他のオスロック部とが連結されるロック状態となったとき、または、前記オスロック部と当該メスロック部と同様の他のメスロック部が連結されるロック状態となったとき、前記メスコネクタ部と前記オスコネクタ部とは、これらの前記内腔部同士が連通して、液体が流通可能に接続されることを特徴とするコネクタ。
【請求項２１】
可撓性を有するチューブと、
前記チューブの少なくとも一方の端部に接続された請求項１ないし２０のいずれかに記載のコネクタとを備えることを特徴とするチューブ組立体。
【請求項２２】
請求項１ないし２０のいずれかに記載の少なくとも１つのコネクタと、
輸液の流路を構成し、その一端部が前記コネクタに接続可能なチューブ組立体と、
前記チューブ組立体の他端部に設けられ、輸液が収納された収納部側に接続される接続部と、
前記コネクタのオスコネクタ部またはメスコネクタ部と接続し得る輸液投与部側コネクタを有し、患者に対し、輸液を投与する輸液投与部とを備えていることを特徴とする輸液チューブセット。
【請求項２３】
可撓性を有し、液体を収納可能な容器本体と、該容器本体に固定された請求項１ないし２０のいずれかに記載のコネクタとを備える医療用容器であって、
前記コネクタは、前記容器本体に対し液体が注入および／または排出されるポートを形成することを特徴とする医療用容器。
【手続補正２】
【補正対象書類名】明細書
【補正対象項目名】全文
【補正方法】変更
【補正の内容】
【発明の詳細な説明】
【技術分野】
【０００１】
本発明は、コネクタ、チューブ組立体、輸液チューブセットおよび医療用容器に関するものである。
【背景技術】
【０００２】
輸液、輸血、栄養投与等に用いる液体の流路接続を必要とする医療用具においては、薬液、血液、流動食等の液体を持続的、一時的に流す際、液体の流路（回路）の接続、脱離を必要に応じて行う必要がある。このとき、回路の途中に液体の流路同士を接続する接続具を取り付けることが知られている。
【０００３】
このような接続具の代表的なものとしては、例えば、三方活栓（コネクタ）がある。このコネクタは、１つのオス型接続部と、２つのメス型接続部によって構成されている。複数のコネクタを用いて回路を形成するとき、一方のオス型接続部と他方のメス型接続部との嵌合によって回路の接続（形成）をおこなう。このとき、オス型接続部とメス型接続部と嵌合を維持するために、いわゆるルアーロックと呼ばれる固定をおこなう。なお、このルアーロックとは、雌ネジと雄ネジとの螺合による固定のことである。
【０００４】
しかしながら、ルアーロックによる固定では、雌ネジと雄ネジとの螺合（回転）と同様に、複数のコネクタがそれぞれ回転してしまうため、それらの方向が定まり難くなる。このため、コネクタに接続されているチューブに捩れが生じるという問題があった。
【０００５】
また、各コネクタの回転により、雌ネジと雄ネジとの螺合が不本意に解除されてしまう、すなわち、ルアーロックが不本意に解除されてしまうという問題もあった。
【０００６】
このような問題に対し、予め複数のコネクタが接続された多連活栓が１枚の基台（基板）に設けられて（着脱自在に装着されて）いるコネクタ組立体がある。
【０００７】
しかしながら、このコネクタ組立体では、例えば、予め設置されている複数のコネクタに他のコネクタを追加する場合には、基板が使用不可能となる。このため、前述したようなチューブの捩れやルアーロックの不本意な解除という問題が生じる。
【０００８】
また、このような問題に対し、１枚の基板（プレート）に１つのコネクタ（コック）が固定されているコネクタ組立体がある（例えば、特開平７−６７９６８号公報参照）。
【０００９】
このコネクタ組立体では、一方のオス型接続部と他方のメス型接続部との嵌合の維持は、プレート同士の接続によるものである。このため、例えば、コネクタとプレートとの互いの位置精度（寸法精度）が低い場合には、隣り合うコネクタ同士の位置ズレが生じて、これらのコネクタが確実に接続されないという問題があった。また、隣り合うコネクタ同士が確実に接続されないと、一方のオス型接続部と他方のメス型接続部との嵌合が容易に解除されてしまう、すなわち、一方のオス型接続部と他方のメス型接続部とが液体が流通可能に接続されないという問題があった。また、２つのコネクタ組立体同士の着脱における操作性が悪い（劣っている）という問題があった。
【発明の開示】
【発明が解決しようとする課題】
【００１０】
本発明の目的は、容易かつ確実にロック状態とすることができ、かつ、当該ロック状態で液体が確実に流通可能となるコネクタ、チューブ組立体、輸液チューブセットおよび医療用容器を提供することにある。
【課題を解決するための手段】
【００１１】
上記目的を達成するために、本発明は、
内腔部を有するオスコネクタ部と、該オスコネクタ部と同様の他のオスコネクタ部が接続可能な内腔部を有するメスコネクタ部とを備えるコネクタであって、
オスロック部と、
前記オスロック部と同様の他のオスロック部が連結可能なメスロック部とを備え、
前記メスロック部と前記他のオスロック部とが連結されるロック状態となったとき、前記メスコネクタ部と前記他のオスコネクタ部とは、これらの前記内腔部同士が連通して、液体が流通可能に接続されることを特徴とするコネクタである。
【００１２】
これにより、容易かつ確実にロック状態とすることができ、かつ、当該ロック状態で液体が確実に流通可能となる。
【００１３】
また、本発明のコネクタでは、前記メスコネクタ部と前記他のオスコネクタ部とが互いに近接する位置で、前記メスロック部と前記他のオスロック部とがハーフロック状態となるのが好ましい。
これにより、ハーフロック状態から容易にロック状態とすることができる。
【００１４】
また、本発明のコネクタでは、前記ロック状態が解除されると、前記液体の流通が遮断されるよう構成されているのが好ましい。
これにより、液体が漏れ出すのを確実に防止することができる。
【００１５】
また、本発明のコネクタでは、前記オスロック部は、オス側係合部が設けられている爪部と、該爪部を付勢する付勢部とを有しており、
前記メスロック部は、前記オスロック部と同様の他のオスロック部のオス側係合部と係合可能なメス側係合部を有しており、
前記メス側係合部と前記他のオスロック部のオス側係合部とが係合することにより、前記ロック状態となり、該ロック状態は、前記他のオスロック部のオス側係合部を前記付勢部の付勢力に抗して押圧することにより解除されるのが好ましい。
これにより、より容易かつ確実にロック状態とすることができる。
【００１６】
また、本発明のコネクタでは、前記オスロック部は、第１のオス側係合部が設けられ、互いに接近・離間可能な一対の爪部と、該両爪部が互いに離間するように付勢する付勢部とを有しており、
前記メスロック部は、前記オスロック部と同様の他のオスロック部の第１のオス側係合部と係合可能な第１のメス側係合部と、該第１のメス側係合部と前記他のオスロック部の第１のオス側係合部とが係合したとき該他のオスロック部の両爪部を互いに接近させるように操作可能な操作部とを有しており、
前記第１のメス側係合部と前記他のオスロック部の第１のオス側係合部とが係合することにより、前記ロック状態となるのが好ましい。
これにより、より容易かつ確実にロック状態とすることができる。
【００１７】
また、本発明のコネクタでは、前記爪部には、第２のオス側係合部が設けられており、
前記メスロック部には、第２のメス側係合部が設けられており、
前記第２のメス側係合部と前記他のオスロック部の各第２のオス側係合部とが係合することにより、前記メスコネクタ部と前記他のオスコネクタ部とが互いに近接するハーフロック状態となるのが好ましい。
これにより、ハーフロック状態から容易にロック状態とすることができる。
【００１８】
また、本発明のコネクタでは、前記オスロック部は、前記オスコネクタ部の外周側に、該オスコネクタ部と同心的に回転可能に設置され、その内周部にネジ山が形成された、筒状をなすリング部材で構成されており、
前記メスコネクタ部は、その外周部に、前記オスロック部と同様の他のオスロック部のネジ山と係合可能な突部が形成されており、
前記突部と前記他のオスロック部のネジ山とが係合することにより、前記ロック状態となるのが好ましい。
これにより、より容易かつ確実にロック状態とすることができる。
【００１９】
また、本発明のコネクタでは、前記オスコネクタ部と前記オスロック部とは、突出方向が互いに平行となるように隣接して設けられており、
前記メスコネクタ部と前記メスロック部とは、突出方向が互いに平行となるように隣接して設けられているのが好ましい。
【００２０】
これにより、メスコネクタ部と他のオスコネクタ部とを確認することによって、メスコネクタ部を有するコネクタと他のオスコネクタ部を有するコネクタとを正確（確実）に接続することができ、または、メスロック部と他のオスロック部とを確認することによっても、メスロック部を有するコネクタと他のオスロック部を有するコネクタとを正確（確実）に接続することができる。
【００２１】
また、本発明のコネクタでは、前記メスコネクタ部を複数備え、
少なくとも１つの前記メスコネクタ部と前記オスコネクタ部とは、それらの中心線が互いにほぼ直交するように配置されているのが好ましい。
これにより、コネクタ内を流通する液体の流れの方向を転換することができる。
【００２２】
また、本発明のコネクタでは、前記メスコネクタ部を複数備え、
少なくとも１つの前記メスコネクタ部と前記オスコネクタ部とは、それらの中心線が互いに平行で、かつ、前記メスコネクタ部の開口部と前記オスコネクタ部の開口部とが互いに反対の方向を向くように配置されているのが好ましい。
【００２３】
これにより、例えば、２つのコネクタ同士を接続する際、一方のオスコネクタ部と他方のメスコネクタ部とを接続することで、ほぼ直線的にコネクタ同士を接続することができる。
【００２４】
また、本発明のコネクタでは、前記メスコネクタ部を複数備え、前記各メスコネクタ部の開口部が互いに異なる方向に開口しているのが好ましい。
これにより、コネクタ内を流通する液体の流れの方向を転換することができる。
【００２５】
また、本発明のコネクタでは、弾性材料で構成され、前記ロック状態となったとき、前記メスコネクタ部と前記他のオスコネクタ部との接続の液密性を保持するシール部材をさらに備えるのが好ましい。
【００２６】
これにより、ロック状態で、メスコネクタ部と他のオスコネクタ部とが確実に液密に接続される。
【００２７】
また、本発明のコネクタでは、前記シール部材は、前記メスコネクタ部の内腔部に設置されており、前記ロック状態のときに前記他のオスコネクタ部の端部に密着する面と、該面に形成され、前記ロック状態のときに開くスリットとを有するのが好ましい。
【００２８】
これにより、ロック状態で、メスコネクタ部と他のオスコネクタ部とがより確実に液密に接続される。
【００２９】
また、本発明のコネクタでは、前記シール部材は、前記メスコネクタ部の開口部に設置されており、前記メスコネクタ部の内腔部に向って突出する収斂状をなす収斂部を有するのが好ましい。
【００３０】
これにより、ロック状態で、メスコネクタ部と他のオスコネクタ部とがより確実に液密に接続される。
【００３１】
また、本発明のコネクタでは、前記シール部材は、その形状がリング状をなしており、前記メスコネクタ部の内腔部の内周面に、その周方向に沿って設置されているのが好ましい。
【００３２】
これにより、ロック状態で、メスコネクタ部と他のオスコネクタ部とがより確実に液密に接続される。
【００３３】
また、本発明のコネクタでは、前記シール部材は、その形状がリング状をなしており、前記オスコネクタ部の外周側に、その周方向にそって設置されているのが好ましい。
【００３４】
これにより、ロック状態で、メスコネクタ部と他のオスコネクタ部とがより確実に液密に接続される。
【００３５】
また、本発明のコネクタでは、前記オスコネクタ部および前記メスコネクタ部を合計３つ以上備え、これらの前記内腔部のうち、任意の２つの前記内腔部を選択し、これらが連通するように、液体が流通する流路を切り替える流路切替手段をさらに備えるのが好ましい。
【００３６】
これにより、任意のタイミングで例えば液組成の異なる複数種類の液体を混合することができる。
【００３７】
また、本発明のコネクタでは、前記流路切替手段は、前記オスコネクタ部および前記メスコネクタ部に対し回動自在に設置され、前記各内腔部に対応する流路が形成されたコックで構成されており、該コックを回動操作することにより前記各内腔部の開閉を選択するのが好ましい。
【００３８】
これにより、任意のタイミングで例えば液組成の異なる複数種類の液体を混合することができる。
【００３９】
また、上記目的を達成するために、本発明は、
内腔部を有するオスコネクタ部を備え、前記オスコネクタ部には、内腔部を有するメスコネクタ部が接続可能なコネクタであって、
オスロック部、または、当該オスロック部と同様の他のオスロック部が連結可能なメスロック部を備え、
前記メスロック部と前記他のオスロック部とが連結されるロック状態となったとき、または、前記オスロック部と当該メスロック部と同様の他のメスロック部が連結されるロック状態となったとき、前記オスコネクタ部と前記メスコネクタ部とは、これらの前記内腔部同士が連通して、液体が流通可能に接続されることを特徴とするコネクタである。
【００４０】
これにより、容易かつ確実にロック状態とすることができ、かつ、当該ロック状態で液体が確実に流通可能となる。
【００４１】
また、上記目的を達成するために、本発明は、
内腔部を有するメスコネクタ部を備え、前記メスコネクタ部には、内腔部を有するオスコネクタ部が接続可能なコネクタであって、
オスロック部、または、当該オスロック部と同様の他のオスロック部が連結可能なメスロック部を備え、
前記メスロック部と前記他のオスロック部とが連結されるロック状態となったとき、または、前記オスロック部と当該メスロック部と同様の他のメスロック部が連結されるロック状態となったとき、前記メスコネクタ部と前記オスコネクタ部とは、これらの前記内腔部同士が連通して、液体が流通可能に接続されることを特徴とするコネクタである。
【００４２】
これにより、容易かつ確実にロック状態とすることができ、かつ、当該ロック状態で液体が確実に流通可能となる。
【００４３】
また、上記目的を達成するために、本発明は、
可撓性を有するチューブと、
前記チューブの少なくとも一方の端部に接続された本発明のコネクタとを備えることを特徴とするチューブ組立体である。
【００４４】
これにより、容易かつ確実にロック状態とすることができ、かつ、当該ロック状態で液体が確実に流通可能となる。
【００４５】
また、上記目的を達成するために、本発明は、
本発明の少なくとも１つのコネクタと、
輸液の流路を構成し、その一端部が前記コネクタに接続可能なチューブ組立体と、
前記チューブ組立体の他端部に設けられ、輸液が収納された収納部側に接続される接続部と、
前記コネクタのオスコネクタ部またはメスコネクタ部と接続し得る輸液投与部側コネクタを有し、患者に対し、輸液を投与する輸液投与部とを備えていることを特徴とする輸液チューブセットである。
【００４６】
これにより、容易かつ確実にロック状態とすることができ、かつ、当該ロック状態で液体が確実に流通可能となる。
【００４７】
また、上記目的を達成するために、本発明は、
可撓性を有し、液体を収納可能な容器本体と、該容器本体に固定された本発明のコネクタとを備える医療用容器であって、
前記コネクタは、前記容器本体に対し液体が注入および／または排出されるポートを形成することを特徴とする医療用容器である。
【００４８】
これにより、容易かつ確実にロック状態とすることができ、かつ、当該ロック状態で液体が確実に流通可能となる。
【発明を実施するための最良の形態】
【００４９】
以下、本発明のコネクタ、チューブ組立体、輸液チューブセットおよび医療用容器を添付図面に示す好適実施形態に基づいて詳細に説明する。
【００５０】
＜第１実施形態＞
第１図〜第３図は、それぞれ、本発明のコネクタの第１実施形態を示す斜視図、第４図および第５図は、それぞれ、第１図中のＡ−Ａ線断面図、第６図は、第２図中のＢ−Ｂ線断面図、第７図は、第１図（第２図および第３図も同様）に示すコネクタが備える弁体（シール部材）を示す斜視図、第８図は、第１図中のＣ−Ｃ線断面図、第９図は、第３図中のＤ−Ｄ線断面図、第２７図は、本発明の輸液チューブセットの平面図、第２８図は、第２７図に示す輸液チューブセットの各輸液チューブを接続した状態を示す平面図、第２９図は、第２８図に示す輸液チューブセットにおける接続された２つの本発明のコネクタの斜視図である。
【００５１】
なお、説明の都合上、コネクタの長手方向を「ｘ軸方向」、ｘ方向に垂直な方向をそれぞれ「ｙ軸方向」、「ｚ軸方向」という。また、第７図〜第９図、第２７図および第２８図においては、図中の下側を「先端」、上側を「基端」として説明する。
【００５２】
第２７図および第２８図に示す輸液チューブセット（輸液セット）１は、生体（患者）に輸液を注入（投与）する装置（セット）である。
【００５３】
輸液には、例えば、薬液、補正用電解質液、生理食塩水等、生体に投与し得るあらゆる液が含まれる。
【００５４】
また、薬液中の薬剤の種類は、特に限定されず、例えば、鎮静薬、静脈麻酔薬、麻酔系鎮痛薬、局所麻酔薬、非脱分極性筋弛緩薬、昇圧薬、降圧薬、冠血管拡張薬、利尿薬、抗不整脈薬、気管支拡張薬、止血剤、ビタミン剤、抗生剤、脂肪乳剤等いかなるものでもよい。
【００５５】
第２７図に示すように、輸液チューブセット１は、第１の輸液チューブ（第１のチューブ組立体（チューブ組立体））４ｂと、第２の輸液チューブ（第２のチューブ組立体（チューブ組立体））４ａと、第１の輸液チューブ４ｂおよび第２の輸液チューブ４ａのそれぞれの一端部が接続可能なコネクタ５Ａと、第１の輸液チューブ４ｂおよび第２の輸液チューブ４ａのそれぞれの他端部に設けられる瓶針４５１（接続部）と、患者に対し輸液を投与する輸液投与部２とを備えている。以下、これらの各構成要素について順次説明する。
【００５６】
第１図〜第３図に示すように、コネクタ５Ａは、オスコネクタ部（オス形状コネクタ部）６と、メスコネクタ部（メス形状コネクタ部）７Ａおよび７Ｂと、オスロック部（オス形状ロック部）８Ａと、メスロック部（メス形状ロック部）９Ａおよび９Ｂと、弁体（シール部材）５１とを備えている。なお、第１図〜第３図は、それぞれ、コネクタ５Ａとコネクタ５Ａ’との接続前状態、コネクタ５Ａとコネクタ５Ａ’とのハーフロック状態、コネクタ５Ａとコネクタ５Ａ’とのロック状態を示している。
【００５７】
ここで、「コネクタ５Ａ’」とは、コネクタ５Ａと同様のオスコネクタ部６およびオスロック部８Ａとを備えているコネクタのことである。
【００５８】
また、「ハーフロック（仮止め）状態」とは、コネクタ５Ａとコネクタ５Ａ’とが完全に接続されていない状態、すなわち、コネクタ５Ａとコネクタ５Ａ’とを容易に離間させることができる状態のことである。
【００５９】
また、「ロック状態」とは、コネクタ５Ａ（メスロック部９Ｂ）とコネクタ５Ａ’（オスロック部８Ａ）とが完全に接続された状態、すなわち、後述するコネクタ５Ａのメスロック部９Ｂの操作部９３を操作しない限り、コネクタ５Ａとコネクタ５Ａ’との接続が解除されない状態のことである。
【００６０】
第１図に示すように、オスコネクタ部６は、オスコネクタ部本体６１と、管状部６２とを有している。
【００６１】
管状部６２は、オスコネクタ部本体６１からｘ軸正方向に突出して形成されている。この管状部６２は、液体が通過する液体流路（内腔部）６２１と、ルアーテーパ部６２２とを有している。
液体流路６２１は、オスコネクタ部本体６１内に連通している。
【００６２】
ルアーテーパ部６２２は、オスコネクタ部６の開口部６２３側の外周部に、その外径が開口部６２３の方向（ｘ軸正方向）に向かって漸減するように形成されている。
【００６３】
メスコネクタ部７Ａおよび７Ｂは、それぞれ、コネクタ５Ａ’のオスコネクタ部６が接続可能な部位である。メスコネクタ部７Ａとメスコネクタ部７Ｂとの形状（構成）は、ほぼ同一であるため、以下、メスコネクタ部７Ｂについて代表的に説明する。
【００６４】
第８図に示すように、メスコネクタ部７Ｂは、メスコネクタ部本体７２と、蓋部（キャップ）７３とを備えている。
【００６５】
第８図に示すメスコネクタ部本体７２には、形状が有底筒状の弁体設置部７２１が形成されている。この弁体設置部７２１は、内部の基端側に第２の内腔部（内腔部）７２３と、先端側に第２の内腔部７２３と連通する第３の内腔部（内腔部）７２４とが形成されている。第２の内腔部７２３は、その内径が、後述する蓋部７３に形成された第１の内腔部（内腔部）７３１より拡径しており、第３の内腔部７２４（内周面７２８）は、その内径が第２の内腔部７２３より縮径している。この第３の内腔部７２４の内径は、後述する弁体５１の胴部５５（外周面５５１）の最大外径より若干大きいのが好ましい。
【００６６】
また、弁体設置部７２１（メスコネクタ部本体７２）の底面７２２の中心部には、管状体で構成された内部突起７２５が設けられている。オスコネクタ部６を第１の内腔部７３１（接続口７３２）に接続して、弁体５１が押圧され始めたとき、この内部突起７２５により、弁体５１の内部（内側）が支えられて、弁体５１に座屈が生じる（弁体５１がくの字状に折れる）のを防止することができる（第９図参照）。また、液体がコネクタ５Ａ内を通過するに際し、液体の滞留が生じるのを防ぐことができる。
【００６７】
また、この内部突起７２５は、その内腔が、オスコネクタ部本体６１の内部に形成され、液体が通過可能な流路６１１に連通している。これにより、第２の内腔部７２３と第３の内腔部７２４とは、内部突起７２５を介して流路６１１に連通している。
【００６８】
また、弁体設置部７２１の外周面７２６の先端側には、基端側より拡径した段差部７２７が設けられている。
【００６９】
第８図に示す蓋部７３は、内部に弁体５１を収納する空間（内腔部）を有し、メスコネクタ部本体７２の弁体設置部７２１に連結されるものである。
【００７０】
蓋部７３の内部には、後述する弁体５１の頭部５０が挿入可能な第１の内腔部７３１と、第１の内腔部７３１に連通し、第１の内腔部７３１より拡径した嵌合部７３３とが形成されている。
【００７１】
第１の内腔部７３１は、その形状が弁体５１の頭部５０の外形に対応するよう形成されている。また、第１の内腔部７３１の基端側には、オスコネクタ部６を接続するための接続口（接続部）７３２が形成されており、その径は、第１の内腔部７３１の先端側の径より縮径している。
【００７２】
第１の内腔部７３１の内周面７３４には、第１の内腔部７３１の径方向に突出した複数のリブ７３５が、内周面７３４の周方向に沿って等間隔に設けられている。オスコネクタ部６をコネクタ５Ａ（接続口７３２）に接続したとき、このリブ７３５により、弁体５１が支えられて、弁体５１に座屈が生じる（弁体５１が倒れる）のを防止することができる。また、リブ７３５の個数は、特に限定されず、例えば、２〜１０個であるのが好ましく、４〜８つであるのがより好ましい。
【００７３】
嵌合部７３３の先端側には、弁体設置部７２１の段差部７２７と嵌合する段差部７３６が形成されており、その径は、嵌合部７３３の基端側の径より拡径している。また、段差部７３６の内径は、弁体設置部７２１の段差部７２７の外径とほぼ同等またはそれより若干小さいのが好ましい。これにより、蓋部７３（段差部７３６）とメスコネクタ部本体７２（段差部７２７）とが強固に嵌合（連結）する（液密に接する）ことができ、よって、コネクタ５Ａの内部の液体が漏れるのを防止することができる。また、蓋部７３とメスコネクタ部本体７２とが連結した際、第１の内腔部７３１と第２の内腔部７２３とが連通し、第１の内腔部７３１、第２の内腔部７２３および第３の内腔部７２４で形成された空間に弁体５１を設置（収納）することができる。
【００７４】
なお、メスコネクタ部本体７２と蓋部７３との固定方法としては、嵌合に限定されず、例えば、かしめ、接着剤による接着、熱融着、超音波融着等の融着等であってもよい。
【００７５】
第１図（第２図および第３図も同様）に示すように、メスコネクタ部７Ａは、オスコネクタ部本体６１（オスコネクタ部６）に対し、ｘ軸負方向に設けられている。すなわち、メスコネクタ部７Ａは、その中心線がオスコネクタ部６の中心線と平行で、かつ、メスコネクタ部７Ａの開口部７１とオスコネクタ部６の開口部６２３とが互いに反対の方向を向くように配置されている。
【００７６】
これにより、例えば、２つのコネクタ５同士を接続する際、一方のオスコネクタ部６と他方のメスコネクタ部７Ａとを接続することで、ほぼ直線的にコネクタ５同士を接続することができる。
【００７７】
メスコネクタ部７Ｂは、オスコネクタ部本体６１（オスコネクタ部６）に対し、ｚ軸正方向に設けられている。すなわち、メスコネクタ部７Ｂは、その中心線がオスコネクタ部６の中心線とほぼ直交するように設けられている。
【００７８】
このようなメスコネクタ部７Ａおよび７Ｂが設けられていることにより、異なる２方向から液体をオスコネクタ部６へ送ることができたり、オスコネクタ部６からの液体を異なる２方向へ分岐させたりすることができる。
【００７９】
また、例えばメスコネクタ部７Ｂにコネクタ５Ａ’のオスコネクタ部６を接続したとき、コネクタ５Ａ’のルアーテーパ部６２２がメスコネクタ部７Ｂの接続口７３２の縁部（内周部）に確実に嵌合する、すなわち、メスコネクタ部７Ｂにコネクタ５Ａ’のオスコネクタ部６とが液密に接続される（第９図参照）。
【００８０】
第８図および第９図に示すように、メスコネクタ部７Ａ内およびメスコネクタ部７Ｂ内には、それぞれ、弁体５１が収納（固定）されている。
【００８１】
各弁体５１は、弾性材料で構成されている。この弾性材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。このような弾性材料を用いることにより、弁体５１の頂面５１１に適度な弾性を得ることができ、よって、頂面５１１がオスコネクタ部６の開口部（端部）６２３に密着ことができる（第９図参照）。
【００８２】
第７図に示すように、弁体５１は、頭部５０と、頭部５０の先端側に設けられた（形成された）胴部５５とを有している。
【００８３】
第８図に示すように、頭部５０は、その形状が有底筒状をなしており、液体が通過可能な内腔部５１５と、平面状の頂面５１１（底部５１３）から内腔部５１５に到達するスリット５１２とが形成されている。このスリット５１２は、その形状がほぼ一文字状をなしている。スリット５１２がこのように簡単な形状であることにより、より容易に（確実に）スリット５１２が開口する（開く）ことができる。また、頂面５１１が平面状をなしていることにより、頂面５１１（スリット５１２）を容易に消毒することができる。
【００８４】
第１図に示すように、頂面５１１は、メスコネクタ部７Ｂの開口部７１から露出している。また、この頂面５１１は、メスコネクタ部７Ｂの端面とほぼ同一平面上に位置している。
【００８５】
頭部５０は、その頂面５１１付近の外径が胴部５５に向って（ｚ軸負方向に向って）漸増するテーパ状をなすテーパ部５６と、その先端に設けられた外径一定部５７とを有している。
【００８６】
また、テーパ部５６には、テーパ部５６の一部を除去した切欠き部（欠損部）５６１が形成されている。すなわち、頭部５０には、テーパ部５６と外径一定部５７とをまたぐように除去した切欠き部５６１が形成されている。
【００８７】
これにより、コネクタ５Ａに接続（挿入）されているオスコネクタ部６を抜去したとき、すなわち、ロック状態を解除したとき、弁体５１（頭部５０）が蓋部７３の第１の内腔部７３１により容易に入り込むことができ、よって、より確実にスリット５１２が閉じることができる。
【００８８】
また、頭部５０は、スリット５１２が閉じる際に押される、突出した２つの当接部５２を備えている。これら２つの当接部５２は、それぞれ、頭部５０の頂面５１１付近に形成され、スリット５１２が閉じる方向（第７図中、矢印方向）と反対方向に突出している。
【００８９】
このような当接部５２により、頭部５０が蓋部７３の第１の内腔部７３１に挿入されているとき、第１の内腔部７３１の内周面７３４が当接部５２を押圧するため、スリット５１２をより確実に閉じることができる（第８図参照）。また、これにより、コネクタ５Ａ内の液体の圧力（内圧）に対する、弁体５１（スリット５１２）の耐圧性を向上させることができる。
【００９０】
以上のように構成された頭部５０は、オスコネクタ部６が接続されていないとき、スリット５１２が閉じた状態で蓋部７３の第１の内腔部７３１に挿入されている（第８図参照）。
【００９１】
第７図に示すように、胴部５５は、蛇腹状をなした筒状体で構成されている。すなわち、胴部５５は、外形において大径リング部５５２と小径リング部５５３とが軸方向に交互に配列された蛇腹状をなしている。このような胴部５５は、弁体５１をその先端側から基端側に向って（頭部５０が蓋部７３の第１の内腔部７３１に挿入される方向に）付勢する変形部（付勢手段）として機能している。
【００９２】
このように胴部５５が変形部として機能していることにより、別途に付勢手段を構成するための部品をコネクタ５Ａに設ける必要がなく、部品点数の減少、構造の簡素化に寄与することができる。
【００９３】
また、この胴部５５は、弁体５１がその先端側から基端側に向って復元する復元力の大半を担っているが、頭部５０がその復元力の一部を担っいてもよい。
【００９４】
また、胴部５５（筒状体）において、その蛇腹状の箇所における凸部（大径リング部５５２）の個数は、３つまたは４つである。すなわち、その蛇腹状の箇所における凹部（小径リング部５５３）の個数は、４つまたは５つである。
【００９５】
また、スリット５１２は、第９図に示す構成ではオスコネクタ部６の押圧により開口するものであるが、これに限定されず、例えば、オスコネクタ部６の穿通により開口するもの、弁体５１内（メスコネクタ部７Ｂ内）に設けられた針やピンの穿通により開口するものであってもよい。
【００９６】
第１図に示すように、オスロック部８Ａは、基部（オスロック部本体）８１と、基部８１から突出する突出部８２と、突出部８２に設けられた一対の爪部８３Ａ、８３Ａと、各爪部８３Ａを付勢する付勢部８４とを有している。
【００９７】
基部８１は、その形状が長尺状をなしている。
基部８１（オスロック部８Ａ）のｙ軸正方向には、基部８１に隣接してオスコネクタ部６のオスコネクタ部本体６１が固着（固定）されている。また、基部８１のｘ軸正方向には、その方向に突出した突出部８２が形成されている。
【００９８】
突出部８２のｚ軸方向（第１図中の上下方向）には、それぞれ、爪部８３Ａおよび８３Ａが設けられている。両爪部８３Ａ、８３Ａは、それぞれの端部８３１が互いにｚ軸方向に接近・離間する。
【００９９】
各爪部８３Ａの端部８３１には、当該端部８３１の一部を切欠いた（欠損させた）ような第１のオス側係合部８３２が設けられている。
【０１００】
また、各爪部８３Ａのｙ軸方向に面する両側面には、それぞれ、凹状の第２のオス側係合部８３３が設けられている。
【０１０１】
第２のオス側係合部８３３の深さは、特に限定されないが、例えば、０．０５〜０．６ｍｍであるのが好ましく、０．１〜０．４ｍｍであるのがより好ましい。
【０１０２】
付勢部８４は、突出部８２と爪部８３Ａとの間に設けられている。この付勢部８４は、両爪部８３Ａ、８３Ａのそれぞれの端部８３１（第１のオス側係合部８３２）が互いに離間するように各爪部８３Ａを付勢する。
【０１０３】
このような構成のオスロック部８Ａは、オスコネクタ部６と対応する（隣接した）位置にある（第１図参照）。また、オスロック部８Ａとオスコネクタ部６とは、それぞれ、ｘ軸方向に沿って形成されている、すなわち、接続方向（突出方向）が互いに平行となっている。
【０１０４】
第１図に示すように、メスロック部９Ａおよび９Ｂは、それぞれ、コネクタ５Ａ’のオスロック部８Ａが連結可能な部位である。
【０１０５】
メスロック部９Ａは、基部８１（オスロック部８Ａ）に対し、ｘ軸負方向に設けられている。また、メスロック部９Ｂは、基部８１（オスロック部８Ａ）に対し、ｚ軸正方向に設けられている。メスロック部９Ａとメスロック部９Ｂとの形状（構成）は、ほぼ同一であるため、以下、メスロック部９Ｂについて代表的に説明する。
メスロック部９Ｂは、全体形状としてほぼ管状をなしている。
【０１０６】
第４図および第６図に示すように、メスロック部９Ｂには、コネクタ５Ａ’のオスロック部８Ａの各第１のオス側係合部８３２と係合可能な第１のメス側係合部９１と、コネクタ５Ａ’のオスロック部８Ａの各第２のオス側係合部８３３と係合可能な第２のメス側係合部９２と、コネクタ５Ａ’のオスロック部８Ａの各爪部８３Ａを操作可能な操作部９３とが設けられている。
【０１０７】
第４図に示すように、第１のメス側係合部９１は、メスロック部９Ｂの開口部９４側の内周部の大きさがｚ軸負方向（第４図中、左方向）に向って漸減するように形成されている。第４図（ｃ）に示すように、第１のメス側係合部９１の端部９１１が、コネクタ５Ａ’のオスロック部８Ａの第１のオス側係合部８３２に係合することにより、コネクタ５Ａ（メスロック部９Ｂ）とコネクタ５Ａ’（オスロック部８Ａ）とがロック状態となる。
【０１０８】
第６図に示すように、第２のメス側係合部９２は、メスロック部９Ｂの内周部の途中に突出して設けられている。第６図（ｂ）に示すように、第２のメス側係合部９２がコネクタ５Ａ’のオスロック部８Ａの第２のオス側係合部８３３に係合することにより、コネクタ５Ａとコネクタ５Ａ’とがハーフロック状態となる。
【０１０９】
第５図に示すように、操作部９３は、第１のメス側係合部９１に対して、ｚ軸負方向に設けられた小片で構成されている。この操作部９３は、ロック状態のコネクタ５Ａ’（オスロック部８Ａ）の両爪部８３Ａの端部８３１を互いに接近させるように、各爪部８３Ａを操作（押圧）する。
【０１１０】
また、操作部９３は、その外面が第１のメス側係合部９１の外面とほぼ同一面上にあるように形成されている。これにより、操作部９３に対して不本意に触れる（押圧する）のを防止することができる。すなわち、ロック状態を不本意に解除するのを防止することができる。
【０１１１】
このような構成のメスロック部９Ｂは、メスコネクタ部７Ｂと対応する（隣接する）位置にある（第１図参照）。また、メスロック部９Ｂとメスコネクタ部７Ｂとは、それぞれ、ｚ軸方向に沿って形成されている、すなわち、接続方向（形成方向）が互いに平行となっている。
【０１１２】
このように、コネクタ５Ａでは、オス同士（オスロック部８Ａおよびオスコネクタ部６）、メス同士（メスロック部９Ｂおよびメスコネクタ部７Ｂ）がそれぞれ対応している。これにより、メスコネクタ部７Ｂとオスコネクタ部６とを確認することによって、コネクタ５Ａとコネクタ５Ａ’とを正確（確実）に接続することができ、または、メスロック部９Ｂとオスロック部８Ａとを確認することによっても、コネクタ５Ａとコネクタ５Ａ’とを正確（確実）に接続することができる。
【０１１３】
なお、第２のオス側係合部８３３の形成数は、４つに限定されず、例えば、２つ、６つなどの偶数個であってもよい。
【０１１４】
また、ハーフロック状態における第２のメス側係合部９２が第２のオス側係合部８３３に係合する深さは、特に限定されないが、例えば、０．０２〜０．５ｍｍであるのが好ましく、０．１５〜０．３５ｍｍであるのがより好ましい。これにより、第２のメス側係合部９２と第２のオス側係合部８３３との係合力を適宜設定することができる。
【０１１５】
また、コネクタ５Ａの弁体５１を除く部位の構成材料としては、特に限定されず、それぞれ、例えば、ポリエチレン、ポリプロピレン、ポリブタジエン等のポリオレフィン、ポリウレタン、ポリスチレン、ポリメチルメタクリレート等のアクリル系樹脂、ポリカーボネート、ポリアミド、ポリエチレンテレフタレート等のポリエステル、ＡＢＳ樹脂、ＡＳ樹脂、アイオノマー等のフッ素系樹脂等の各種樹脂材料、ポリウレタン系、ポリエステル系、ポリアミド系、オレフィン系、スチレン系等の各種熱可塑性エラストマー、ステンレス鋼、アルミニウム、チタン等の各種金属材料、各種ガラス材等が挙げられ、これらを単独であるいは任意に組み合わせて（例えば複合材料として）用いることができる。
【０１１６】
次に、コネクタ５Ａとコネクタ５Ａ’との接続過程（ハーフロック状態、ロック状態）について説明する。
【０１１７】
第１図（第６図（ａ））に示すように、コネクタ５Ａとコネクタ５Ａ’とが互いに離間した状態から、コネクタ５Ａ’のオスロック部８Ａをコネクタ５Ａのメスロック部９Ｂに接近させる。
【０１１８】
第４図（ａ）に示すように、コネクタ５Ａ’のオスロック部８Ａがコネクタ５Ａのメスロック部９Ｂ内に挿入されるのに伴って、コネクタ５Ａの第１のメス側係合部９１がコネクタ５Ａ’の付勢部８４の付勢力に抗して、コネクタ５Ａ’の爪部８３Ａを押圧する。
【０１１９】
第４図（ｂ）に示すように、コネクタ５Ａ’のオスロック部８Ａをコネクタ５Ａのメスロック部９Ｂ内にさらに押し込むと、第６図（ｂ）に示すように、コネクタ５Ａ’の第２のオス側係合部８３３がコネクタ５Ａの第２のメス側係合部９２に係合する、すなわち、コネクタ５Ａ’とコネクタ５Ａとがハーフロック状態となる。このとき、コネクタ５Ａ’のオスコネクタ部６（開口部６２３）とコネクタ５Ａのメスコネクタ部７Ｂ（頂面５１１）とが互いに当接（近接）している（第２図参照）。これにより、ハーフロック状態からロック状態へ変化させるときに、コネクタ５Ａ’のオスコネクタ部６の端面（開口部６２３）が確実にコネクタ５Ａの弁体５１の頂面５１１を迅速に押圧することができる。
【０１２０】
コネクタ５Ａ’のオスロック部８Ａをコネクタ５Ａのメスロック部９Ｂ内にさらに押し込むと、コネクタ５Ａ’の第２のオス側係合部８３３とコネクタ５Ａの第２のメス側係合部９２との係合が外れる、すなわち、ハーフロック状態が解除される。
【０１２１】
この状態から、コネクタ５Ａ’のオスロック部８Ａとコネクタ５Ａのメスロック部９Ｂとをさらに接近させると、コネクタ５Ａ’の第１のオス側係合部８３２がコネクタ５Ａの第１のメス側係合部９１に係合する、すなわち、コネクタ５Ａ’とコネクタ５Ａとがロック状態となる（第４図（ｃ）参照）。このように、コネクタ５Ａ’とコネクタ５Ａとをハーフロック状態から容易にロック状態とすることができる。
【０１２２】
なお、ハーフロック状態のとき、コネクタ５Ａ’のオスコネクタ部８Ａとコネクタ５Ａの弁体５１とが互いに近接しているが、この場合、これらが互いに密着していてもよい。
【０１２３】
第９図に示すように、ロック状態のとき、コネクタ５Ａ’のオスコネクタ部６の開口部６２３がコネクタ５Ａの頭部５０の頂面５１１を軸方向に押圧している。これにより、胴部５５が軸方向に変形し（圧縮され）、頭部５０が第１の内腔部７３１から移動して、第２の内腔部７２３に入り込む。頭部５０は、それまで第１の内腔部７３１内で第１の内腔部７３１の内周面７３４に規制されていたが、第２の内腔部７２３に移動したことにより、頭部５０の外周面の規制が解除または緩和され、その結果、軸方向の圧縮により、第９図中の矢印方向に充分に拡径することができる、すなわち、充分に変形することができる。従って、スリット５１２が確実かつ充分に開く（開口する）ことができる。また、これにより、弁体５１（スリット５１２）を介して、コネクタ５Ａ’のオスコネクタ部６の液体流路６２１と、コネクタ５Ａのメスコネクタ部７Ｂの内部突起７２５の内腔部（中空部）とが連通する、すなわち、流通可能に接続され、よって、例えば、輸液、輸血、栄養投与等の際、液体が円滑に通過することができる。
【０１２４】
また、ロック状態のとき、弁体５１の胴部５５の付勢力に抗して、コネクタ５Ａ’のオスコネクタ部６の開口部６２３が弁体５１の頭部５０を押圧するため、当該オスコネクタ部６の開口部６２３と頭部５０（弁体５１）の頂面５１１とが密着する。これにより、オスコネクタ部６とメスコネクタ部７Ｂとの接続の液密性を保持することができる、すなわち、これらを確実に液密に接続することができる。
【０１２５】
また、コネクタ５Ａ’とコネクタ５Ａとのロック状態の解除は、コネクタ５Ａの操作部９３を操作することにより行われる。
【０１２６】
換言すれば、第５図（ａ）に示すロック状態から、第５図（ｂ）に示すように、コネクタ５Ａの操作部９３でコネクタ５Ａ’の爪部８３Ａを押圧する。これにより、コネクタ５Ａの第１のメス側係合部９１と、コネクタ５Ａ’の第１のオス側係合部８３２との係合が外れる（解除される）。このとき、弁体５１の頭部５０は、胴部５５の復元力により再度第１の内腔部７３１に移動し、前述したようにスリット５１２が閉じる。これにより、コネクタ５Ａとコネクタ５Ａ’との間の液体の流通が遮断され、よって、液体が例えばコネクタ５Ａから漏れ出すのを確実に防止することができる。
【０１２７】
その後、第５図（ｃ）に示すように、コネクタ５Ａ’を引くと、コネクタ５Ａ’とコネクタ５Ａとが互いに離間する。
【０１２８】
なお、前記係合が外れるとき、コネクタ５Ａのメスコネクタ部７Ｂと、コネクタ５Ａ’のオスコネクタ部６との嵌合力が小さい場合、弁体５１の付勢力により、コネクタ５Ａ’がコネクタ５Ａから弾かれるように離脱する。すなわち、コネクタ５Ａ’をコネクタ５Ａから容易に離脱させることができる。
【０１２９】
また、離脱の際には、コネクタ５Ａ’の付勢部８４の付勢力（弾性力）を爪部８３Ａのコネクタ５Ａの第１のメス側係合部９１の内周面に対する反発力として利用することができる。
【０１３０】
また、このようにコネクタ５Ａ’がコネクタ５Ａから弾かれるように離脱することができることにより、例えば、コネクタ５Ａ’とコネクタ５Ａとの接続が緩い場合には、コネクタ５Ａ’がコネクタ５Ａから弾かれる。これにより、コネクタ５Ａ’とコネクタ５Ａとがロック状態であるか否かを確認することができる。
【０１３１】
また、前記嵌合力が大きい場合には、弾かれるように離脱しないため、コネクタ５Ａ内を流通した液体（例えば、周辺へ飛散しない方がよい抗癌剤などの液体）が周辺（外部）へ飛散するのを防止または抑制することができる。
【０１３２】
このように、コネクタ５Ａとコネクタ５Ａ’とは、コネクタ５Ａ’のオスロック部８Ａをコネクタ５Ａのメスロック部９Ｂ内に押し込むという簡単な操作で、コネクタ５Ａとコネクタ５Ａ’と完全に接続することができる、すなわち、確実にロック状態とすることができる。
【０１３３】
また、ロック状態となるのとほぼ同時に、コネクタ５Ａのメスコネクタ部７Ｂとコネクタ５Ａ’のオスコネクタ部６とが液密に接続される。
【０１３４】
また、ハーフロック状態では、弁体５１の変形が抑制（防止）されている。例えば、コネクタ５Ａとコネクタ５Ａ’とがハーフロック状態の輸液チューブセット１を出荷した場合、この輸液チューブセット１が使用されるまでの弁体５１が長時間変形するのが防止される。これにより、弁体５１が塑性変形して、スリット５１２が常時開口した状態となるのを防止することができる。
【０１３５】
また、図示の構成では、ロック状態のとき、コネクタ５Ａ’のオスコネクタ部６のルアーテーパ部６２２と、コネクタ５Ａのメスコネクタ部７Ｂの接続口７３２の内周部とが嵌合（密着）しているが、これに限定されず、これらが嵌合していなくてもよい、すなわち、これらの間に間隙が形成されていてもよい。なお、コネクタ５Ａ’のオスコネクタ部６のルアーテーパ部６２２と、コネクタ５Ａのメスコネクタ部７Ｂの接続口７３２の内周部とが嵌合している場合には、コネクタ５Ａ’のオスコネクタ部６と、コネクタ５Ａのメスコネクタ部７Ｂとがより液密に接続される。
【０１３６】
また、コネクタ５Ａは、1つのオスコネクタ部６と、２つのメスコネクタ部７Ａおよび７Ｂと、１つのオスロック部８Ａと、２つのメスロック部９Ａおよび９Ｂとで構成されたものであるが、これに限定されず、例えば、１つのオスコネクタ部６と、１つのオスロック部８Ａまたは１つのメスロック部９Ａ（メスロック部９Ｂも同様）とで構成されたものであってもよいし、１つのメスコネクタ部７Ａ（メスコネクタ部７Ｂも同様）と、１つのオスロック部８Ａまたは１つのメスロック部９Ａ（メスロック部９Ｂも同様）とで構成されたものであってもよい。
【０１３７】
第２７図に示すように、輸液投与部２は、患者の血管１１０に留置される留置針またはカテーテル（本実施形態では、留置針２１）と、この留置針またはカテーテル（本実施形態では、留置針２１）の基端部に接続された輸液投与部側コネクタ２６とを有している。
【０１３８】
留置針２１（またはカテーテル）の構成材料としては、留置する部位によっては、翼付静注針など金属の針のものでもよいが、好ましくは可撓性を有する高分子材料、例えば、ポリエチレン、ポリプロピレン等のポリオレフィン、ポリエステル、ポリウレタン等の熱可塑性樹脂等が挙げられる。
【０１３９】
輸液投与部側コネクタ２６は、第２の輸液チューブ４ａが接続されているコネクタ５Ａのオスロック部８Ａおよびオスコネクタ部６とそれぞれ接続し得るメスロック部９Ａおよびメスコネクタ部７Ａと、これらと同様のメスロック部９Ｂおよびメスコネクタ部７Ｂと、オスコネクタ部２６３とを有している。
【０１４０】
また、オスコネクタ部２６３の軸と、メスコネクタ部７Ａの軸とは、略一致し、メスコネクタ部７Ｂの軸は、これらの軸と略直交している。すなわち、オスコネクタ部２６３と、メスコネクタ部７Ａとは、互いに反対方向を向いており、メスコネクタ部７Ｂは、これらオスコネクタ部２６３およびメスコネクタ部７Ａに対し、略垂直な方向を向いている。
【０１４１】
輸液投与部側コネクタ２６は、オスコネクタ部２６３に、ワンタッチで止められるストップクランプ２５を通したチューブ２４が液密に接続されている。チューブ２４の先端側は、オスコネクタ部２３が接続されている。オスコネクタ部２３は、ルアーコネクタ、ルアーロックコネクタなど、留置針やカテーテルの出口ポート２１１と液密に接続され得るものであれば、特に限定されないが、ルアーロックコネクタが好ましい。
【０１４２】
留置針２１は、その基端部に、出口ポート２１１を有しており、この出口ポート２１１に、前記輸液投与部側コネクタ２６に取り付けられたオスコネクタ部２３が液密に接続されている。
【０１４３】
次に、第１の輸液チューブ４ｂおよび第２の輸液チューブ４ａを説明するが、これら第１の輸液チューブ４ｂと第２の輸液チューブ４ａとの構成は同様であるので、代表的に、第２の輸液チューブ４ａを説明する。
【０１４４】
第２の輸液チューブ４ａは、可撓性（柔軟性）を有し、輸液の流路を構成するチューブ４１と、チューブ４１の一方の端部（先端部）に設けられたコネクタ４３と、チューブ４１の他方（本実施形態では、他方の端部（基端部））に設けられ、輸液が収納された輸液バッグ（輸液容器）（収納部）３１側に接続される接続部として、鋭利な針先を有する瓶針４５１とを備えている。
【０１４５】
チューブ４１の構成材料としては、例えば、軟質ポリ塩化ビニル、エチレン−酢酸ビニル共重合体、ポリエチレン、ポリプロピレン、ポリブタジエン等、あるいはこれらを主とする材料が挙げられる。
【０１４６】
また、チューブ４１の途中には、輸液の流量を調節する流量調節手段として、スライド式のクレンメ（スライドクレンメ）４６と、点滴筒４４とが、それぞれ、設けられている。このスライドクレンメ４６としては、特に限定されず、従来公知のものを用いることができるが、例えば、特開２００４−４９３１９号公報のようなものが挙げられる。
【０１４７】
また、スライドクレンメ４６は、ローラー型のクレンメなど、流量を調節できるものであれば、他のものでも構わない。
【０１４８】
輸液バッグ３１内には、所定の輸液が収納されており、瓶針４５１がこの輸液バッグ３１の栓（ゴム栓）を穿通（穿刺）すると、瓶針４５１を介し、輸液バッグ３１と第２の輸液チューブ４ａとが接続され、輸液バッグ３１から第２の輸液チューブ４ａ側へ輸液が供給され得る状態となる。
【０１４９】
点滴筒４４は、瓶針４５１の近傍に設置されている。この点滴筒４４により、輸液の流量を目視で確認することができる。
【０１５０】
また、逆流防止弁４９が、コネクタ４３と点滴筒４４の間に設置されている。逆流防止弁４９は、輸液バッグ３１からコネクタ５Ａの方向への一方向弁である。逆流防止弁４９は、コネクタ４３と点滴筒４４の間であれば、どこに設置されても良いが、好ましくは、コネクタ４３により近い所、更に好ましくは、コネクタ４３の内部に設置される方が良い。
【０１５１】
逆流防止弁４９は、その内部に、図示しない一対の板状の開閉部材が形成された弁本体を有し、各開閉部材は、弾性力（復元力）により互いに密着し、これにより、逆流防止弁４９内の流路は、閉塞している。輸液流が先端側から基端側に向いている場合には、その輸液により圧力が各開閉部材の外面にかかり、開閉部材同士を密着させるように作用する。このため、輸液は、先端側から基端側には流れない。
【０１５２】
一方、輸液流が基端側から先端側に向いている場合には、その輸液により所定の圧力が各開閉部材の基端側（テーパ面）にかかり、その圧力により各開閉部材が離間する方向に変位し、逆流防止弁４９内の流路が開通する。これにより、輸液は、基端側から先端側に流れる。
【０１５３】
逆流防止弁４９は、輸液ポンプなどによって注入が確実な場合には無くとも良い場合もあるが、設置されていることがより好ましい。この第２の輸液チューブ４ａによれば、第２の輸液チューブ４ａのコネクタ５Ａに接続された第１の輸液チューブ４ｂからある程度の圧力を加えて輸液を投与しても、逆流防止弁４９により、その輸液が第２の輸液チューブ４ａの上流側（基端側）へ流れ込むのを防止することができ、確実に、輸液を患者へ投与することができる。
【０１５４】
チューブ４１の先端部には、コネクタ４３が設けられている。このコネクタ４３は、オスコネクタ部６とオスロック部８Ａとを有している。これにより、コネクタ４３は、コネクタ５Ａと接続することができる。
【０１５５】
このように、コネクタ５Ａ、コネクタ４３および輸液投与部側コネクタ２６には、オスロック部８Ａおよびメスロック部９Ａ、９Ｂの少なくとも１つの部位が設けられているため、これらのコネクタ同士を接続したときには、従来のルアーロックのようにネジ式のものと比べて、捻れた状態でロックされるということを防ぐことができる。すなわち、このような接続方法を用いることにより、輸液チューブが多数繋がれた場合にも、輸液チューブが一定の方向に整列した状態を、簡単に保つことができる。
【０１５６】
また、例えばコネクタ４３のオスロック部８Ａとコネクタ５Ａのメスロック部９Ｂとの接続が完了したとき（ロック状態のとき）には、「カチッ」というクリック音（接続を確認する音）が聞こえる。このことにより、どこまで締めればロックされているのかわからないネジ式のものと比較して、より確実にロックされたことが、音でも確認することができる。以下、コネクタ同士の接続においては、オスロック部８Ａとメスロック部９Ｂとの接続を代表的に説明する。
【０１５７】
また、ルアーコネクタのように、傾斜部（テーパ部）のすりあわせで嵌合しているものの場合は、その嵌合したあとのコネクタ間の距離が一定でないため、平行に設置したオスロック部８Ａとメスロック部９Ｂとは、寸法精度が極めて厳密でなければならないが、コネクタ５Ａは後述する弁体５１を備えていることから、弁体５１の弾性によって、コネクタ間の距離のズレを許容しやすい。このため、液密な状態を保持したまま、寸法精度を厳密にしなくとも確実なロック（接続）を実現できる。
【０１５８】
また、さらに、例えばコネクタ４３のオスロック部８Ａとコネクタ５Ａのメスロック部９Ｂとの接続の状態は、前述したように、ハーフロック状態と、ロック状態とをとり得る。
【０１５９】
例えば、コネクタ４３のオスコネクタ部６は、第２の輸液チューブ４ａを使用するまでは、コネクタ５Ａのメスコネクタ部７Ｂに設置されている弁体５１を開通させない程度の位置で、緩く嵌合されている。すなわち、コネクタ４３は、第２の輸液チューブ４ａを使用するまでは、コネクタ５Ａとハーフロック状態で接続されている。これにより、弁体５１が輸液を流す直前まで、変形することなく保持され、弁体の機能を全く損なわずに使用することができる。
【０１６０】
また、ロック状態では、コネクタ４３のオスコネクタ部６とコネクタ５Ａのメスコネクタ部７Ｂとは液密に接続されているため、第２の輸液チューブ４ａからコネクタ５Ａへ液体を確実に流通させることができる。
【０１６１】
次に、輸液チューブセット１の作用（使用方法）を説明する。
ここでは、第２の輸液チューブ４ａを、患者に輸液を投与するための第１輸液ライン（第１輸液ルート）、すなわち、主に、基本液等が流される輸液チューブとし、第１の輸液チューブ４ｂを、患者に輸液を投与するための第２輸液ライン（第２輸液ルート）、すなわち、主に、副ルートとして用い、例えば、脂肪乳剤、治療薬、抗生剤等が流される輸液チューブとする場合を例に挙げて説明する。
【０１６２】
第２の輸液チューブ４ａを接続するにあたり、まず、輸液バッグ３１に、例えば維持輸液剤を調剤する。
【０１６３】
次に、コネクタ４３のオスコネクタ部６をコネクタ５Ａのメスコネクタ部７Ｂに押し込み、液密に嵌合させる。
【０１６４】
次に、第２７図に示すように、この輸液の収納された輸液バッグ３１の栓（ゴム栓）に第２の輸液チューブ４ａの瓶針４５１を穿通（穿刺）する。これにより、瓶針４５１を介し、輸液バッグ３１と第２の輸液チューブ４ａとが接続され、輸液バッグ３１から第２の輸液チューブ４ａ側へ輸液が供給され得る状態となる。
【０１６５】
次に、第２の輸液チューブ４ａの流路をプライミングする。
次に、患者の血管（例えば、末梢静脈等）１１０に留置された留置針２１の出口ポート２１１に接続された輸液投与部側コネクタ２６のメスコネクタ部７Ａに、第２の輸液チューブ４ａのコネクタ５Ａのオスコネクタ部６を挿入し、嵌合させる。これにより、輸液投与部側コネクタ２６のメスコネクタ部７Ａと第２の輸液チューブ４ａのコネクタ５Ａのオスコネクタ部６とが液密に接続される。このとき、輸液投与部側コネクタ２６のメスロック部９Ａとコネクタ５Ａのオスロック部８Ａとがロック状態となり、接続が容易に解除されるのが防止されている。
【０１６６】
次に、第２の輸液チューブ４ａのスライドクレンメ４６を操作し、第２の輸液チューブ４ａの輸液の流量（投与速度）を維持輸液剤の指示流量（指示投与速度）に調節し、その輸液を投与する。
【０１６７】
なお、輸液投与部側コネクタ２６を省略し、第２の輸液チューブ４ａのコネクタ５Ａのオスコネクタ部６を、留置針２１の出口ポート２１１に接続してもよい。
【０１６８】
次に、患者の容態によって、一定時間の間隔をおいて、例えば抗生剤を投与するために用いる第１の輸液チューブ４ｂを接続するにあたり、まず、輸液バッグ３２に抗生剤を溶解した生理食塩水を調剤する。
【０１６９】
次に、第１の輸液チューブ４ｂのコネクタ４３のオスコネクタ部６をコネクタ５Ａのメスコネクタ部７Ｂに押し込み、液密に嵌合させる。
【０１７０】
次に、この輸液の収納された輸液バッグ３２の栓（ゴム栓）に第１の輸液チューブ４ｂの瓶針４５１を穿通（穿刺）する。これにより、瓶針４５１を介し、輸液バッグ３２と第１の輸液チューブ４ｂとが接続され、輸液バッグ３２から第１の輸液チューブ４ｂ側へ輸液が供給され得る状態となる。
【０１７１】
次に、第１の輸液チューブ４ｂの流路をプライミングする。
次に、第２８図および第２９図に示すように、第２の輸液チューブ４ａのコネクタ５Ａのメスコネクタ部７Ａに、第１の輸液チューブ４ｂのコネクタ５Ａのオスコネクタ部６を挿入し、嵌合させる。これにより、第２の輸液チューブ４ａのコネクタ５Ａのメスコネクタ部７Ａと第１の輸液チューブ４ｂのコネクタ５Ａのオスコネクタ部６とが液密に接続される。このとき、第２の輸液チューブ４ａのメスロック部９Ａと第１の輸液チューブ４ｂのオスロック部８Ａとがロック状態となり、接続が容易に解除されるのが防止されている（第２９図参照）。
【０１７２】
次に、第１の輸液チューブ４ｂのスライドクレンメ４６を操作し、第１の輸液チューブ４ｂの輸液の流量（投与速度）を抗生剤の指示流量（指示投与速度）に調節し、その輸液を投与する。
【０１７３】
このようにして、第２の輸液チューブ４ａから維持輸液剤を、第１の輸液チューブ４ｂから抗生剤を溶解した生理食塩水を、それぞれ、患者に投与することができる（混注することができる）。
【０１７４】
また、輸液ライン（輸液ルート）を増設する場合には、前記と同様にして、第１の輸液チューブ４ｂのコネクタ５Ａのメスコネクタ部７Ａに、図示しない他の輸液チューブのコネクタ５Ａのオスコネクタ部６を挿入し、嵌合させる。これにより、第１の輸液チューブ４ｂのコネクタ５Ａのメスコネクタ部７Ａと他の輸液チューブのコネクタ５Ａのオスコネクタ部６とが液密に接続される。
【０１７５】
以下、同様にして、輸液ラインをいくつでも増設することができる。
なお、前記輸液チューブセット１の使用方法は、一例であり、これに限定されるものではない。
【０１７６】
例えば、輸液を第２の輸液チューブ４ａから患者に投与している場合において、第１の輸液チューブ４ｂにより、その補充を行ってもよい。
【０１７７】
以上説明したように、この輸液チューブセット１によれば、常に、輸液チューブの接続用のポート（メスコネクタ部７Ａ、７Ｂおよびオスコネクタ部６）が存在するので、容易、迅速かつ確実に、輸液ライン（輸液ルート）を増設することができる。
【０１７８】
すなわち、常に、輸液チューブの接続用のポートが存在するので、例えば、患者の容態の急変時等に輸液チューブの接続ポートが足りなくなることが防止される。
【０１７９】
また、前記各輸液ラインは、液密のものとなる。
また、輸液ラインを増設する際は、一方のコネクタ５Ａのオスロック部８Ａを他方のコネクタ５Ａのメスロック部９Ａまたは９Ｂへ挿入するだけでよいので、既に接続されている輸液チューブから輸液を投与（例えば、薬剤を微量投与）しつつ、輸液ラインを増設することができる。これにより、例えば、血中の薬剤濃度が変化して、症状に変化が出るリスクを回避することができる。
【０１８０】
また、輸液ラインを増設する際は、輸液ラインを開放して再度組み立てて接続し直す必要がない。これにより、輸液ラインの繋ぎ違えや細菌によるルート汚染の機会が増大する等のリスクを回避することができる。
【０１８１】
なお、本発明では、輸液チューブセットにおける輸液チューブの数は、１つでもよく、また、３つ以上でもよい。
【０１８２】
また、本発明では、輸液チューブセットが複数の輸液チューブを有する場合、その輸液チューブは、すべて同一でもよく、また、すべて異なっていてもよく、また、一部のみ同一でもよい。
【０１８３】
＜第２実施形態＞
第１０図および第１１図は、それぞれ、本発明のコネクタの第２実施形態を示す縦断面図である。
【０１８４】
以下、これらの図を参照して本発明のコネクタの第２実施形態について説明するが、前述した実施形態との相違点を中心に説明し、同様の事項はその説明を省略する。
【０１８５】
本実施形態は、シール部材の形態が異なること以外は前記第１実施形態と同様である。
第１０図および第１１図に示すように、コネクタ５Ｂのメスコネクタ部７Ｂの接続口７３２（第１の内腔部７３１）には、その内周面７３４に沿って、Ｏリング（シール部材）５８が固定されている。このＯリング５８は、その縦断面形状が円形をなしている。
【０１８６】
メスコネクタ部７Ｂの接続口７３２の内周面７３４には、リング状の凹部７３７が周方向に沿って形成されている。この凹部７３７にＯリング５８が嵌合（固定）されている。
【０１８７】
また、凹部７３７の縦断面形状は、Ｏリング５８が容易かつ確実に嵌合可能な形状、すなわち、ほぼ半円状をなしている。
【０１８８】
Ｏリング５８を設けたことにより、ロック状態では、コネクタ５Ａ’のオスコネクタ部６のルアーテーパ部６２２がＯリング５８の内側に密着することができる（第１１図参照）。また、これとともに、前記第１実施形態で記載したように、ロック状態では、コネクタ５Ａ’のオスコネクタ部６の開口部６２３が弁体５１の頂面５１１に密着している。
【０１８９】
このような構成により、コネクタ５Ａ’のオスコネクタ部６とコネクタ５Ｂのメスコネクタ部７Ｂとをより確実に液密に接続することができる。
【０１９０】
なお、Ｏリング５８の断面形状は、円形であるのに限定されず、例えば、楕円形状、四角形状等であってもよい。
【０１９１】
また、Ｏリング５８の構成材料としては、特に限定されないが、例えば、弁体５１の説明で挙げたような材料を用いることができる。
【０１９２】
また、コネクタ５Ｂでは、弁体５１が設置されているが、これに限定されず、弁体５１が省略されていてもよい。弁体５１が省略されている場合であっても、前述したようにコネクタ５Ａ’のオスコネクタ部６のルアーテーパ部６２２がＯリング５８に密着することができるため、コネクタ５Ａ’のオスコネクタ部６とコネクタ５Ｂのメスコネクタ部７Ｂとを確実に液密に接続することができる。
【０１９３】
＜第３実施形態＞
第１２図および第１３図は、それぞれ、本発明のコネクタの第３実施形態を示す縦断面図である。
【０１９４】
以下、これらの図を参照して本発明のコネクタの第３実施形態について説明するが、前述した実施形態との相違点を中心に説明し、同様の事項はその説明を省略する。
【０１９５】
本実施形態は、シール部材の形態が異なること以外は前記第１実施形態と同様である。
第１２図および第１３図に示すように、コネクタ５Ｃでは、前記第１実施形態のコネクタ５Ａに設置されているような弁体５１が省略されている。また、コネクタ５Ｃのメスコネクタ部７Ｂの開口部７１には、弁体（シール部材）５１Ａが固定されている。
【０１９６】
弁体５１Ａは、その縁部が開口部７１に固定される固定部５１６と、メスコネクタ部７Ｂの第１の内腔部７３１に向って突出する収斂状をなす収斂部５１７とを有している。また、収斂部５１７の頂部には、スリット５１２が形成されている。このような構成の弁体５１Ａは、いわゆる、ダックビル弁となっている。
【０１９７】
この弁体５１Ａを設けたことにより、ロック状態では、コネクタ５Ａ’のオスコネクタ部６のルアーテーパ部６２２が弁体５１Ａのスリット５１２を開口させる、すなわち、収斂部５１７を押し広げることができるとともに、この押し広げられた収斂部５１７自体の弾性力（復元力）により、当該収斂部５１７がルアーテーパ部６２２に密着することができる（第１３図参照）。
【０１９８】
これにより、コネクタ５Ａ’のオスコネクタ部６とコネクタ５Ｃのメスコネクタ部７Ｂとを確実に液密に接続することができる。
【０１９９】
なお、弁体５１Ａの構成材料としては、特に限定されないが、例えば、弁体５１の説明で挙げたような材料を用いることができる。
【０２００】
また、コネクタ５Ｃでは、弁体５１が省略されているが、これに限定されず、前記第１実施形態のコネクタ５Ａのように、弁体５１が設けられていてもよい。
【０２０１】
＜第４実施形態＞
第１４図および第１５図は、それぞれ、本発明のコネクタの第４実施形態を示す縦断面図である。
【０２０２】
以下、これらの図を参照して本発明のコネクタの第４実施形態について説明するが、前述した実施形態との相違点を中心に説明し、同様の事項はその説明を省略する。
【０２０３】
本実施形態は、シール部材の形態が異なること以外は前記第１実施形態と同様である。
本実施形態のコネクタ５Ｄは、そのオスコネクタ部６の外周側に、Ｏリング（シール部材）５８Ａが固定されているものである。このＯリング５８Ａは、その縦断面形状が円形をなしている。
【０２０４】
また、このコネクタ５Ｄのメスコネクタ部７Ｂには、コネクタ５Ｄ’のオスコネクタ部６が接続可能となっている。
【０２０５】
ここで、「コネクタ５Ｄ’」とは、コネクタ５Ｄと同様のオスコネクタ部６を備えているコネクタのことである。すなわち、コネクタ５Ｄ’は、そのオスコネクタ部６に、コネクタ５Ｄのオスコネクタ部６と同様のＯリング５８Ａが固定されているものである（例えば、第１４図参照）。
【０２０６】
第１４図に示すオスコネクタ部６（ルアーテーパ部６２２）の途中には、リング状の凹部６２４が周方向に沿って形成されている。この凹部６２４にＯリング５８Ａが嵌合（固定）されている。
【０２０７】
また、凹部６２４の縦断面形状は、Ｏリング５８Ａが容易かつ確実に嵌合可能な形状、すなわち、ほぼ半円状をなしている。
【０２０８】
Ｏリング５８Ａを設けたことにより、ロック状態では、コネクタ５Ｄ’のオスコネクタ部６のＯリング５８Ａが、コネクタ５Ｄのメスコネクタ部７Ｂの接続口７３２の縁部（内周面７３４）に密着することができる（第１５図参照）。また、これとともに、前記第１実施形態で記載したように、ロック状態では、コネクタ５Ｄ’のオスコネクタ部６の開口部６２３が弁体５１の頂面５１１に密着している。
【０２０９】
このような構成により、コネクタ５Ｄ’のオスコネクタ部６とコネクタ５Ｄのメスコネクタ部７Ｂとをより確実に液密に接続することができる。
【０２１０】
なお、Ｏリング５８Ａの縦断面形状は、円形であるのに限定されず、例えば、楕円形状、四角形状等であってもよい。
【０２１１】
また、Ｏリング５８Ａの構成材料としては、特に限定されないが、例えば、弁体５１の説明で挙げたような材料を用いることができる。
【０２１２】
また、コネクタ５Ｄでは、弁体５１が設置されているが、これに限定されず、弁体５１が省略されていてもよい。弁体５１が省略されている場合であっても、前述したようにコネクタ５Ｄ’のオスコネクタ部６のＯリング５８Ａが、コネクタ５Ｄのメスコネクタ部７Ｂの接続口７３２の縁部に密着することができるため、コネクタ５Ｄ’のオスコネクタ部６とコネクタ５Ｄのメスコネクタ部７Ｂとを確実に液密に接続することができる。
【０２１３】
＜第５実施形態＞
第１６図は、本発明のコネクタの第５実施形態を示す斜視図である。
【０２１４】
以下、この図を参照して本発明のコネクタの第５実施形態について説明するが、前述した実施形態との相違点を中心に説明し、同様の事項はその説明を省略する。
【０２１５】
本実施形態は、コネクタの外形形状が異なること以外は前記第１実施形態と同様である。
【０２１６】
第１６図に示すように、コネクタ５Ｅでは、オスコネクタ部６に対してｚ軸負方向にオスロック部８Ａが設けられている。また、コネクタ５Ｅでは、メスコネクタ部７Ａに対してｚ軸負方向にメスロック部９Ａが設けられている。
【０２１７】
このような構成（形状）のコネクタ５Ｅでは、前記第１実施形態のコネクタ５Ａと同様に、例えば、コネクタ５Ｅと同様の他のコネクタ５Ｅと容易にロック状態とすることができ、かつ、コネクタ５Ｅのメスコネクタ部７Ａ、７Ｂと他のコネクタ５Ｅのオスコネクタ部６とを確実に液密に接続することができる。
【０２１８】
なお、コネクタ５Ｅに接続されるコネクタは、他のコネクタ５Ｅであるのに限定されず、例えば、コネクタ５Ａやコネクタ５Ａ’であってもよい。
【０２１９】
＜第６実施形態＞
第１７図は、本発明のコネクタの第６実施形態を示す斜視図、第１８図は、第１７図中のＥ−Ｅ線断面図、第１９図は、第１７図中のＦ−Ｆ線断面図である。
【０２２０】
以下、これらの図を参照して本発明のコネクタの第６実施形態について説明するが、前述した実施形態との相違点を中心に説明し、同様の事項はその説明を省略する。
【０２２１】
本実施形態は、オスロック部およびメスロック部の構成が異なること以外は前記第１実施形態と同様である。
【０２２２】
第１７図に示すように、コネクタ５Ｆは、オスコネクタ部６と、メスコネクタ部７Ａおよび７Ｂと、オスロック部８Ｂと、メスロック部９Ｃおよび９Ｄと、弁体５１とを備えている。なお、第１８図および第１９図は、それぞれ、コネクタ５Ｆとコネクタ５Ｆ’との接続前状態からロック状態までの接続過程を示している。
【０２２３】
ここで、「コネクタ５Ｆ’」とは、コネクタ５Ｆと同様のオスコネクタ部６およびオスロック部８Ｂとを備えているコネクタのことである。
【０２２４】
オスロック部８Ｂは、基部（オスロック部本体）８１と、基部８１から突出する一対の突出部８２、８２と、両突出部８２の間に設けられた爪部８３Ｂと、爪部８３Ｂをｙ軸負方向に付勢する付勢部８４とを有している。
【０２２５】
第１７図および第１９図に示すように、爪部８３Ｂは、基部８１の端部からｘ軸正方向へ突出して形成されている。この爪部８３Ｂの端部には、ｙ軸負方向に突出したオス側係合部８３４が設けられている（第１８図参照）。
【０２２６】
メスロック部９Ｃおよび９Ｄは、それぞれ、コネクタ５Ｆ’のオスロック部８Ｂが連結可能な部位である。
【０２２７】
メスロック部９Ｃは、基部８１（オスロック部８Ｂ）に対し、ｘ軸負方向に設けられている。また、メスロック部９Ｄは、基部８１（オスロック部８Ｂ）に対し、ｚ軸正方向に設けられている。メスロック部９Ｃとメスロック部９Ｄとの形状（構成）は、ほぼ同一であるため、以下、メスロック部９Ｄについて代表的に説明する。
【０２２８】
第１８図に示すように、メスロック部９Ｄには、コネクタ５Ｆ’のオスロック部８Ｂのオス側係合部８３４と係合可能なメス側係合部９５が設けられている。このメス側係合部９５は、メスロック部９Ｄのｙ軸負方向の壁部９６の一部を貫通するように形成されている。
【０２２９】
第１８図（ｄ）に示すように、メスロック部９Ｄのメス側係合部９５の縁部（端部）９５１が、コネクタ５Ｆ’のオスロック部８Ｂのオス側係合部８３４と係合することにより、コネクタ５Ｆ（メスロック部９Ｄ）とコネクタ５Ｆ’（オスロック部８Ｂ）とがロック状態となる。
【０２３０】
コネクタ５Ｆとコネクタ５Ｆ’との接続過程（ロック状態）について説明する。
コネクタ５Ｆとコネクタ５Ｆ’とが互いに離間した状態（第１８図（ａ）および第１９図（ａ）参照）から、コネクタ５Ｆ’のオスロック部８Ｂをコネクタ５Ｆのメスロック部９Ｄに接近させる（第１８図（ｂ）および第１９図（ｂ）参照）。
【０２３１】
第１８図（ｃ）に示すように、コネクタ５Ｆ’のオスロック部８Ｂがコネクタ５Ｆのメスロック部９Ｄ内に挿入されるのに伴って、コネクタ５Ｆのメスロック部９Ｄの壁部９６がコネクタ５Ｆ’の付勢部８４の付勢力に抗して、コネクタ５Ｆ’のオス側係合部８３４（爪部８３Ｂ）を押圧する。
【０２３２】
コネクタ５Ｆ’のオスロック部８Ｂをコネクタ５Ｆのメスロック部９Ｄ内にさらに押し込むと、第１８図（ｄ）に示すように、コネクタ５Ｆ’のオス側係合部８３４がコネクタ５Ｆのメス側係合部９５に係合する、すなわち、コネクタ５Ｆ’とコネクタ５Ｆとがロック状態となる。
【０２３３】
また、ロック状態のとき、コネクタ５Ｆ’のオスコネクタ部６の押圧により、コネクタ５Ｆの弁体５１が変形して、弁体５１のスリット５１２が開口する。これにより、コネクタ５Ｆ’のオスコネクタ部６とコネクタ５Ｆのメスコネクタ部７Ｂとが液体を流通可能に接続される。
【０２３４】
また、コネクタ５Ｆ’とコネクタ５Ｆとのロック状態の解除は、コネクタ５Ｆ’のオスロック部８Ｂのオス側係合部８３４を付勢部８４の付勢力に抗して押圧することにより、ロック状態が解除される。換言すれば、第１８図（ｄ）に示すロック状態から、コネクタ５Ｆ’のオスロック部８Ｂのオス側係合部８３４を押圧する。これにより、コネクタ５Ｆのメス側係合部９５と、コネクタ５Ｆ’のオス側係合部８３４との係合が外れる（解除される）。
【０２３５】
その後、コネクタ５Ｆ’を引くと、コネクタ５Ｆ’とコネクタ５Ｆとが互いに離間する。
【０２３６】
このように、コネクタ５Ｆとコネクタ５Ｆ’とでは、コネクタ５Ｆ’のオスロック部８Ｂをコネクタ５Ｆのメスロック部９Ｄ内に押し込むという簡単な操作で、コネクタ５Ｆとコネクタ５Ｆ’と完全に接続することができる、すなわち、確実にロック状態とすることができる。
【０２３７】
また、ロック状態となるのとほぼ同時に、コネクタ５Ｆのメスコネクタ部７Ｂとコネクタ５Ｆ’のオスコネクタ部６とが確実に液密に接続される。
【０２３８】
また、第１９図（ｃ）および（ｄ）に示すように、コネクタ５Ｆ’のオスロック部８Ｂがコネクタ５Ｆのメスロック部９Ｄ内に挿入されるに伴って、各突出部８２の外周面がメスロック部９Ｄの内周面に摺動する。これにより、コネクタ５Ｆ’のオスロック部８Ｂがコネクタ５Ｆのメスロック部９Ｄ内に案内され易くなり、よって、オスロック部８Ｂの中心軸とメスロック部９Ｄの中心軸とを一致させることができる。このように、両突出部８２は、ガイドとしての機能を有している。
【０２３９】
＜第７実施形態＞
第２０図は、本発明のコネクタの第７実施形態を示す斜視図、第２１図〜第２４図は、それぞれ、第２０図に示すコネクタにおける流路切り替えパターンを示す側面図である。
【０２４０】
以下、これらの図を参照して本発明のコネクタの第７実施形態について説明するが、前述した実施形態との相違点を中心に説明し、同様の事項はその説明を省略する。
【０２４１】
本実施形態は、コネクタが流路切替手段としてのコックをさらに有していること以外は前記第１実施形態と同様である。
【０２４２】
第２０図に示すコネクタ５Ｇには、オスコネクタ部６の中心軸（メスコネクタ部７Ａの中心軸）、メスコネクタ部７Ｂの中心軸とが交差する交差部に、円筒状をなす円筒部６３が形成されている。
【０２４３】
この円筒部６３は、ｙ軸正方向に突出形成されたものである。また、円筒部６３の内腔部６３１には、オスコネクタ部６の液体流路６２１と、メスコネクタ部７Ａの第３の内腔部７２４と、メスコネクタ部７Ｂの第３の内腔部７２４とがそれぞれ、連通している。
【０２４４】
このようなコネクタ５Ｇは、当該コネクタ５Ｇ内を流通する液体の流路を切り替える流路切替手段としてのコック１０をさらに有している。
【０２４５】
第２０図に示すように、コック１０は、胴部１０１と、基部１０２と、レバー１０３とで構成されている。
胴部１０１は、円柱または円筒形状（図１では円柱形状）をなし、円筒部６３の内腔部６３１内に気密性または液密性をもって回動自在に挿入（嵌入）されるものである。従って、コック１０を円筒部６３から抜き取った状態における胴部１０１の外径は、前述した円筒部６３の内径より例えば１〜６％程度大きいものとするのが好ましい。
【０２４６】
また、胴部１０１の外周面１０４は、平滑なものである。
胴部１０１の内部には、オスコネクタ部６の液体流路６２１と、メスコネクタ部７Ａの第３の内腔部７２４と、メスコネクタ部７Ｂの第３の内腔部７２４とに対応する流路（通路）１０５ａ、１０５ｂおよび１０５ｃがＴ字状に形成されている。すなわち、９０°の角度を隔てて胴部１０１の径方向に延在する３本の流路１０５ａ、１０５ｂおよび１０５ｃが、胴部１０１の途中にて互いに連通するように形成されている。
【０２４７】
また、これらの流路１０５ａ〜１０５ｃは、コック１０を円筒部６３に嵌入した状態（以下、単に「コック嵌入状態」という）で、オスコネクタ部６の液体流路６２１と、メスコネクタ部７Ａの第３の内腔部７２４と、メスコネクタ部７Ｂの第３の内腔部７２４と一致する位置に形成されている。
【０２４８】
各流路１０５ａ〜１０５ｃは、胴部１０１の外周面１０４に開口し、それぞれ円形の開口１０６ａ、１０６ｂおよび１０６ｃを形成している。
【０２４９】
なお、この開口１０６ａ〜１０６ｃの直径は、流路１０５ａ〜１０５ｃの内径とほぼ等しいのが好ましい。従って、開口１０６ａ〜１０６ｃの直径が大きいほど、大流量を確保することができる。
【０２５０】
また、開口１０６ａ〜１０６ｃの直径は、各々ほぼ等しい値であるのが好ましいが、互いに異なっていてもよい。
【０２５１】
また、開口１０６ａ〜１０６ｃの周縁部（輪郭）に、予め面取り加工を施しておいてもよく、この場合には、周縁部またはその付近の欠損防止効果がより一層高まる。
【０２５２】
胴部１０１のｙ軸正方向の端部には、胴部１０１の横断面より大きい横断面を有する基部（レバー支持部）１０２が好ましくは胴部１０１と一体的に形成されている。この基部１０２は、コック嵌入状態で円筒部６３の端部に露出した状態となる。
【０２５３】
基部１０２の外周には、流路１０５ｂと逆方向に延長して突出するレバー１０３が好ましくは基部１０２と一体的に形成されている。このレバー１０３を手指で把持し、トルクを加えてコック１０の回動操作を行う。
【０２５４】
なお、回動操作を行うためのレバー１０３は、図示のような１方向に延出したものに限らず、２以上の方向に延出したもの、またはその他ハンドルのようなものであってもよい。
【０２５５】
また、本実施形態では、コック１０は、円筒部６３（オスコネクタ部およびメスコネクタ部）に対し３６０°自由に回動することができる構成となっているが、これに限られるものではない。すなわち、コネクタ５Ｇには、円筒部６３に対するコック１０の回動角度範囲を規制する規制手段（図示せず）が設けられていてもよい。この規制手段としては、例えば、円筒部６３の端部および基部１０２にそれぞれ形成され、コック嵌入状態で互いに係合し得る凸部で構成することができる。
【０２５６】
また、コック１０の構成材料としては、特に限定されず、例えば、コネクタ５Ａの弁体５１を除く部位の構成材料と同様のものを用いることができる。
【０２５７】
次に、コネクタ５Ｇの作用を、第２１図〜第２４図を参照しつつ説明する。
第２１図に示すように、コック１０のレバー１０３の位置をメスコネクタ部７Ａと同方向とした場合には、オスコネクタ部６の液体流路（内腔部）６２１とメスコネクタ部７Ｂの第３の内腔部７２４が、コック１０の胴部１０１に形成された流路１０５ｂおよび１０５ｃを介して連通し、メスコネクタ部７Ａの第３の内腔部７２４は、胴部１０１の外周面１０４によって封止される。これにより、オスコネクタ部６とメスコネクタ部７Ｂとが開通状態、メスコネクタ部７Ａが閉鎖状態となる。
【０２５８】
第２２図に示すように、コック１０のレバー１０３の位置をメスコネクタ部７Ｂと１８０°反対方向とした場合には、オスコネクタ部６の液体流路６２１とメスコネクタ部７Ａの第３の内腔部７２４とメスコネクタ部７Ｂの第３の内腔部７２４とが、コック１０の胴部１０１に形成された流路１０５ａ、１０５ｂおよび１０５ｃを介して連通する。これにより、オスコネクタ部６、メスコネクタ部７Ａおよび７Ｂが開通状態となる。
【０２５９】
第２３図に示すように、コック１０のレバー１０３の位置をオスコネクタ部６と同方向とした場合には、メスコネクタ部７Ａの第３の内腔部７２４とメスコネクタ部７Ｂの第３の内腔部７２４とが、コック１０の胴部１０１に形成された流路１０５ａおよび１０５ｂを介して連通し、オスコネクタ部６の液体流路６２１は、胴部１０１の外周面１０４によって封止される。これにより、メスコネクタ部７Ａとメスコネクタ部７Ｂとが開通状態、オスコネクタ部６が閉鎖状態となる。
【０２６０】
第２４図に示すように、コック１０のレバー１０３の位置をメスコネクタ部７Ｂと同方向とした場合には、オスコネクタ部６の液体流路６２１とメスコネクタ部７Ａの内腔部７２４とが、コック１０の胴部１０１に形成された流路１０５ａおよび１０５ｃを介して連通し、メスコネクタ部７Ｂの内腔部７２４は、胴部１０１の外周面１０４によって封止される。これにより、オスコネクタ部６とメスコネクタ部７Ａとが開通状態、メスコネクタ部７Ｂが閉鎖状態となる。
【０２６１】
以上のように、コネクタ５Ｇでは、コック１０を回動操作することにより、オスコネクタ部６（液体流路６２１）、メスコネクタ部７Ａ（第３の内腔部７２４）およびメスコネクタ部７Ｂ（第３の内腔部７２４）の開閉を適宜選択することができる。
【０２６２】
このようなコネクタ５Ｇによる効果を、例えば、メスコネクタ部７Ａに、オスコネクタ部６に向かって常時（連続的に）流通させたい輸液が貯留された輸液バッグを接続し、メスコネクタ部７Ｂに、オスコネクタ部６に向かって断続的に流通させたい輸液が貯留された輸液バッグを接続した場合を一例に挙げて説明する。
【０２６３】
コック１０を第２４図に示す状態にすることにより、メスコネクタ部７Ａからオスコネクタ部６へ輸液を常時流通させることができる。このとき、メスコネクタ部７Ｂは、封止されており、メスコネクタ部７Ｂからオスコネクタ部６へ輸液を流通させるのが不可能となっている。
【０２６４】
第２４図に示す状態から第２２図に示す状態にコック１０を回動することにより、第２２図に示す状態と同様にメスコネクタ部７Ａからオスコネクタ部６へ輸液を流通させることができるとともに、メスコネクタ部７Ｂからオスコネクタ部６へ輸液を流通させることができる。
【０２６５】
このように、コック１０を回転操作することによりコネクタ５Ｇを流通する液体の流路を切り替えることができ、よって、任意のタイミングで例えば２種類の液体を混合することができる。
【０２６６】
なお、コネクタ５Ｇでは、図示の構成では弁体５１が省略されているが、弁体５１が設置されていてもよい。
【０２６７】
＜第８実施形態＞
第２５図は、本発明のコネクタの第８実施形態を示す斜視図である。
【０２６８】
以下、この図を参照して本発明のコネクタの第８実施形態について説明するが、前述した実施形態との相違点を中心に説明し、同様の事項はその説明を省略する。
【０２６９】
本実施形態は、オスロック部の構成が異なること以外は前記第１実施形態と同様である。
【０２７０】
第２５図に示すコネクタ５Ｈでは、オスロック部８Ｃは、ルアーロックを形成している。すなわち、オスロック部８Ｃは、オスコネクタ部６の外周側に、当該オスコネクタ部６と同心的に（同軸で）回転可能に設置され、内周部８５にネジ山８５１が形成された、筒状をなすリング部材で構成されたものである。
【０２７１】
また、コネクタ５Ｈのメスコネクタ７Ａおよび７Ｂの開口部７１の縁部（外周部）には、開口部７１の径方向で互いに反対方向に突出した一対の突部７４および７４が形成されている。
【０２７２】
各突部７４は、ロック状態で、コネクタ５Ｈと同様の他のコネクタが有するオスロック部８Ｃのネジ山８５１と係合することができる。このように、各突部７４は、オスロック部８Ｃと連結可能なメスロック部ということができる。
【０２７３】
例えばコネクタ５Ｈのメスコネクタ７Ｂと他のコネクタのオスコネクタ部６とを接続するには、まず、コネクタ５Ｈのメスコネクタ７Ｂの各突部７４を、他のコネクタのオスロック部８Ｃの開口部に係合させる。
【０２７４】
次に、前記係合状態で、コネクタ５Ｈと他のコネクタとが接近する方向に、他のコネクタのオスロック部８Ｃを回転操作する。これに伴って、他のコネクタのオスコネクタ部６が、コネクタ５Ｈのメスコネクタ７Ｂの開口部７１から当該メスコネクタ７Ｂに入り込む。
【０２７５】
さらに、他のコネクタのオスロック部８Ｃを回転操作することにより、他のコネクタのオスコネクタ部６のルアーテーパ部６２２の一部が、コネクタ５Ｈのメスコネクタ７Ｂの開口部７１の内周部に液密に当接する（例えば、図９参照）。
【０２７６】
このようにコネクタ５Ｈと前記他のコネクタとでは、前述した操作を行うことにより、コネクタ５Ｈの各突部７４と前記他のコネクタのオスロック部８Ｃとが確実にロック状態となるとともに、コネクタ５Ｈのメスコネクタ７Ｂと前記他のコネクタのオスコネクタ部６とが確実に液密に接続される。
【０２７７】
＜第９実施形態＞
第２６図は、本発明のコネクタの第９実施形態を示す側面図である。
【０２７８】
以下、この図を参照して本発明のコネクタの第９実施形態について説明するが、前述した実施形態との相違点を中心に説明し、同様の事項はその説明を省略する。
【０２７９】
本実施形態は、メスコネクタ部の設置数が異なること以外は前記第１実施形態と同様である。
【０２８０】
図２６に示すコネクタ５Ｉは、メスコネクタ部７Ａおよび７Ｂとほぼ同様の構成のメスコネクタ部７Ｃと、メスロック部９Ａおよび９Ｂとほぼ同様の構成のメスロック部９Ｅとをさらに有している。
【０２８１】
メスコネクタ部７Ｃは、ｚ軸負方向に形成されている。従って、メスコネクタ部７Ａ、７Ｂおよび７Ｃは、互いに隣接するメスコネクタ部同士が直交する方向に配置されている。
【０２８２】
また、メスロック部９Ｅは、メスコネクタ部７Ｃと同様にｚ軸負方向に形成されており、当該メスコネクタ部７Ｃにｙ軸負方向に隣接している。
【０２８３】
このような構成のコネクタ５Ｉでは、メスコネクタ部７Ａ、７Ｂおよび７Ｃの開口部７１が互いに異なる３方向、すなわち、ｘ軸負方向、ｚ軸正方向およびｚ軸負方向に開口している。
【０２８４】
これにより、例えば、前記第１実施形態のように輸液ラインを増設する場合、液体の流路を構成する３本のチューブが異なる３方向に延在することなり、よって、これらのチューブ同士が干渉するのを防止することができる。また、コネクタ５Ｉ内を流通する液体の流れの方向を転換することができる。
【０２８５】
＜第１０実施形態＞
第３０図は、本発明のチューブ組立体の部分縦断面図である。
【０２８６】
以下、この図を参照して本発明のチューブ組立体の実施形態（第１０実施形態）について説明するが、前述した実施形態との相違点を中心に説明し、同様の事項はその説明を省略する。
【０２８７】
第３０図に示すチューブ組立体２０は、可撓性を有するチューブ２０１と、チューブ２０１の両端部２０２ａおよび２０２ｂにそれぞれ接続されたコネクタ５Ｋおよび５Ｌとを備えている。
【０２８８】
チューブ２０１は、一方のコネクタ５Ｋから流入した液体を、他方のコネクタ５Ｌに向けて流通させるものである。
【０２８９】
なお、チューブ２０１の構成材料としては、特に限定されず、例えば、ポリエチレン、ポリプロピレン、エチレン−酢酸ビニル共重合体等のポリオレフィン、ポリ塩化ビニル、ポリブタジエン、ポリアミド、ポリエステル等が挙げられ、これらの中でも、特にポリブタジエンを用いるのが好ましい。チューブ２０１の構成材料にポリブタジエンを用いた場合、当該チューブ２０１は、適度な可撓性、耐薬品性、および薬品の吸着防止性に優れたものとなる。
【０２９０】
コネクタ５Ｋは、第１実施形態のコネクタ５Ａとほぼ同様のオスコネクタ６およびオスロック部８Ａと、オスコネクタ６と連通する接続部６０とを有している。この接続部６０は、その形状が管状をなしており、オスコネクタ６の突出方向と反対方向に突出している。
【０２９１】
また、接続部６０には、チューブ２０１の端部２０２ａが接続されている。これにより、オスコネクタ６は、接続部６０を介してチューブ２０１と連通する。
【０２９２】
コネクタ５Ｌは、第１実施形態のコネクタ５Ａとほぼ同様のメスコネクタ部７Ａおよび７Ｂと、第１実施形態のコネクタ５Ａとほぼ同様のメスロック部９Ａおよび９Ｂと、メスコネクタ７Ａおよび７Ｂの第３の内腔部７２４にそれぞれ連通する接続部７０とを有している。この接続部７０は、その形状が管状をなしており、メスコネクタ７Ａの突出方向と反対方向に突出している。
【０２９３】
また、接続部７０には、チューブ２０１の端部２０２ｂが接続されている。これにより、メスコネクタ７Ａおよび７Ｂの第３の内腔部７２４は、それぞれ、接続部７０を介してチューブ２０１と連通する。
【０２９４】
例えば、前記第１実施形態に記載されたような輸液チューブセットに、チューブ組立体２０を接続することにより、当該チューブ組立体２０が液体の流路の一部を構成することとなり、よって、前記輸液チューブセットの液体の流路を容易に延長することができる。
【０２９５】
また、コネクタ５Ｋおよび５Ｌにより、チューブ組立体２０と前記輸液チューブセットとがロック状態となり、チューブ組立体２０が不本意に前記輸液チューブセットから離脱するのが確実に防止される。また、コネクタ５Ｋおよび５Ｌにより、チューブ組立体２０と前記輸液チューブセットとが確実に液密に接続され、液体が不本意に漏れるのが確実に防止される。
【０２９６】
なお、チューブ組立体２０は、チューブ２０１の両端部２０２ａおよび２０２ｂにそれぞれコネクタ５Ｋおよび５Ｌが接続されたものに限定されず、両端部２０２ａおよび２０２ｂの一方にのみコネクタが接続されたものでもよい。例えば、コネクタ５Ｋが端部２０２ａに接続されている場合に、端部２０２ｂには、メスルアーコネクタが接続されているものや、端部２０２ａに中空の穿刺針が接続されている場合に、端部２０２ｂには、コネクタ５Ｌが接続されているものが挙げられる。この穿刺針は、例えば、生体表面を穿刺するものであってもよいし、液体が貯留されたバッグ（容器）の口部を封止するゴム栓を穿刺（刺通）するものであってもよい。
【０２９７】
また、コネクタ５Ｌは、図示の構成では２つのメスコネクタ部７Ａおよび７Ｂを有するものであるが、これに限定されず、これらのメスコネクタ部のうちの一方のメスコネクタ部を有するものであってもよい。
【０２９８】
＜第１１実施形態＞
第３１図および第３２図は、それぞれ、本発明の医療用容器の斜視図である。
【０２９９】
以下、これらの図を参照して本発明の医療用容器の実施形態（第１１実施形態）について説明するが、前述した実施形態との相違点を中心に説明し、同様の事項はその説明を省略する。
【０３００】
第３１図および第３２図に示す医療用容器３０は、液体を収納可能な容器本体３０１と、容器本体３０１に固定されたコネクタ５Ｊとを備えている。なお、以下の説明では、容器本体３０１として、輸液バッグを例にして説明する。
【０３０１】
コネクタ５Ｊは、コネクタ本体５９と、コネクタ本体５９に対しｚ軸正方向に位置するオスコネクタ部６Ａと、コネクタ本体５９に対しｘ軸正方向に位置するメスコネクタ部７Ｄと、コネクタ本体５９に対しｚ軸負方向に位置するオスロック部８Ｄと、コネクタ本体５９に対しｙ軸負方向に位置するメスロック部９Ｆと、コネクタ本体５９に対しｘ軸負方向に位置する接続部５３とを備えている。
【０３０２】
コネクタ本体５９は、外形形状がブロック状をなすものであり、内部に内腔部５９１が形成されている。
【０３０３】
オスコネクタ部６Ａは、前記第１実施形態のコネクタ５Ａのオスコネクタ部６とほぼ同様の構成のものである。このオスコネクタ部６Ａは、ｚ軸正方向に向かって突出している。また、オスコネクタ部６Ａの液体流路６２１は、コネクタ本体５９の内腔部５９１に連通している。
【０３０４】
メスコネクタ部７Ｄは、前記第１実施形態のコネクタ５Ａのメスコネクタ部７Ａおよび７Ｂとほぼ同様の構成のものである。このメスコネクタ部７Ｄは、ｘ軸正方向に向かって突出している。また、メスコネクタ部７Ｄの第３の内腔部７２４は、コネクタ本体５９の内腔部５９１に連通している。
【０３０５】
オスロック部８Ｄは、前記第１実施形態のコネクタ５Ａのオスロック部８Ａとほぼ同様の構成のものである。このオスロック部８Ｄは、メスコネクタ部７Ｄに隣接し、当該メスコネクタ部７Ｄと同様にｘ軸正方向に向かって突出している。
【０３０６】
メスロック部９Ｆは、前記第１実施形態のコネクタ５Ａのメスロック部９Ａおよび９Ｂとほぼ同様の構成のものである。このメスロック部９Ｆは、オスコネクタ部６Ａに隣接し、当該オスコネクタ部６Ａと同様にｚ軸正方向に突出している。
【０３０７】
接続部５３は、その形状が管状をなしており、内腔部（中空部）５３１がコネクタ本体５９の内腔部５９１に連通している。この接続部５３は、コネクタ５Ｊにおいて容器本体３０１に固定される部位である。
【０３０８】
また、接続部５３の外周部には、当該外周部の一部が拡径したフランジ５３１が形成されている。コネクタ５Ｊが容器本体３０１に固定されるとき、フランジ５３１が外方から容器本体３０１に当接することにより、コネクタ５Ｊが容器本体３０１に過剰に入り込むのを確実に防止する、すなわち、容器本体３０１に対するコネクタ５Ｊの位置決めを行うことができる。
【０３０９】
また、接続部５３の外周部には、当該外周部の外径がｘ軸負方向に向かって漸減したテーパ部５３３が形成されている。例えば容器本体３０１に液体が収納されていない場合、テーパ部５３３と容器本体３０１の内面との間に間隙が形成され、容器本体３０１の内面同士が密着するのを防止することができる。これにより、容器本体３０１に対し、液体を容易に注入または排出することができる。
【０３１０】
容器本体３０１は、可撓性を有する樹脂製の２枚のシート部材３０２および３０２で構成されている。
【０３１１】
容器本体３０１は、シート部材３０２の縁部３０３同士を、例えば融着（熱融着、高周波融着、超音波融着等）することにより、２枚のシート部材３０２、３０２の間に空間３０４が形成され、当該空間３０４に液体を収納することができる。
【０３１２】
なお、シート部材３０２の構成材料としては、特に限定されないが、例えば、ポリエチレン、ポリプロピレン、ポリカーボネートの各種樹脂材料等が用いられる。
【０３１３】
このような縁部３０３の一部にコネクタ５Ｊが固定されている。これにより、コネクタ５Ｊは、容器本体３０１に対し液体が排出されるポートを形成する。なお、コネクタ５Ｊの固定方法としては、特に限定されないが、例えば、融着（熱融着、高周波融着、超音波融着等）や、接着（接着剤や溶媒による接着）が挙げられる。
【０３１４】
第３１図（第３２図も同様）示すように、容器本体３０１に固定されたコネクタ５Ｊには、コネクタ５Ｊ’が接続される。
【０３１５】
ここで、「コネクタ５Ｊ’」とは、コネクタ５Ｊと同様のオスコネクタ部６Ａおよびメスロック部９Ｆとを備えているコネクタのことである。また、コネクタ５Ｊ’のオスコネクタ部６Ａと反対側には、当該オスコネクタ部６Ａの液体流路６２１と連通するチューブ４０が接続されている。
【０３１６】
また、コネクタ５Ｊ’のオスコネクタ部６Ａおよびメスロック部９Ｆは、それぞれ、コネクタ５Ｊのメスコネクタ部７Ｄおよびオスロック部８Ｄに対応するように配置されている。
【０３１７】
第３２図に示すように、医療用容器３０のコネクタ５Ｊとコネクタ５Ｊ’との接続状態では、コネクタ５Ｊのオスロック部８Ｄとコネクタ５Ｊ’のメスロック部９Ｆとが確実にロック状態となっており、また、コネクタ５Ｊのメスコネクタ部７Ｄとコネクタ５Ｊ’のオスコネクタ部６Ａとが確実に液密に接続されている。これにより、容器本体３０１の液体が、コネクタ５Ｊの接続部５３、コネクタ本体５９およびメスコネクタ部７Ｄと、コネクタ５Ｊ’のオスコネクタ部６Ａと、チューブ４０とを順次通過することができる。
【０３１８】
また、コネクタ５Ｊのオスロック部８Ｄとコネクタ５Ｊ’のメスロック部９Ｆとのロック状態を解除操作する操作部９３が、コネクタ５Ｊ’側に設けられている。このため、前記ロック状態を解除するときにコネクタ５Ｊ’が把持される。これにより、前記ロック状態の解除に伴うコネクタ５Ｊの弁体５１の反発力（復元力）によってコネクタ５Ｊ’がｘ軸正方向に飛び出すのが確実に防止される。
【０３１９】
なお、容器本体３０１に収容される液体としては、特に限定されないが、例えば、血液製剤、ブドウ糖等の糖質注射液、塩化ナトリウムや乳酸カリウム等の電解質補正用注射液、ビタミン剤、ワクチン、抗生物質注射液、造影剤、ステロイド剤、蛋白質分解酵素阻害剤、脂肪乳剤、各種蛋白製剤、抗癌剤、麻酔薬、覚せい剤、麻薬のような各種薬液、各種診断薬、あるいは、蒸留水、生理食塩水、消毒薬、栄養剤、流動食、アルコール等の液体が挙げられる。
【０３２０】
また、本実施形態では、容器本体３０１として輸液バッグを例に挙げたが、これに限定されず、容器本体３０１として、例えば、輸血バッグ、培養容器、排液容器等であってもよい。
【０３２１】
また、容器本体３０１には、コネクタ５Ｊで構成されたポートの他に、例えば、ゴム栓で封止されたポートが設けられていてもよい。
【０３２２】
また、コネクタ５Ｊは、液体容器３０１から液体を排出するときに用いられるポートであるが、これに限定されず、液体容器３０１に液体を注入するときに用いられるポートであってもよい。
【０３２３】
また、コネクタ５Ｊの接続部５３のテーパ部５３３には、内腔部５３１と連通する側孔（スリット）が設けられていてもよい。テーパ部５３３に側孔が設けられている場合、例えば、当該側孔を介して、容器本体３０１内の液体を確実に排出することができる。
【０３２４】
また、テーパ部５３３に側孔を設ける場合、当該側孔がｙ軸方向に向かって開口するように設けるのが好ましい。
【０３２５】
以上、本発明のコネクタ、チューブ組立体、輸液チューブセットおよび医療用容器を、図示の実施形態に基づいて説明したが、本発明はこれに限定されるものではなく、各部の構成は、同様の機能を有する任意の構成のものに置換することができる。
【０３２６】
なお、本発明は、前記各実施形態のうちの、任意の２以上の構成（特徴）を組み合わせたものであってもよい。また、本発明に、他の任意の構成物が付加されていてもよい。
【０３２７】
また、本発明の輸液チューブセットのコネクタは、前記各実施形態のうちの、任意の２以上の構成（特徴）を組み合わせたものであってもよい。
【０３２８】
例えば、前記第６実施形態のコネクタにおいて、前記第５実施形態のコネクタと同様に、オスロック部がオスコネクタ部のｚ軸負方向に設けられていてもよい。
【０３２９】
また、例えば、前記第５実施形態のコネクタにおいて、前記第２実施形態のコネクタと同様のＯリングを設けてもよいし、前記第４実施形態のコネクタと同様のＯリングを設けてもよい。
【０３３０】
また、例えば、前記第５実施形態のコネクタにおいて、メスコネクタ部内に設置されている弁体を省略し、前記第３実施形態のコネクタと同様の弁体（ダックビル弁）を設けてもよい。
【０３３１】
また、例えば、前記第６実施形態のコネクタにおいて、前記第２実施形態のコネクタと同様のＯリングを設けてもよいし、前記第４実施形態のコネクタと同様のＯリングを設けてもよい。
【０３３２】
また、例えば、前記第６実施形態のコネクタにおいて、メスコネクタ部内に設置されている弁体を省略し、前記第３実施形態のコネクタと同様の弁体（ダックビル弁）を設けてもよい。
【０３３３】
また、前記第２実施形態〜前記第６実施形態、前記第８実施形態〜前記第１１実施形態のコネクタにおいて、前記第７実施形態の流路切替手段（コック）と同様の流路切替手段を設けてもよい。
【０３３４】
また、前記第２実施形態〜前記第６実施形態、前記第９実施形態〜前記第１１実施形態のコネクタにおいて、各コネクタのオスロック部を、前記第７実施形態のオスロック部と同様の構成のものとしてもよい。
【０３３５】
また、前記第２実施形態〜前記第８実施形態、前記第１０実施形態、前記第１１実施形態のコネクタにおいて、前記第９実施形態のコネクタと同様に、メスコネクタを３つ設け、それらの開口部が異なる方向に開口していてもよい。
【０３３６】
また、前記第１０実施形態のチューブ組立体のコネクタとして、前記第２実施形態〜前記第９実施形態のコネクタを用いてもよい。また、前記第１０実施形態のチューブ組立体の２つのコネクタは、同一のであってもよいし、互いに異なるものであってもよい。
【０３３７】
また、前記第１実施形態〜前記第１０実施形態のコネクタでは、オスコネクタ部とオスロック部とが互いに対応しており、メスコネクタ部とメスロック部とが互いに対応しているが、この対応に限定されず、例えば、前記第１１実施形態の医療用容器のコネクタのように、オスコネクタ部とメスロック部とが互いに対応しており、メスコネクタ部とオスロック部とが互いに対応していてもよい。
【産業上の利用可能性】
【０３３８】
本発明のコネクタは、内腔部を有するオスコネクタ部と、該オスコネクタ部と同様の他のオスコネクタ部が接続可能な内腔部を有するメスコネクタ部とを備えるコネクタであって、オスロック部と、前記オスロック部と同様の他のオスロック部が連結可能なメスロック部とを備え、前記メスロック部と前記他のオスロック部とが連結されるロック状態となったとき、前記メスコネクタ部と前記他のオスコネクタ部とは、これらの前記内腔部同士が連通して、液体が流通可能に接続される。そのため、容易かつ確実にロック状態とすることができ、かつ、当該ロック状態で液体が確実に流通可能となる。従って、本発明は、産業上の利用可能性を有する。
【図面の簡単な説明】
【０３３９】
【図１】第１図は、本発明のコネクタの第１実施形態を示す斜視図である。
【図２】第２図は、本発明のコネクタの第１実施形態を示す斜視図である。
【図３】第３図は、本発明のコネクタの第１実施形態を示す斜視図である。
【図４】第４図は、第１図中のＡ−Ａ線断面図である。
【図５】第５図は、第１図中のＡ−Ａ線断面図である。
【図６】第６図は、第２図中のＢ−Ｂ線断面図である。
【図７】第７図は、第１図（第２図および第３図も同様）に示すコネクタが備える弁体（シール部材）を示す斜視図である。
【図８】第８図は、第１図中のＣ−Ｃ線断面図である。
【図９】第９図は、第３図中のＤ−Ｄ線断面図である。
【図１０】第１０図は、本発明のコネクタの第２実施形態を示す縦断面図である。
【図１１】第１１図は、本発明のコネクタの第２実施形態を示す縦断面図である。
【図１２】第１２図は、本発明のコネクタの第３実施形態を示す縦断面図である。
【図１３】第１３図は、本発明のコネクタの第３実施形態を示す縦断面図である。
【図１４】第１４図は、本発明のコネクタの第４実施形態を示す縦断面図である。
【図１５】第１５図は、本発明のコネクタの第４実施形態を示す縦断面図である。
【図１６】第１６図は、本発明のコネクタの第５実施形態を示す斜視図である。
【図１７】第１７図は、本発明のコネクタの第６実施形態を示す斜視図である。
【図１８】第１８図は、第１７図中のＥ−Ｅ線断面図である。
【図１９】第１９図は、第１７図中のＦ−Ｆ線断面図である。
【図２０】第２０図は、本発明のコネクタの第７実施形態を示す斜視図である。
【図２１】第２１図は、第２０図に示すコネクタにおける流路切り替えパターンを示す側面図である。
【図２２】第２２図は、第２０図に示すコネクタにおける流路切り替えパターンを示す側面図である。
【図２３】第２３図は、第２０図に示すコネクタにおける流路切り替えパターンを示す側面図である。
【図２４】第２４図は、第２０図に示すコネクタにおける流路切り替えパターンを示す側面図である。
【図２５】第２５図は、本発明のコネクタの第８実施形態を示す斜視図である。
【図２６】第２６図は、本発明のコネクタの第９実施形態を示す側面図である。
【図２７】第２７図は、本発明の輸液チューブセットの平面図である。
【図２８】第２８図は、第２７図に示す輸液チューブセットの各輸液チューブを接続した状態を示す平面図である。
【図２９】第２９図は、第２８図に示す輸液チューブセットにおける接続された２つの本発明のコネクタの斜視図である。
【図３０】第３０図は、本発明のチューブ組立体の部分縦断面図である。
【図３１】第３１図は、本発明の医療用容器の斜視図である。
【図３２】第３２図は、本発明の医療用容器の斜視図である。
【国際調査報告】
2006068211.tif 000034
2006068211.tif 000035
2006068211.tif 000036